(57)【要約】【課題】多様なサービスをサポートする場合の通信端末の通信性能を向上させる。【解決手段】通信端末は、セルで使用可能なシステム帯域よりも狭い帯域で無線通信を行う狭帯域用端末を含む。狭帯域用端末は、セル再選択処理用パラメータを、予め定められた手法によって認識する。予め定められた手法は、セル再選択処理用パラメータとして規格で予め定められたパラメータの取得と、セル再選択処理用パラメータを含んだＭＩＢ（Master Information Block）の受信と、セル再選択処理用パラメータを含んだ、狭帯域用端末用のＳＩ（System Information）の受信と、セル再選択処理用パラメータを含んだＲＲＣ（Radio Resource Control）シグナリングの受信と、セル再選択処理用パラメータとして規格で予め定められた複数の候補のうちの一つを示すインジケーションの取得とのうちの少なくとも１つを含む。【選択図】図８
2020036373.tif 000002
【特許請求の範囲】
【請求項１】
通信端末と、
前記通信端末と無線通信可能なセルを構成する基地局とを備える通信システムであって、
前記通信端末は、前記セルで使用可能なシステム帯域よりも狭い帯域で無線通信を行う狭帯域用端末を含み、
前記狭帯域用端末は、セル再選択処理用パラメータを、予め定められた手法によって認識し、
前記予め定められた手法は、
前記セル再選択処理用パラメータとして規格で予め定められたパラメータの取得と、
前記セル再選択処理用パラメータを含んだＭＩＢ（Master Information Block）の受信と、
前記セル再選択処理用パラメータを含んだ、前記狭帯域用端末用のＳＩ（System Information）の受信と、
前記セル再選択処理用パラメータを含んだＲＲＣ（Radio Resource Control）シグナリングの受信と、
前記セル再選択処理用パラメータとして規格で予め定められた複数の候補のうちの一つを示すインジケーションの取得と
のうちの少なくとも１つを含む、通信システム。
【請求項２】
前記ＳＩは、
スピードに関するパラメータと、
異周波数に関するパラメータと、
異無線アクセス技術に関するパラメータと、
プライオリティに関するパラメータと、
測定帯域に関するパラメータと、
ＲＳＲＱ（reference signal received quality）に関するパラメータと
のうちの少なくとも１つを含まない、請求項１に記載の通信システム。
【請求項３】
基地局が構成するセルと無線通信可能な通信端末であって、
前記通信端末は、前記セルで使用可能なシステム帯域よりも狭い帯域で無線通信を行う狭帯域用端末を含み、
前記狭帯域用端末は、セル再選択処理用パラメータを、予め定められた手法によって認識し、
前記予め定められた手法は、
前記セル再選択処理用パラメータとして規格で予め定められたパラメータの取得と、
前記セル再選択処理用パラメータを含んだＭＩＢ（Master Information Block）の受信と、
前記セル再選択処理用パラメータを含んだ、前記狭帯域用端末用のＳＩ（System Information）の受信と、
前記セル再選択処理用パラメータを含んだＲＲＣ（Radio Resource Control）シグナリングの受信と、
前記セル再選択処理用パラメータとして規格で予め定められた複数の候補のうちの一つを示すインジケーションの取得と
のうちの少なくとも１つを含む、通信端末。
【発明の詳細な説明】
【技術分野】
【０００１】
本発明は無線通信技術に関する。
【背景技術】
【０００２】
移動体通信システムの規格化団体である３ＧＰＰ（3rd Generation Partnership Project）において、無線区間についてはロングタームエボリューション（Long Term Evolution：ＬＴＥ）と称し、コアネットワークおよび無線アクセスネットワーク（以下、まとめて、ネットワークとも称する）を含めたシステム全体構成については、システムアーキテクチャエボリューション（System Architecture Evolution：ＳＡＥ）と称される通信方式が検討されている（例えば、非特許文献１〜１６参照）。この通信方式は３．９Ｇ（3.9 Generation）システムとも呼ばれる。
【０００３】
ＬＴＥのアクセス方式としては、下り方向はＯＦＤＭ（Orthogonal Frequency Division Multiplexing）、上り方向はＳＣ−ＦＤＭＡ（Single Carrier Frequency Division Multiple Access）が用いられる。また、ＬＴＥは、Ｗ−ＣＤＭＡ（Wideband Code Division Multiple Access）とは異なり、回線交換を含まず、パケット通信方式のみになる。
【０００４】
非特許文献１（５章）に記載される、３ＧＰＰでの、ＬＴＥシステムにおけるフレーム構成に関する決定事項について、図１を用いて説明する。図１は、ＬＴＥ方式の通信システムで使用される無線フレームの構成を示す説明図である。図１において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目および６番目のサブフレームに下り同期信号（Downlink Synchronization Signal）が含まれる。同期信号には、第一同期信号（Primary Synchronization Signal：Ｐ−ＳＳ）と、第二同期信号（Secondary Synchronization Signal：Ｓ−ＳＳ）とがある。
【０００５】
３ＧＰＰでの、ＬＴＥシステムにおけるチャネル構成に関する決定事項が、非特許文献１（５章）に記載されている。ＣＳＧ（Closed Subscriber Group）セルにおいてもｎｏｎ−ＣＳＧセルと同じチャネル構成が用いられると想定されている。
【０００６】
物理報知チャネル（Physical Broadcast channel：ＰＢＣＨ）は、基地局から移動端末への下り送信用のチャネルである。ＢＣＨトランスポートブロック（transport block）は、４０ｍｓ間隔中の４個のサブフレームにマッピングされる。４０ｍｓタイミングの明白なシグナリングはない。
【０００７】
物理制御フォーマットインジケータチャネル（Physical Control Format Indicator Channel：ＰＣＦＩＣＨ）は、基地局から移動端末への下り送信用のチャネルである。ＰＣＦＩＣＨは、ＰＤＣＣＨｓのために用いるＯＦＤＭ（Orthogonal Frequency Division Multiplexing）シンボルの数について基地局から移動端末へ通知する。ＰＣＦＩＣＨは、サブフレーム毎に送信される。
【０００８】
物理下り制御チャネル（Physical Downlink Control Channel：ＰＤＣＣＨ）は、基地局から移動端末への下り送信用のチャネルである。ＰＤＣＣＨは、後述のトランスポートチャネルの１つである下り共有チャネル（Downlink Shared Channel：ＤＬ−ＳＣＨ）のリソース割り当て（allocation）情報、後述のトランスポートチャネルの１つであるページングチャネル（Paging Channel：ＰＣＨ）のリソース割り当て（allocation）情報、ＤＬ−ＳＣＨに関するＨＡＲＱ（Hybrid Automatic Repeat reQuest）情報を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。
【０００９】
物理下り共有チャネル（Physical Downlink Shared Channel：ＰＤＳＣＨ）は、基地局から移動端末への下り送信用のチャネルである。ＰＤＳＣＨには、トランスポートチャネルである下り共有チャネル（ＤＬ−ＳＣＨ）、およびトランスポートチャネルであるＰＣＨがマッピングされている。
【００１０】
物理マルチキャストチャネル（Physical Multicast Channel：ＰＭＣＨ）は、基地局から移動端末への下り送信用のチャネルである。ＰＭＣＨには、トランスポートチャネルであるマルチキャストチャネル（Multicast Channel：ＭＣＨ）がマッピングされている。
【００１１】
物理上り制御チャネル（Physical Uplink Control Channel：ＰＵＣＣＨ）は、移動端末から基地局への上り送信用のチャネルである。ＰＵＣＣＨは、下り送信に対する応答信号（response signal）であるＡｃｋ／Ｎａｃｋを運ぶ。ＰＵＣＣＨは、ＣＱＩ（Channel Quality Indicator）レポートを運ぶ。ＣＱＩとは、受信したデータの品質、もしくは通信路品質を示す品質情報である。またＰＵＣＣＨは、スケジューリングリクエスト（Scheduling Request：ＳＲ）を運ぶ。
【００１２】
物理上り共有チャネル（Physical Uplink Shared Channel：ＰＵＳＣＨ）は、移動端末から基地局への上り送信用のチャネルである。ＰＵＳＣＨには、トランスポートチャネルの１つである上り共有チャネル（Uplink Shared Channel：ＵＬ−ＳＣＨ）がマッピングされている。
【００１３】
物理ＨＡＲＱインジケータチャネル（Physical Hybrid ARQ Indicator Channel：ＰＨＩＣＨ）は、基地局から移動端末への下り送信用のチャネルである。ＰＨＩＣＨは、上り送信に対する応答信号であるＡｃｋ／Ｎａｃｋを運ぶ。物理ランダムアクセスチャネル（Physical Random Access Channel：ＰＲＡＣＨ）は、移動端末から基地局への上り送信用のチャネルである。ＰＲＡＣＨは、ランダムアクセスプリアンブル（random access preamble）を運ぶ。
【００１４】
下り参照信号（リファレンスシグナル（Reference Signal）：ＲＳ）は、ＬＴＥ方式の通信システムとして既知のシンボルである。以下の５種類の下りリファレンスシグナルが定義されている。セル固有参照信号（Cell-specific Reference Signal：ＣＲＳ）、ＭＢＳＦＮ参照信号（MBSFN reference signal）、ＵＥ固有参照信号（UE-specific reference signal）であるデータ復調用参照信号（Demodulation Reference Signal：ＤＭ−ＲＳ）、位置決定参照信号（Positioning Reference Signal：ＰＲＳ）、チャネル情報参照信号（Channel-State Information Reference Signal：ＣＳＩ−ＲＳ）。移動端末の物理レイヤの測定として、リファレンスシグナルの受信電力（Reference Signal Received Power：ＲＳＲＰ）測定がある。
【００１５】
非特許文献１（５章）に記載されるトランスポートチャネル（Transport channel）について、説明する。下りトランスポートチャネルのうち、報知チャネル（Broadcast Channel：ＢＣＨ）は、その基地局（セル）のカバレッジ全体に報知される。ＢＣＨは、物理報知チャネル（ＰＢＣＨ）にマッピングされる。
【００１６】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）ともいわれる。ＤＬ−ＳＣＨは、移動端末の低消費電力化のために移動端末の間欠受信（Discontinuous reception：ＤＲＸ）をサポートする。ＤＬ−ＳＣＨは、物理下り共有チャネル（ＰＤＳＣＨ）へマッピングされる。
【００１７】
ページングチャネル（Paging Channel：ＰＣＨ）は、移動端末の低消費電力を可能とするために移動端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソースへマッピングされる。
【００１８】
マルチキャストチャネル（Multicast Channel：ＭＣＨ）は、基地局（セル）のカバレッジ全体への報知に使用される。ＭＣＨは、マルチセル送信におけるＭＢＭＳ（Multimedia Broadcast Multicast Service）サービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。
【００１９】
上りトランスポートチャネルのうち、上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。
【００２０】
ランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。
【００２１】
ＨＡＲＱについて説明する。ＨＡＲＱとは、自動再送要求（Automatic Repeat reQuest：ＡＲＱ）と誤り訂正（Forward Error Correction）との組合せにより、伝送路の通信品質を向上させる技術である。ＨＡＲＱには、通信品質が変化する伝送路に対しても、再送により誤り訂正が有効に機能するという利点がある。特に、再送にあたって初送の受信結果と再送の受信結果との合成をすることで、更なる品質向上を得ることも可能である。
【００２２】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。
【００２３】
非特許文献１（６章）に記載される論理チャネル（ロジカルチャネル：Logical channel）について、説明する。報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。
【００２４】
ページング制御チャネル（Paging Control Channel：ＰＣＣＨ）は、ページング情報（Paging Information）およびシステム情報（System Information）の変更を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。
【００２５】
共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を有していない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。
【００２６】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルであるマルチキャストチャネル（ＭＣＨ）へマッピングされる。
【００２７】
個別制御チャネル（Dedicated Control Channel：ＤＣＣＨ）は、１対１にて、移動端末とネットワークとの間の個別制御情報を送信するチャネルである。ＤＣＣＨは、移動端末がＲＲＣ接続（connection）である場合に用いられる。ＤＣＣＨは、上りでは上り共有チャネル（ＵＬ−ＳＣＨ）へマッピングされ、下りでは下り共有チャネル（ＤＬ−ＳＣＨ）にマッピングされる。
【００２８】
個別トラフィックチャネル（Dedicated Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。
【００２９】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、マルチキャストチャネル（ＭＣＨ）へマッピングされる。
【００３０】
ＣＧＩとは、セルグローバル識別子（Cell Global Identifier）のことである。ＥＣＧＩとは、Ｅ−ＵＴＲＡＮセルグローバル識別子（E-UTRAN Cell Global Identifier）のことである。ＬＴＥ、後述のＬＴＥ−Ａ（Long Term Evolution Advanced）およびＵＭＴＳ（Universal Mobile Telecommunication System）において、ＣＳＧ（Closed Subscriber Group）セルが導入される。
【００３１】
ＣＳＧ（Closed Subscriber Group）セルとは、利用可能な加入者をオペレータが特定しているセル（以下「特定加入者用セル」という場合がある）である。特定された加入者は、ＰＬＭＮ（Public Land Mobile Network）の１つ以上のセルにアクセスすることが許可される。特定された加入者がアクセスを許可されている１つ以上のセルを「ＣＳＧセル（ＣＳＧ  ｃｅｌｌ（ｓ））」と呼ぶ。ただし、ＰＬＭＮにはアクセス制限がある。
【００３２】
ＣＳＧセルは、固有のＣＳＧアイデンティティ（CSG identity：ＣＳＧ  ＩＤ；ＣＳＧ−ＩＤ）を報知し、ＣＳＧインジケーション（CSG Indication）にて「ＴＲＵＥ」を報知するＰＬＭＮの一部である。予め利用登録し、許可された加入者グループのメンバーは、アクセス許可情報であるところのＣＳＧ−ＩＤを用いてＣＳＧセルにアクセスする。
【００３３】
ＣＳＧ−ＩＤは、ＣＳＧセルまたはセルによって報知される。ＬＴＥ方式の通信システムにＣＳＧ−ＩＤは複数存在する。そして、ＣＳＧ−ＩＤは、ＣＳＧ関連のメンバーのアクセスを容易にするために、移動端末（ＵＥ）によって使用される。
【００３４】
移動端末の位置追跡は、１つ以上のセルからなる区域を単位に行われる。位置追跡は、待受け状態であっても移動端末の位置を追跡し、移動端末を呼び出す、換言すれば移動端末が着呼することを可能にするために行われる。この移動端末の位置追跡のための区域をトラッキングエリアと呼ぶ。
【００３５】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、およびＥ−ＵＴＲＡＮにおけるＨｅＮＢは、例えば家庭、法人、商業用のアクセスサービス向けの基地局である。非特許文献３には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）とが開示されている。
【００３６】
各々のモードは、以下のような特徴を有する。オープンアクセスモードでは、ＨｅＮＢおよびＨＮＢは、通常のオペレータのノーマルセルとして操作される。クローズドアクセスモードでは、ＨｅＮＢおよびＨＮＢは、ＣＳＧセルとして操作される。このＣＳＧセルは、ＣＳＧメンバーのみアクセス可能なＣＳＧセルである。ハイブリッドアクセスモードでは、ＨｅＮＢおよびＨＮＢは、非ＣＳＧメンバーも同時にアクセス許可されているＣＳＧセルとして操作される。言い換えれば、ハイブリッドアクセスモードのセル（ハイブリッドセルとも称する）は、オープンアクセスモードとクローズドアクセスモードとの両方をサポートするセルである。
【００３７】
３ＧＰＰでは、全ての物理セル識別子（Physical Cell Identity：ＰＣＩ）のうち、ＣＳＧセルで使用するためにネットワークによって予約されたＰＣＩ範囲がある（非特許文献１  １０．５．１．１章参照）。ＰＣＩ範囲を分割することをＰＣＩスプリットと称することがある。ＰＣＩスプリットに関する情報（ＰＣＩスプリット情報とも称する）は、システム情報によって基地局から傘下の移動端末に対して報知される。基地局の傘下とは、該基地局をサービングセルとすることを意味する。
【００３８】
非特許文献４は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。
【００３９】
また３ＧＰＰでは、リリース１０として、ロングタームエボリューションアドヴァンスド（Long Term Evolution Advanced：ＬＴＥ−Ａ）の規格策定が進められている（非特許文献５、非特許文献６参照）。ＬＴＥ−Ａは、ＬＴＥの無線区間通信方式を基本とし、それにいくつかの新技術を加えて構成される。
【００４０】
ＬＴＥ−Ａシステムでは、１００ＭＨｚまでのより広い周波数帯域幅（transmission bandwidths）をサポートするために、二つ以上のコンポーネントキャリア（Component Carrier：ＣＣ）を集約する（「アグリゲーション（aggregation）する」とも称する）、キャリアアグリゲーション（Carrier Aggregation：ＣＡ）が検討されている。
【００４１】
ＣＡが構成される場合、ＵＥはネットワーク（Network：ＮＷ）と唯一つのＲＲＣ接続（RRC connection）を有する。ＲＲＣ接続において、一つのサービングセルがＮＡＳモビリティ情報とセキュリティ入力を与える。このセルをプライマリセル（Primary Cell：ＰＣｅｌｌ）と呼ぶ。下りリンクで、ＰＣｅｌｌに対応するキャリアは、下りプライマリコンポーネントキャリア（Downlink Primary Component Carrier：ＤＬ  ＰＣＣ）である。上りリンクで、ＰＣｅｌｌに対応するキャリアは、上りプライマリコンポーネントキャリア（Uplink Primary Component Carrier：ＵＬ  ＰＣＣ）である。
【００４２】
ＵＥの能力（ケーパビリティ（capability））に応じて、セカンダリセル（Secondary Cell：ＳＣｅｌｌ）が、ＰＣｅｌｌと、サービングセルの組を形成するために構成される。下りリンクで、ＳＣｅｌｌに対応するキャリアは、下りセカンダリコンポーネントキャリア（Downlink Secondary Component Carrier：ＤＬ  ＳＣＣ）である。上りリンクで、ＳＣｅｌｌに対応するキャリアは、上りセカンダリコンポーネントキャリア（Uplink Secondary Component Carrier：ＵＬ  ＳＣＣ）である。
【００４３】
一つのＵＥに対して、一つのＰＣｅｌｌと、一つ以上のＳＣｅｌｌとからなるサービングセルの組が構成される。
【００４４】
また、ＬＴＥ−Ａでの新技術としては、より広い帯域をサポートする技術（Wider bandwidth extension）、および多地点協調送受信（Coordinated Multiple Point transmission and reception：ＣｏＭＰ）技術などがある。３ＧＰＰでＬＴＥ−Ａのために検討されているＣｏＭＰについては、非特許文献７に記載されている。
【００４５】
また、３ＧＰＰにおいて、将来の膨大なトラフィックに対応するために、スモールセルを構成するスモールｅＮＢを用いることが検討されている。例えば、多数のスモールｅＮＢを設置して、多数のスモールセルを構成することによって、周波数利用効率を高めて、通信容量の増大を図る技術などが検討されている。具体的には、ＵＥが２つのｅＮＢと接続して通信を行うデュアルコネクティビティ（dual connectivity）などがある。
【００４６】
また、人によるＵＥの操作が無くても通信を可能とするマシンタイプ通信（Machine Type Communication：ＭＴＣ）への要求が高まっている。ＭＴＣは、例えば、センシング、メータモニタリング、および荷物追跡モニタリングなどの多大なサービス形態に用いられる。
【００４７】
ＭＴＣへの要求の高まりに伴い、多大な数のＭＴＣ用端末（ＭＴＣ  ＵＥ）が扱われることが想定されている。したがって、ＭＴＣ用端末には、低コスト化および長寿命化が要求されている。３ＧＰＰでは、ＭＴＣ用端末の低コスト化技術の検討が行われている。
【００４８】
また、認可されたスペクトルであるライセンススペクトル（licensed spectrum）の補完的なツールとして、認可されていないスペクトルであるアンライセンススペクトル（unlicensed spectrum）を用いるシステムへの要求が高まっている。アンライセンススペクトル（unlicensed spectrum）の例として、無線ＬＡＮ（Local Area Network）などに用いられているＩＳＭ（Industrial, Scientific and Medical）バンドがある。３ＧＰＰでは、ＬＴＥを用いて、ライセンススペクトル（licensed spectrum）の補完的なツールとしてアンライセンススペクトル（unlicensed spectrum）を用いる、ＬＡＡ（Licensed-Assisted Access）が検討されている。
【００４９】
モバイルネットワークのトラフィック量は、増加傾向にあり、通信速度も高速化が進んでいる。ＬＴＥおよびＬＴＥ−Ａが本格的に運用を開始されると、更に通信速度が高速化され、トラフィック量が増加することが見込まれる。
【先行技術文献】
【非特許文献】
【００５０】
【非特許文献１】３ＧＰＰ  ＴＳ３６．３００  Ｖ１２．２．０
【非特許文献２】３ＧＰＰ  ＴＳ３６．３０４  Ｖ１２．１．０
【非特許文献３】３ＧＰＰ  Ｓ１−０８３４６１
【非特許文献４】３ＧＰＰ  Ｒ２−０８２８９９
【非特許文献５】３ＧＰＰ  ＴＲ  ３６．８１４  Ｖ９．０．０
【非特許文献６】３ＧＰＰ  ＴＲ  ３６．９１２  Ｖ１０．０．０
【非特許文献７】３ＧＰＰ  ＴＲ  ３６．８１９  Ｖ１１．２．０
【非特許文献８】３ＧＰＰ  ＴＳ  ３６．１４１  Ｖ１２．４．０
【非特許文献９】３ＧＰＰ  ＴＲ３６．８８８  Ｖ１２．０．０
【非特許文献１０】３ＧＰＰ  Ｒ１-１４４５６３
【非特許文献１１】３ＧＰＰ  Ｒ１-１４４６６２
【非特許文献１２】３ＧＰＰ  Ｒ１-１４５１０１
【非特許文献１３】３ＧＰＰ  Ｒ１-１４３９９２
【非特許文献１４】３ＧＰＰ  ＴＳ３６．２１３  Ｖ１２．１．０
【非特許文献１５】３ＧＰＰ  Ｒ１-１４５１３２
【非特許文献１６】３ＧＰＰ  Ｒ１-１４４２３６
【発明の概要】
【発明が解決しようとする課題】
【００５１】
低コストのＭＴＣ（Low Cost MTC：ＬＣ−ＭＴＣ）への要求事項として、帯域削減、カバレッジ拡張、および消費電力削減が挙げられている。帯域削減が行われるＬＣ−ＭＴＣ用ＵＥでは、システム帯域全体で報知されるシステム情報を受信することができないという問題が生じる。
【００５２】
また、カバレッジ拡張が行われるＬＣ−ＭＴＣ用ＵＥでは、拡張された領域でセルからの受信品質が劣化するので、繰返し送信を行うレピティション（repetition）送信が行われることが検討されている。しかし、ページング（Paging）およびシステム情報などは、従来レピティション送信が行われていないので、レピティション送受信方法が無いという問題が生じる。
【００５３】
また、ＬＴＥにアンライセンススペクトル（unlicensed spectrum）を使用する場合、アンライセンススペクトル（unlicensed spectrum）を使用する他のシステムとの公平な共存方法が必要である。したがって、ＬＡＡでは、データ送信の前にListen-before-talk（Clear channel assessment）を行う機能、長期間連続してデータ通信が行われないようにする機能などを備えることが要求されている。また、セルから何も送信されない場合に、ＵＥがアンライセンススペクトル（unlicensed spectrum）との同期あるいは測定（measurement）を可能にするために、アンライセンススペクトル（unlicensed spectrum）の同期用あるいは測定（measurement）用の信号を設けることが提案されている。
【００５４】
しかし、このような信号を送信する場合も、他のシステムとの衝突を避け、他のシステムとの公平性を保ち、共存を可能としなければならない。このようなアンライセンススペクトル（unlicensed spectrum）の同期用あるいは測定（measurement）用の信号についての公平な共存方法はまだ無いという問題がある。
【００５５】
本発明の目的は、多様なサービスをサポートする場合の通信端末の通信性能を向上させることができる通信システム等を提供することである。
【課題を解決するための手段】
【００５６】
本発明の通信システムは、通信端末と、前記通信端末と無線通信可能なセルを構成する基地局とを備える通信システムであって、前記通信端末は、前記セルで使用可能なシステム帯域よりも狭い帯域で無線通信を行う狭帯域用端末を含み、前記狭帯域用端末は、セル再選択処理用パラメータを、予め定められた手法によって認識し、前記予め定められた手法は、前記セル再選択処理用パラメータとして規格で予め定められたパラメータの取得と、前記セル再選択処理用パラメータを含んだＭＩＢ（Master Information Block）の受信と、前記セル再選択処理用パラメータを含んだ、前記狭帯域用端末用のＳＩ（System Information）の受信と、前記セル再選択処理用パラメータを含んだＲＲＣ（Radio Resource Control）シグナリングの受信と、前記セル再選択処理用パラメータとして規格で予め定められた複数の候補のうちの一つを示すインジケーションの取得とのうちの少なくとも１つを含むことを特徴とする。
本発明の通信端末は、基地局が構成するセルと無線通信可能な通信端末であって、前記通信端末は、前記セルで使用可能なシステム帯域よりも狭い帯域で無線通信を行う狭帯域用端末を含み、前記狭帯域用端末は、セル再選択処理用パラメータを、予め定められた手法によって認識し、前記予め定められた手法は、前記セル再選択処理用パラメータとして規格で予め定められたパラメータの取得と、前記セル再選択処理用パラメータを含んだＭＩＢ（Master Information Block）の受信と、前記セル再選択処理用パラメータを含んだ、前記狭帯域用端末用のＳＩ（System Information）の受信と、前記セル再選択処理用パラメータを含んだＲＲＣ（Radio Resource Control）シグナリングの受信と、前記セル再選択処理用パラメータとして規格で予め定められた複数の候補のうちの一つを示すインジケーションの取得とのうちの少なくとも１つを含むことを特徴とする。
【発明の効果】
【００５７】
本発明によれば、多様なサービスをサポートする場合の通信端末の通信性能を向上させることができる。
【００５８】
本発明の目的、特徴、局面、および利点は、以下の詳細な説明と添付図面とによって、より明白となる。
【図面の簡単な説明】
【００５９】
【図１】ＬＴＥ方式の通信システムで使用される無線フレームの構成を示す説明図である。
【図２】３ＧＰＰにおいて議論されているＬＴＥ方式の通信システム７００の全体的な構成を示すブロック図である。
【図３】本発明に係る移動端末である図２に示す移動端末７１の構成を示すブロック図である。
【図４】本発明に係る基地局である図２に示す基地局７２の構成を示すブロック図である。
【図５】本発明に係るＭＭＥの構成を示すブロック図である。
【図６】ＬＴＥ方式の通信システムにおいて移動端末（ＵＥ）が行うセルサーチから待ち受け動作までの概略を示すフローチャートである。
【図７】マクロｅＮＢとスモールｅＮＢとが混在する場合のセルの構成の概念を示す図である。
【図８】従来技術のＵＥのＲＲＣ＿Ｉｄｌｅ状態における処理の手順の一例を示すフローチャートである。
【図９】実施の形態１におけるＬＣ−ＭＴＣ  ＵＥのＲＲＣ＿Ｉｄｌｅ状態における処理の手順の一例を示すフローチャートである。
【図１０】実施の形態１の変形例１におけるＬＣ−ＭＴＣ  ＵＥのＲＲＣ＿Ｉｄｌｅ状態における処理の一例を示すフローチャートである。
【図１１】実施の形態１の変形例２におけるＬＣ−ＭＴＣ  ＵＥのＲＲＣ＿Ｉｄｌｅ状態における処理の一例を示すフローチャートである。
【図１２】実施の形態３におけるページングのレピティション送信方法の一例を示す図である。
【図１３】実施の形態３の変形例１におけるページングのレピティション送信方法の一例を示す図である。
【図１４】実施の形態３の変形例２におけるページングのレピティション送信が行われるサブフレームを、ＭＢＳＦＮサブフレームを除いたサブフレームから決定する場合のシーケンスの一例を示す図である。
【図１５】ＥＰＤＣＣＨの初送が行われるサブフレームと、レピティション送信が行われるサブフレームとが同一になる場合のフレーム構成の一例を示す図である。
【図１６】従来技術におけるページングメッセージの一例を示す図である。
【図１７】実施の形態４におけるページングメッセージの一例を示す図である。
【図１８】実施の形態４の変形例１におけるＥＰＤＣＣＨの初送とレピティション送信とが含まれるサブフレームの構成の一例を示す図である。
【図１９】実施の形態４の変形例１におけるＥＰＤＣＣＨの初送とレピティション送信とが含まれるサブフレームの構成の一例を示す図である。
【図２０】実施の形態７におけるアンライセンススペクトル（unlicensed spectrum）上でのセルのＤＳの送信およびＵＥの測定の状況の一例を示す図である。
【図２１】実施の形態７におけるアンライセンススペクトル（unlicensed spectrum）上でのセルのＤＳの送信およびＵＥの測定の状況の一例を示す図である。
【図２２】実施の形態７の変形例１における、アンライセンススペクトル（unlicensed spectrum）上でのセルのＤＳの送信およびＵＥの測定の状況の一例を示す図である。
【図２３】実施の形態７の変形例１におけるＤＳの送信とＵＥの測定とを用いた場合のデータ通信までの処理の一例を示す図である。
【図２４】実施の形態７の変形例１におけるＤＳの送信とＵＥの測定とを用いた場合のデータ通信までの処理の一例を示す図である。
【発明を実施するための形態】
【００６０】
実施の形態１．
図２は、３ＧＰＰにおいて議論されているＬＴＥ方式の通信システム７００の全体的な構成を示すブロック図である。図２について説明する。無線アクセスネットワークは、Ｅ−ＵＴＲＡＮ（Evolved Universal Terrestrial Radio Access Network）７０と称される。通信端末装置である移動端末装置（以下「移動端末（User Equipment：ＵＥ）」という）７１は、基地局装置（以下「基地局（E-UTRAN NodeB：ｅＮＢ）」という）７２と無線通信可能であり、無線通信で信号の送受信を行う。
【００６１】
移動端末７１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局７２で終端するならば、Ｅ−ＵＴＲＡＮは１つあるいは複数の基地局７２によって構成される。
【００６２】
移動端末７１と基地局７２との間の制御プロトコルＲＲＣ（Radio Resource Control）は、報知（Broadcast）、ページング（paging）、ＲＲＣ接続マネージメント（RRC connection management）などを行う。ＲＲＣにおける基地局７２と移動端末７１との状態として、ＲＲＣ＿Ｉｄｌｅと、ＲＲＣ＿Ｃｏｎｎｅｃｔｅｄとがある。
【００６３】
ＲＲＣ＿Ｉｄｌｅでは、ＰＬＭＮ（Public Land Mobile Network）選択、システム情報（System Information：ＳＩ）の報知、ページング（paging）、セル再選択（cell re-selection）、モビリティなどが行われる。ＲＲＣ＿Ｃｏｎｎｅｃｔｅｄでは、移動端末はＲＲＣ接続（connection）を有し、ネットワークとのデータの送受信を行うことができる。またＲＲＣ＿Ｃｏｎｎｅｃｔｅｄでは、ハンドオーバ（Handover：ＨＯ）、隣接セル（Neighbour cell）の測定（メジャメント（measurement））などが行われる。
【００６４】
基地局７２は、ｅＮＢ７６と、Ｈｏｍｅ−ｅＮＢ７５とに分類される。通信システム７００は、複数のｅＮＢ７６を含むｅＮＢ群７２−１と、複数のＨｏｍｅ−ｅＮＢ７５を含むＨｏｍｅ−ｅＮＢ群７２−２とを備える。またコアネットワークであるＥＰＣ（Evolved Packet Core）と、無線アクセスネットワークであるＥ−ＵＴＲＡＮ７０とで構成されるシステムは、ＥＰＳ（Evolved Packet System）と称される。コアネットワークであるＥＰＣと、無線アクセスネットワークであるＥ−ＵＴＲＡＮ７０とを合わせて、「ネットワーク」という場合がある。
【００６５】
ｅＮＢ７６は、移動管理エンティティ（Mobility Management Entity：ＭＭＥ）、あるいはＳ−ＧＷ（Serving Gateway）、あるいはＭＭＥおよびＳ−ＧＷを含むＭＭＥ／Ｓ−ＧＷ部（以下「ＭＭＥ部」という場合がある）７３とＳ１インタフェースにより接続され、ｅＮＢ７６とＭＭＥ部７３との間で制御情報が通信される。一つのｅＮＢ７６に対して、複数のＭＭＥ部７３が接続されてもよい。ｅＮＢ７６間は、Ｘ２インタフェースにより接続され、ｅＮＢ７６間で制御情報が通信される。
【００６６】
Ｈｏｍｅ−ｅＮＢ７５は、ＭＭＥ部７３とＳ１インタフェースにより接続され、Ｈｏｍｅ−ｅＮＢ７５とＭＭＥ部７３との間で制御情報が通信される。一つのＭＭＥ部７３に対して、複数のＨｏｍｅ−ｅＮＢ７５が接続される。あるいは、Ｈｏｍｅ−ｅＮＢ７５は、ＨｅＮＢＧＷ（Home-eNB GateWay）７４を介してＭＭＥ部７３と接続される。Ｈｏｍｅ−ｅＮＢ７５とＨｅＮＢＧＷ７４とは、Ｓ１インタフェースにより接続され、ＨｅＮＢＧＷ７４とＭＭＥ部７３とはＳ１インタフェースを介して接続される。
【００６７】
一つまたは複数のＨｏｍｅ−ｅＮＢ７５が一つのＨｅＮＢＧＷ７４と接続され、Ｓ１インタフェースを通して情報が通信される。ＨｅＮＢＧＷ７４は、一つまたは複数のＭＭＥ部７３と接続され、Ｓ１インタフェースを通して情報が通信される。
【００６８】
ＭＭＥ部７３およびＨｅＮＢＧＷ７４は、上位装置、具体的には上位ノードであり、基地局であるｅＮＢ７６およびＨｏｍｅ−ｅＮＢ７５と、移動端末（ＵＥ）７１との接続を制御する。ＭＭＥ部７３は、コアネットワークであるＥＰＣを構成する。基地局７２およびＨｅＮＢＧＷ７４は、Ｅ−ＵＴＲＡＮ７０を構成する。
【００６９】
さらに３ＧＰＰでは、以下のような構成が検討されている。Ｈｏｍｅ−ｅＮＢ７５間のＸ２インタフェースはサポートされる。すなわち、Ｈｏｍｅ−ｅＮＢ７５間は、Ｘ２インタフェースにより接続され、Ｈｏｍｅ−ｅＮＢ７５間で制御情報が通信される。ＭＭＥ部７３からは、ＨｅＮＢＧＷ７４はＨｏｍｅ−ｅＮＢ７５として見える。Ｈｏｍｅ−ｅＮＢ７５からは、ＨｅＮＢＧＷ７４はＭＭＥ部７３として見える。
【００７０】
Ｈｏｍｅ−ｅＮＢ７５が、ＨｅＮＢＧＷ７４を介してＭＭＥ部７３に接続される場合および直接ＭＭＥ部７３に接続される場合のいずれの場合も、Ｈｏｍｅ−ｅＮＢ７５とＭＭＥ部７３との間のインタフェースは、Ｓ１インタフェースで同じである。
【００７１】
基地局装置７２は、１つのセルを構成してもよいし、複数のセルを構成してもよい。各セルは、通信端末装置と通信可能な範囲であるカバレッジとして予め定める範囲を有し、カバレッジ内で通信端末装置と無線通信を行う。１つの基地局装置が複数のセルを構成する場合、１つ１つのセルが、移動端末と通信可能に構成される。
【００７２】
図３は、本発明に係る移動端末である図２に示す移動端末７１の構成を示すブロック図である。図３に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【００７３】
また、移動端末７１の受信処理は、以下のように実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図３では省略しているが、各部８０１〜８０９と接続している。
【００７４】
図４は、本発明に係る基地局である図２に示す基地局７２の構成を示すブロック図である。図４に示す基地局７２の送信処理を説明する。ＥＰＣ通信部９０１は、基地局７２とＥＰＣ（ＭＭＥ部７３など）、ＨｅＮＢＧＷ７４などとの間のデータの送受信を行う。他基地局通信部９０２は、他の基地局との間のデータの送受信を行う。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【００７５】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【００７６】
また、基地局７２の受信処理は以下のように実行される。一つもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図４では省略しているが、各部９０１〜９１０と接続している。
【００７７】
図５は、本発明に係るＭＭＥの構成を示すブロック図である。図５では、前述の図２に示すＭＭＥ部７３に含まれるＭＭＥ７３ａの構成を示す。ＰＤＮ  ＧＷ通信部１００１は、ＭＭＥ７３ａとＰＤＮ  ＧＷとの間のデータの送受信を行う。基地局通信部１００２は、ＭＭＥ７３ａと基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【００７８】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【００７９】
ＨｅＮＢＧＷ通信部１００４は、ＨｅＮＢＧＷ７４が存在する場合に設けられ、情報種別によって、ＭＭＥ７３ａとＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００８０】
制御プレイン制御部１００５には、ＮＡＳセキュリティ部１００５−１、ＳＡＥベアラコントロール部１００５−２、アイドルステート（Idle State）モビリティ管理部１００５−３などが含まれ、制御プレインに対する処理全般を行う。ＮＡＳセキュリティ部１００５−１は、ＮＡＳ（Non-Access Stratum）メッセージのセキュリティなどを行う。ＳＡＥベアラコントロール部１００５−２は、ＳＡＥ（System Architecture Evolution）のベアラの管理などを行う。アイドルステートモビリティ管理部１００５−３は、待受け状態（アイドルステート（Idle State）；ＬＴＥ−ＩＤＬＥ状態、または、単にアイドルとも称される）のモビリティ管理、待受け状態時のページング信号の生成および制御、傘下の１つあるいは複数の移動端末７１のトラッキングエリアの追加、削除、更新、検索、トラッキングエリアリスト管理などを行う。
【００８１】
ＭＭＥ７３ａは、１つまたは複数の基地局７２に対して、ページング信号の分配を行う。また、ＭＭＥ７３ａは、待受け状態（Idle State）のモビリティ制御（Mobility control）を行う。ＭＭＥ７３ａは、移動端末が待ち受け状態のとき、および、アクティブ状態（Active State）のときに、トラッキングエリア（Tracking Area）リストの管理を行う。ＭＭＥ７３ａは、ＵＥが登録されている（registered）追跡領域（トラッキングエリア：Tracking Area）に属するセルへ、ページングメッセージを送信することで、ページングプロトコルに着手する。ＭＭＥ７３ａに接続されるＨｏｍｅ−ｅＮＢ７５のＣＳＧの管理やＣＳＧ−ＩＤの管理、そしてホワイトリスト管理は、アイドルステートモビリティ管理部１００５−３で行ってもよい。
【００８２】
次に通信システムにおけるセルサーチ方法の一例を示す。図６は、ＬＴＥ方式の通信システムにおいて移動端末（ＵＥ）が行うセルサーチから待ち受け動作までの概略を示すフローチャートである。移動端末は、セルサーチを開始すると、ステップＳＴ１で、周辺の基地局から送信される第一同期信号（Ｐ−ＳＳ）、および第二同期信号（Ｓ−ＳＳ）を用いて、スロットタイミング、フレームタイミングの同期をとる。
【００８３】
Ｐ−ＳＳとＳ−ＳＳとを合わせて、同期信号（Synchronization Signal：ＳＳ）という。同期信号（ＳＳ）には、セル毎に割り当てられたＰＣＩに１対１に対応するシンクロナイゼーションコードが割り当てられている。ＰＣＩの数は５０４通りが検討されている。この５０４通りのＰＣＩを用いて同期をとるとともに、同期がとれたセルのＰＣＩを検出（特定）する。
【００８４】
次に同期がとれたセルに対して、ステップＳＴ２で、基地局からセル毎に送信される参照信号（リファレンスシグナル：ＲＳ）であるセル固有参照信号（Cell-specific Reference Signal：ＣＲＳ）を検出し、ＲＳの受信電力（Reference Signal Received Power：ＲＳＲＰ）の測定を行う。参照信号（ＲＳ）には、ＰＣＩと１対１に対応したコードが用いられている。そのコードで相関をとることによって他セルと分離できる。ステップＳＴ１で特定したＰＣＩから、該セルのＲＳ用のコードを導出することによって、ＲＳを検出し、ＲＳの受信電力を測定することが可能となる。
【００８５】
次にステップＳＴ３で、ステップＳＴ２までで検出された一つ以上のセルの中から、ＲＳの受信品質が最もよいセル、例えば、ＲＳの受信電力が最も高いセル、つまりベストセルを選択する。
【００８６】
次にステップＳＴ４で、ベストセルのＰＢＣＨを受信して、報知情報であるＢＣＣＨを得る。ＰＢＣＨ上のＢＣＣＨには、セル構成情報が含まれるＭＩＢ（Master Information Block）がマッピングされる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００８７】
次にステップＳＴ５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、トラッキングエリアコード（Tracking Area Code：ＴＡＣ）が含まれる。
【００８８】
次にステップＳＴ６で、移動端末は、ステップＳＴ５で受信したＳＩＢ１のＴＡＣと、移動端末が既に保有しているトラッキングエリアリスト内のトラッキングエリア識別子（Tracking Area Identity：ＴＡＩ）のＴＡＣ部分とを比較する。トラッキングエリアリストは、ＴＡＩリスト（TAI list）とも称される。ＴＡＩはトラッキングエリアを識別するための識別情報であり、ＭＣＣ（Mobile Country Code）と、ＭＮＣ（Mobile Network Code）と、ＴＡＣ（Tracking Area Code）とによって構成される。ＭＣＣは国コードである。ＭＮＣはネットワークコードである。ＴＡＣはトラッキングエリアのコード番号である。
【００８９】
移動端末は、ステップＳＴ６で比較した結果、ステップＳＴ５で受信したＴＡＣがトラッキングエリアリスト内に含まれるＴＡＣと同じならば、該セルで待ち受け動作に入る。比較して、ステップＳＴ５で受信したＴＡＣがトラッキングエリアリスト内に含まれなければ、移動端末は、該セルを通して、ＭＭＥなどが含まれるコアネットワーク（Core Network，ＥＰＣ）へ、ＴＡＵ（Tracking Area Update）を行うためにトラッキングエリアの変更を要求する。
【００９０】
コアネットワークを構成する装置（以下「コアネットワーク側装置」という場合がある）は、ＴＡＵ要求信号とともに移動端末から送られてくる該移動端末の識別番号（ＵＥ−ＩＤなど）をもとに、トラッキングエリアリストの更新を行う。コアネットワーク側装置は、移動端末に更新後のトラッキングエリアリストを送信する。移動端末は、受信したトラッキングエリアリストに基づいて、移動端末が保有するＴＡＣリストを書き換える（更新する）。その後、移動端末は、該セルで待ち受け動作に入る。
【００９１】
スマートフォンおよびタブレット端末の普及によって、セルラー系無線通信によるトラフィックが爆発的に増大しており、世界中で無線リソースの不足が懸念されている。これに対応して周波数利用効率を高めるために、小セル化し、空間分離を進めることが検討されている。
【００９２】
従来のセルの構成では、ｅＮＢによって構成されるセルは、比較的広い範囲のカバレッジを有する。従来は、複数のｅＮＢによって構成される複数のセルの比較的広い範囲のカバレッジによって、あるエリアを覆うように、セルが構成されている。
【００９３】
小セル化された場合、ｅＮＢによって構成されるセルは、従来のｅＮＢによって構成されるセルのカバレッジに比べて範囲が狭いカバレッジを有する。したがって、従来と同様に、あるエリアを覆うためには、従来のｅＮＢに比べて、多数の小セル化されたｅＮＢが必要となる。
【００９４】
以下の説明では、従来のｅＮＢによって構成されるセルのように、比較的広い範囲のカバレッジを構成するセル、すなわちカバレッジエリアが比較的広いセルを「マクロセル」といい、マクロセルを構成するｅＮＢを「マクロｅＮＢ」という。また、小セル化されたセルのように、比較的狭い範囲のカバレッジを構成するセル、すなわちカバレッジエリアが比較的狭いセルを「スモールセル」といい、スモールセルを構成するｅＮＢを「スモールｅＮＢ」という。
【００９５】
マクロｅＮＢは、例えば、非特許文献８に記載される「ワイドエリア基地局（Wide Area Base Station）」であってもよい。
【００９６】
スモールｅＮＢは、例えば、ローパワーノード、ローカルエリアノード、ホットスポットなどであってもよい。また、スモールｅＮＢは、ピコセルを構成するピコｅＮＢ、フェムトセルを構成するフェムトｅＮＢ、ＨｅＮＢ、ＲＲＨ（Remote Radio Head）、ＲＲＵ（Remote Radio Unit）、ＲＲＥ（Remote Radio Equipment）またはＲＮ（Relay Node）であってもよい。また、スモールｅＮＢは、非特許文献８に記載される「ローカルエリア基地局（Local Area Base Station）」または「ホーム基地局（Home Base Station）」であってもよい。
【００９７】
図７は、マクロｅＮＢとスモールｅＮＢとが混在する場合のセルの構成の概念を示す図である。マクロｅＮＢによって構成されるマクロセルは、比較的広い範囲のカバレッジ１３０１を有する。スモールｅＮＢによって構成されるスモールセルは、マクロｅＮＢ（マクロセル）のカバレッジ１３０１に比べて範囲が狭いカバレッジ１３０２を有する。
【００９８】
複数のｅＮＢが混在する場合、あるｅＮＢによって構成されるセルのカバレッジが、他のｅＮＢによって構成されるセルのカバレッジ内に含まれる場合がある。図７に示すセルの構成では、参照符号「１３０４」または「１３０５」で示されるように、スモールｅＮＢによって構成されるスモールセルのカバレッジ１３０２が、マクロｅＮＢによって構成されるマクロセルのカバレッジ１３０１内に含まれる場合がある。
【００９９】
また、参照符号「１３０５」で示されるように、複数、例えば２つのスモールセルのカバレッジ１３０２が、１つのマクロセルのカバレッジ１３０１内に含まれる場合もある。移動端末（ＵＥ）１３０３は、例えばスモールセルのカバレッジ１３０２内に含まれ、スモールセルを介して通信を行う。
【０１００】
また図７に示すセルの構成では、参照符号「１３０６」で示されるように、マクロｅＮＢによって構成されるマクロセルのカバレッジ１３０１と、スモールｅＮＢによって構成されるスモールセルのカバレッジ１３０２とが複雑に重複する場合が生じる。
【０１０１】
また、参照符号「１３０７」で示されるように、マクロｅＮＢによって構成されるマクロセルのカバレッジ１３０１と、スモールｅＮＢによって構成されるスモールセルのカバレッジ１３０２とが重複しない場合も生じる。
【０１０２】
さらには、参照符号「１３０８」で示されるように、多数のスモールｅＮＢによって構成される多数のスモールセルのカバレッジ１３０２が、一つのマクロｅＮＢによって構成される１つのマクロセルのカバレッジ１３０１内に構成される場合も生じる。
【０１０３】
人によるＵＥの操作が無くても通信を可能とするマシンタイプ通信（Machine Type Communication：ＭＴＣ）への要求が高まっている。ＭＴＣは、例えば、センシング、メータモニタリング、および荷物追跡モニタリングなどの多大なサービス形態に用いられる。
【０１０４】
ＭＴＣへの要求の高まりに伴い、多大な数のＭＴＣ用端末（ＭＴＣ  ＵＥ）が扱われることが想定されている。したがって、ＭＴＣ用端末には、低コスト化および長寿命化が要求されている。
【０１０５】
３ＧＰＰでは、ＭＴＣ用端末の低コスト化技術の検討が行われている（非特許文献９参照）。低コストのＭＴＣ（Low Cost MTC：ＬＣ−ＭＴＣ）への要求事項として、以下の（１）〜（３）の３つの事項が挙げられている。
【０１０６】
（１）帯域削減（reduced bandwidth）
（２）カバレッジ拡張（coverage enhancement）
（３）消費電力削減（power consumption reduction）
【０１０７】
３ＧＰＰでは、これらの要求事項を満たすための解決策が検討されている。低コストのＭＴＣ用端末装置であるＬＣ−ＭＴＣ用ＵＥ（以下「ＬＣ−ＭＴＣ  ＵＥ」という場合がある）について、以下に説明する。
【０１０８】
従来、システム情報（System Information：ＳＩ）は、システム帯域全体でＰＤＣＣＨおよびＰＤＳＣＨを用いて報知される。しかし、サポートする帯域の削減が要求されるＬＣ−ＭＴＣ  ＵＥは、システム帯域全体で報知されるＳＩを受信することができない。したがって、ＬＣ−ＭＴＣ  ＵＥに対するＳＩの新たな通知方法が検討されている。ここで、サポートする帯域の削減が要求されるＬＣ−ＭＴＣ  ＵＥは、セルで使用可能なシステム帯域よりも狭い帯域で無線通信を行うので、狭帯域用端末装置に相当する。
【０１０９】
ＳＩは、繰り返し報知しなければならないので、ＬＣ−ＭＴＣ  ＵＥに対して通知するＳＩの削減が要求される。削減するＳＩとしては、初期アクセスに用いられるＳＩＢであるＳＩＢ１、ＳＩＢ２およびＳＩＢ１４以外のパラメータが挙げられている（非特許文献１０参照）。したがって、削減するパラメータの中には、ＳＩＢ３、ＳＩＢ４、ＳＩＢ５およびＳＩＢ６のセル再選択用のシステム情報も入ることになる。
【０１１０】
しかし、ＲＲＣ＿Ｉｄｌｅ状態のＵＥは、セル再選択処理を行わなければならない（非特許文献２参照）。また、ＲＲＣ＿Ｉｄｌｅ状態のＵＥは、同一トラッキングエリア内であれば、ＲＲＣ接続を行うことなく、ＲＲＣ＿Ｉｄｌｅ状態を維持したまま、セル間の移動を行う。
【０１１１】
図８は、従来技術のＵＥのＲＲＣ＿Ｉｄｌｅ状態における処理の手順を示すフローチャートである。ステップＳＴ８００１において、ＲＲＣ＿Ｉｄｌｅ状態のＵＥは、セルＡにキャンプオン（camp on）する。
【０１１２】
ステップＳＴ８００２において、セルＡにキャンプオンしているＲＲＣ＿Ｉｄｌｅ状態のＵＥは、間欠受信（Discontinuous reception：ＤＲＸ）を行う。
【０１１３】
ステップＳＴ８００３において、ＵＥは、セル再選択（cell reselection）処理を行う。具体的には、ＵＥは、セルＡが報知する、セル再選択処理に関するシステム情報（以下「セル再選択用システム情報」という場合がある）を受信し、セル再選択用システム情報を用いてセル再選択処理を行う。
【０１１４】
ステップＳＴ８００４において、ＵＥは、セル再選択処理の結果として、セルＸを検出する。
【０１１５】
ステップＳＴ８００５において、ＵＥは、検出したセルＸの報知情報を受信し、受信した報知情報に基づいて、検出したセルＸのＳＩＢ１のＴＡＣが、セル再選択処理の前にキャンプオンしていたセルＡから受信したＴＡＣと同じか否かを判断する。検出したセルＸのＳＩＢ１のＴＡＣが、セルＡから受信したＴＡＣと異なる場合は、ステップＳＴ８００６に移行する。検出したセルＸのＳＩＢ１のＴＡＣが、セルＡから受信したＴＡＣと同じ場合は、ＵＥは、ＲＲＣ＿Ｉｄｌｅ状態を維持したまま、ステップＳＴ８００７に移行する。
【０１１６】
ステップＳＴ８００６において、ＵＥは、検出したセルＸを介して、ＴＡＵ（Tracking Area Update）を行う。ＴＡＵの処理を行った後は、ＵＥは、ＲＲＣ＿Ｉｄｌｅ状態に戻り、ステップＳＴ８００７に移行する。
【０１１７】
ステップＳＴ８００７において、ＵＥは、検出したセルＸにキャンプオンする。ＵＥは、検出したセルＸにキャンプオンすると、ステップＳＴ８００２に戻り、検出したセルＸの間欠受信周期に従って、再度、前述のステップＳＴ８００２〜ステップＳＴ８００７の処理を行う。
【０１１８】
ＬＣ−ＭＴＣ  ＵＥに通知するＳＩの削減が行われ、ＬＣ−ＭＴＣ  ＵＥがセル再選択用のシステム情報を取得できない場合、該ＵＥは、ＲＲＣ＿Ｉｄｌｅ状態のときにセル再選択処理を行うことができなくなるという問題が生じる。
【０１１９】
セル再選択処理を行うことができなくなると、キャンプオンしているサービングセルの受信品質が低下した場合、ＵＥが圏外に移行してしまうという問題が生じる。
【０１２０】
また、ＵＥがＲＲＣ＿Ｉｄｌｅ状態から圏外に移行した場合、間欠受信（ＤＲＸ）周期などの設定がリセットされ、該ＵＥは、ページングメッセージを受信できなくなるという問題が生じる。
【０１２１】
本実施の形態では、これらの問題を解決する方法を開示する。ＬＣ−ＭＴＣ  ＵＥは、間欠受信周期用タイマ（以下「間欠受信タイマ」という場合がある）の完了時、サービングセルに同期して、ページングメッセージの検出動作を行う。ＬＣ−ＭＴＣ  ＵＥは、圏外に移行したとしても、間欠受信タイマをアクティブ（active）にしておく。言い換えると、間欠受信タイマを維持する。圏外で間欠受信タイマを維持している状態を、新たな状態としてもよい。または、ＲＲＣ＿Ｉｄｌｅ状態の中の一つの状態としてもよい。
【０１２２】
ＬＣ−ＭＴＣ  ＵＥは、セル再選択用システム情報を、セルから受信しなくてもよい。セルは、ＬＣ−ＭＴＣ  ＵＥに対して、セル再選択用システム情報を通知しなくてもよい。ＬＣ−ＭＴＣ  ＵＥは、ＲＲＣ＿Ｉｄｌｅ状態のとき、セル再選択処理を行わなくてもよい。
【０１２３】
このようにすることによって、ＬＣ−ＭＴＣ  ＵＥは、セル再選択用システム情報が無くても、間欠受信を行うことが可能となり、ページングメッセージの受信が可能となる。
【０１２４】
図９は、実施の形態１におけるＬＣ−ＭＴＣ  ＵＥのＲＲＣ＿Ｉｄｌｅ状態における処理の手順の一例を示すフローチャートである。
【０１２５】
ステップＳＴ９００１において、ＲＲＣ＿Ｉｄｌｅ状態のＬＣ−ＭＴＣ  ＵＥは、例えばセルＡにキャンプオンする。
【０１２６】
ステップＳＴ９００２において、セルＡにキャンプオンしているＲＲＣ＿Ｉｄｌｅ状態のＬＣ−ＭＴＣ  ＵＥは、間欠受信を行う。ＬＣ−ＭＴＣ  ＵＥは、セルＡから、セル再選択用システム情報を受信せず、セル再選択処理を行わない。
【０１２７】
ステップＳＴ９００３において、ＬＣ−ＭＴＣ  ＵＥは、キャンプオンしているセルＡから送信される信号の受信状態を判断する。具体的には、ＬＣ−ＭＴＣ  ＵＥは、セルの受信品質が劣化しておらず、受信可能か否かを判断する。受信可能であると判断された場合は、ステップＳＴ９００２に戻り、間欠受信処理を継続する。受信可能でない、すなわち受信不可能であると判断された場合は、予め定める移行条件を満足すると判断して、ステップＳＴ９００４に移行する。
【０１２８】
ステップＳＴ９００４において、ＬＣ−ＭＴＣ  ＵＥは、圏外に移行する。圏外に移行する判断としては、例えば、サービングセルの受信品質が予め定める閾値以下となった場合、圏外に移行すると判断するとよい。
【０１２９】
予め定める閾値は、予め規格などで静的に決めておいてもよいし、ＬＣ−ＭＴＣ  ＵＥ用のＳＩのパラメータとして新設してセルが報知してもよいし、ＬＣ−ＭＴＣ  ＵＥに個別にＲＲＣシグナリングでセルが通知してもよい。予め定める閾値は、ＬＣ−ＭＴＣ  ＵＥの端末能力に応じて決めてもよい。
【０１３０】
ＬＣ−ＭＴＣ  ＵＥは、圏外状態でも間欠受信タイマ（ＤＲＸタイマ）を維持する。圏外状態でも、少なくとも間欠受信タイマを維持することによって、ＬＣ−ＭＴＣ  ＵＥは、間欠受信タイミングを特定することが可能となる。
【０１３１】
ステップＳＴ９００５において、ＬＣ−ＭＴＣ  ＵＥは、間欠受信タイマが完了したか否かを判断する。間欠受信タイマが完了していない、すなわち未完了であると判断された場合は、間欠受信タイマが完了するまでステップＳＴ９００５の処理を行う。間欠受信タイマが完了したと判断された場合は、ステップＳＴ９００２に戻り、圏外に移行する前にキャンプオンしていたセルＡに対して同期をとり、間欠受信を行う。
【０１３２】
ＬＣ−ＭＴＣ  ＵＥは、圏外に移行する前にキャンプオンしていたセルと同期をとるための情報、およびセルから受信したシステム情報を保持しておくとよい。同期をとるための情報の例としては、セル識別子などがある。
【０１３３】
図９に示すフローチャートでは、間欠受信タイマが完了したと判断された場合に、キャンプオンしていたセルに対して同期をとり、間欠受信を行うようにしている。したがって、同期をとるために必要な時間など、間欠受信を行うまでに必要な時間も考慮して、間欠受信タイマを設定するとよい。例えば、間欠受信周期の１周期分が経過する時刻よりも早めの時刻に設定するか、あるいは間欠受信周期よりも短めの時間に設定するとよい。
【０１３４】
本実施の形態では、ＬＣ−ＭＴＣ  ＵＥは、セル再選択処理を行わないので、サービングセルの受信品質、例えばＲＳＲＰ（Reference Signal Received Power）、ＲＳＲＱ（Reference Signal Received Quality）などのセルのリファレンスシグナル（ＲＳ）の受信品質が劣化した場合は、圏外に移行する。
【０１３５】
従来は、ＵＥが圏外に移行した場合、ＲＲＣ＿Ｉｄｌｅ状態から離脱し、キャンプオンしていたセルのための設定をリセットする。したがって、間欠受信タイマもリセットされてしまう。
【０１３６】
しかし、本実施の形態では、圏外に移行しても、間欠受信タイマは維持しておく。このようにすることによって、一旦圏外に移行しても、間欠受信タイマを用いて、再度キャンプオンしていたセルに間欠受信を行うことが可能となる。セルは、ページングメッセージが有る場合、間欠受信周期でＬＣ−ＭＴＣ  ＵＥにページングメッセージを通知するので、ＬＣ−ＭＴＣ  ＵＥは、セルから通知されるページングメッセージを受信することが可能となる。
【０１３７】
本実施の形態で開示した方法を用いることによって、ＬＣ−ＭＴＣ  ＵＥは、セル再選択用の情報が無くても、ＲＲＣ＿Ｉｄｌｅ状態を維持することができる。したがって、ページングメッセージの受信が可能となる。これによって、ＬＣ−ＭＴＣ  ＵＥは、例えばＭＴＣオペレータまたはＭＴＣサーバなどから通知されるコマンドおよびデータを受信することが可能となる。
【０１３８】
また、セルは、ＬＣ−ＭＴＣ  ＵＥに対して、セル再選択用の情報を報知する必要がないので、報知するＳＩの情報量を削減することができる。また、ＬＣ−ＭＴＣ  ＵＥは、セル再選択処理およびセル選択処理を行わないので、ＬＣ−ＭＴＣ  ＵＥの低消費電力化を図ることができる。また、処理数を低減できるので、構成が容易となり、システムとしての誤動作を低減させることができる。
【０１３９】
圏外で間欠受信タイマを維持している状態、すなわち、ＲＲＣ＿Ｉｄｌｅ状態の中の一つの状態を設けることを開示したが、この場合、従来の圏外への移行処理ができなくなってしまう。
【０１４０】
新たに、従来の圏外に移行する処理を設けるとよい。ＬＣ−ＭＴＣ  ＵＥにおいて、間欠受信を予め定める回数失敗した場合に、従来の圏外に移行する。間欠受信タイミングにおいて、セルに同期をとれない場合、ならびに制御信号または制御チャネルを受信できない場合は、間欠受信は失敗したとするとよい。間欠受信の失敗として、図９のステップＳＴ９００３において、受信品質の劣化による受信不可の場合としてもよい。
【０１４１】
予め定める回数失敗した場合としては、連続して予め定める回数にわたって失敗した場合としてもよいし、予め定める期間にわたって予め定める回数失敗した場合としてもよい。予め定める回数、予め定める期間などのＬＣ−ＭＴＣ  ＵＥが従来の圏外に移行するために必要な情報は、予め規格などで決めておいてもよいし、ＬＣ−ＭＴＣ  ＵＥ用のＳＩとして報知してもよい。あるいは、初期アクセス時のＲＲＣ接続時にセルから通知されてもよい。
【０１４２】
このようにすることによって、ＬＣ−ＭＴＣ  ＵＥは、間欠受信タイマを維持し、間欠受信を繰り返す状態を永久に続けることがなくなる。したがって、ＬＣ−ＭＴＣ  ＵＥの消費電力を削減することが可能となる。
【０１４３】
実施の形態１  変形例１.
本変形例では、実施の形態１で示した課題を解決する他の方法について開示する。ＬＣ−ＭＴＣ  ＵＥは、圏外に移行した場合、セル選択処理を行う。セル選択処理を起動するトリガの例としては、圏外に移行したときとしてもよいし、圏外に移行した後、間欠受信タイマが完了したときとしてもよい。
【０１４４】
ＬＣ−ＭＴＣ  ＵＥは、セル再選択用システム情報を、セルから受信しなくてもよい。セルは、ＬＣ−ＭＴＣに対して、セル再選択用システム情報を通知しなくてもよい。ＬＣ−ＭＴＣ  ＵＥは、ＲＲＣ＿Ｉｄｌｅ時、セル再選択処理を行わなくてもよい。
【０１４５】
このようにすることによって、ＬＣ−ＭＴＣ  ＵＥは、セル再選択用の情報が無くても、間欠受信が可能となり、ページングメッセージの受信が可能となる。
【０１４６】
セル選択処理を起動するトリガを、圏外に移行したときとした場合、速やかにセル選択処理を行うことができるので、電波伝搬環境の変動に応じて、良好なセルを迅速に検出することができ、良好なセルとの通信に速やかに移行することが可能となる。
【０１４７】
セル選択処理を起動するトリガを、間欠受信タイマが完了したときとした場合、セルの検出が間欠受信周期に合わせて行われるので、迅速にセルを検出することはできず、遅延が生じる可能性がある。しかし、セル選択処理で、圏外に移行する前にキャンプオンしていたセルを選択した場合に、無駄な受信をしなくて済むので、ＬＣ−ＭＴＣ  ＵＥの消費電力を削減することが可能となる。
【０１４８】
セル選択処理を起動するトリガを、間欠受信タイマが完了したときとした場合、ＬＣ−ＭＴＣ  ＵＥは、圏外に移行したとき、間欠受信タイマを維持するとよい。圏外で間欠受信タイマを維持している状態を、新たな状態としてもよい。または、ＲＲＣ＿Ｉｄｌｅ状態の中の一つの状態としてもよい。
【０１４９】
ＬＣ−ＭＴＣ  ＵＥは、セル選択処理においてセルを選択した場合、必ずしもＲＲＣ接続確立（RRC connection establishment）処理を行わないようにするとよい。
【０１５０】
セルを選択した後、選択したセルが選択前のセルと同じトラッキングエリア（ＴＡ）に属する場合、ＲＲＣ接続確立処理を行わず、選択したセルの報知情報に従い、ＲＲＣ＿Ｉｄｌｅ状態に移行する。
【０１５１】
セルを選択した後、選択したセルが選択前のセルと同じトラッキングエリア（ＴＡ）に属さない場合、ＲＲＣ接続確立処理を行い、ＴＡＵを行う。
【０１５２】
このようにすることによって、必要に応じて、セルを選択した後のＲＲＣ接続確立処理を省くことができるので、ＬＣ−ＭＴＣ  ＵＥの消費電力を低減することが可能となる。
【０１５３】
ＬＣ−ＭＴＣ  ＵＥは、セル選択処理においてセルを選択した場合、必ずしもＲＲＣ接続確立（RRC connection establishment）処理を行わないようにするとよいことを開示したが、周期的ＴＡＵは行うようにしてもよい。周期的ＴＡＵのためのＲＲＣ接続確立（RRC connection establishment）処理は行うようにしてもよい。このようにすることによって、コアネットワーク側によるＬＣ−ＭＴＣ  ＵＥの移動管理が可能となる。
【０１５４】
ＬＣ−ＭＴＣ  ＵＥは、セル選択処理によってセルを選択できなかった場合、従来の圏外に移行する。
【０１５５】
実施の形態１で開示した従来の圏外への移行処理を適用してもよい。ＬＣ−ＭＴＣ  ＵＥにおいて、間欠受信の代わりにセル選択処理を行い、セル選択処理を予め定める回数失敗した場合に、従来の圏外に移行するとしてもよい。このようにすることによって、暫時的な電波伝搬環境の悪化が存在する場合には、セル選択が可能となる。
【０１５６】
図１０は、実施の形態１の変形例１におけるＬＣ−ＭＴＣ  ＵＥのＲＲＣ＿Ｉｄｌｅ時の処理を示すフローチャートの一例である。図１０に示すフローチャートは、前述の図９に示すフローチャートと類似しているので、同一のステップについては同一のステップ番号を付して、共通する説明を省略する。
【０１５７】
図１０では、セル選択処理を起動するトリガを、間欠受信タイマが完了したときの例を示している。ＬＣ−ＭＴＣ  ＵＥは、圏外に移行した場合も間欠受信タイマを維持する。
【０１５８】
ステップＳＴ９００１〜ステップＳＴ９００４の処理を行った後、ステップＳＴ９００５において、ＬＣ−ＭＴＣ  ＵＥは、間欠受信タイマが完了したか否かを判断する。間欠受信タイマが未完了である場合は、間欠受信タイマが完了するまでステップＳＴ９００５の処理を行う。間欠受信タイマが完了した場合は、ステップＳＴ１００１に移行する。
【０１５９】
ステップＳＴ１００１において、ＬＣ−ＭＴＣ  ＵＥは、セル選択処理を起動する。
【０１６０】
ステップＳＴ１００２において、ＬＣ−ＭＴＣ  ＵＥは、セル選択処理によってセルＸを選択する。
【０１６１】
ステップＳＴ１００３において、選択したセルＸが、圏外移行前にキャンプオンしていたセルか否かを判断する。ステップＳＴ１００２において、選択したセルＸが、圏外移行前にキャンプオンしていたセルであると判断された場合は、ステップＳＴ９００２に戻り、間欠受信を行う。圏外移行前にキャンプオンしていたセルで間欠受信タイマをアクティブにしているので、間欠受信タイマが完了したと判断した後、即座に該セルに対して間欠受信が可能となる。
【０１６２】
選択したセルＸが、圏外移行前にキャンプオンしていたセルである場合は、このようにすることによって、ＬＣ−ＭＴＣ  ＵＥがセルを選択した後の処理である、ステップＳＴ１００４からステップＳＴ１００６の処理を省略することが可能となる。これによって、ＬＣ−ＭＴＣ  ＵＥの低消費電力化を図ることができる。
【０１６３】
ステップＳＴ１００２において、選択したセルＸが、圏外移行前にキャンプオンしていたセルでないと判断された場合は、ステップＳＴ１００４に移行する。
【０１６４】
ステップＳＴ１００４において、ＵＥは、選択したセルＸの報知情報を受信し、受信した報知情報に基づいて、選択したセルＸのＳＩＢ１のＴＡＣが、圏外移行前にキャンプオンしていたセルＡから受信したＴＡＣと同じか否かを判断する。選択したセルＸのＳＩＢ１のＴＡＣが、セルＡから受信したＴＡＣと異なる場合は、ステップＳＴ１００５に移行し、選択したセルＸのＳＩＢ１のＴＡＣが、セルＡから受信したＴＡＣと同じ場合は、ＵＥは、ＲＲＣ＿Ｉｄｌｅ状態を維持したまま、ステップＳＴ１００６に移行する。
【０１６５】
ステップＳＴ１００５において、ＵＥは、選択したセルＸを介して、ＴＡＵを行う。ＴＡＵの処理を行った後は、ＲＲＣ＿Ｉｄｌｅ状態に戻り、ステップＳＴ１００６に移行する。
【０１６６】
ステップＳＴ１００６において、ＵＥは、選択したセルＸにキャンプオンする。ＵＥがセルＸにキャンプオンすると、選択したセルＸの間欠受信周期に従って、ステップＳＴ９００２に戻り、再度、前述のステップＳＴ９００２〜ステップＳＴ１００６の処理を行う。
【０１６７】
ステップＳＴ１００２において、セル選択処理によってセルを選択できなかった場合は、従来の圏外に移行する。
【０１６８】
ステップＳＴ１００２において、セル選択処理によって、圏外に移行する前にキャンプオンしていたセルを選択した場合、ステップＳＴ９００２の間欠受信処理には移行せずに、ステップＳＴ１００４に移行してもよい。ステップＳＴ１００３の判断処理を省略してもよい。
【０１６９】
圏外に移行する前にキャンプオンしていたセルを選択した場合は、即座に間欠受信を行うことができなくなるが、ステップＳＴ１００３の処理を省略できるので、制御を簡易にすることが可能となる。
【０１７０】
ＬＣ−ＭＴＣ  ＵＥは、圏外に移行する前にキャンプオンしていたセルと同期をとるための情報、およびセルから受信したシステム情報を保持しておくとよい。同期をとるための情報の例としては、セル識別子などがある。
【０１７１】
セル選択処理を起動するトリガを、間欠受信タイマが完了したときとした場合、セル選択処理に必要な時間など、間欠受信を行うまでに必要な時間も考慮して、間欠受信タイマを設定するとよい。例えば、間欠受信周期の１周期分が経過する時刻よりも早めの時刻に設定するか、あるいは間欠受信周期よりも短めの時間に設定するとよい。
【０１７２】
本変形例で開示した方法によって、実施の形態１と同様の効果を得ることができる。また、セル再選択処理を行わないので、ＬＣ−ＭＴＣ  ＵＥの低消費電力化を図ることができる。また、処理数を低減できるので、構成が容易となり、システムとしての誤動作を低減することができる。
【０１７３】
前述の実施の形態１で開示した方法では、初期アクセスで一旦セルを選択した場合、以降は、サービングセルは変わらない。これに対して、本変形例では、ＬＣ−ＭＴＣ  ＵＥが圏外に移行した場合、セル選択処理が起動されるので、サービングセルの変更が可能となる。
【０１７４】
したがって、圏外移行前にキャンプオンしていたセルとの電波伝搬環境が劣化した場合でも、新たなセルを選択できるので、安定した通信システムを構築することが可能となる。
【０１７５】
間欠受信タイマとして、新たな間欠受信タイマを設けてもよい。圏外で間欠受信タイマを維持している状態で有効な間欠受信周期タイマとする。
【０１７６】
新たな間欠受信タイマは、システムで共通であってもよいし、ＭＴＣまたはＬＣ−ＭＴＣ  ＵＥで共通であってもよいし、セル毎としてもよい。あるいは、新たな間欠受信タイマは、予め定めるグループで共通としてもよい。あるいは、新たな間欠受信タイマは、ＬＣ−ＭＴＣ  ＵＥ毎としてもよい。
【０１７７】
ＬＣ−ＭＴＣ  ＵＥが新たな間欠受信タイマを認識する方法の具体例として、以下の（１）〜（５）の５つを開示する。
【０１７８】
（１）予め規格などで静的に決める。システムで共通とした場合、ＬＣ−ＭＴＣ  ＵＥで共通とした場合に適用すると効果的である。セルがＬＣ−ＭＴＣ  ＵＥに通知する情報量を削減することができる。
【０１７９】
（２）ＭＩＢで通知。セル毎とした場合に適用すると効果的である。ＭＩＢは、システム帯域中央の６つのリソースブロック（６ＲＢｓ）で通知されるので、たとえ帯域が削減されたＬＣ−ＭＴＣ  ＵＥであっても受信可能となる。
【０１８０】
（３）ＬＣ−ＭＴＣ  ＵＥ用のＳＩで通知。セル毎とした場合、あるいは、ＬＣ−ＭＴＣ  ＵＥ毎とした場合に適用すると効果的である。ＬＣ−ＭＴＣ  ＵＥのＲＲＣ状態（ＲＲＣ＿Ｉｄｌｅ、ＲＲＣ＿Ｃｏｎｎｅｃｔｅｄ）に関わらず、受信可能となる。
【０１８１】
（４）ＲＲＣシグナリングで通知。この場合、初期アクセス（Initial access）時に通知するとしてもよい。セル毎とした場合、あるいは、ＬＣ−ＭＴＣ  ＵＥ毎とした場合に適用するとよい。ＭＩＢ、ＳＩで通知する場合に比べて、多量のパラメータを通知することができる。逆に、ＭＩＢ、ＳＩで通知する情報量を削減することができる。
【０１８２】
（５）複数のタイマ値を、予め規格などで静的に決めておき、各タイマ値に対応したインジケーション（indication）を設けておく。ＭＩＢあるいはＬＣ−ＭＴＣ  ＵＥ用のＳＩに前記インジケーションを含めて、ＬＣ−ＭＴＣ  ＵＥに通知するとよい。セル毎とした場合、あるいは、ＬＣ−ＭＴＣ  ＵＥ毎とした場合に適用すると効果的である。ＭＩＢまたはＳＩの情報量を削減することができる。
【０１８３】
実施の形態1  変形例２.
本変形例では、実施の形態１で示した課題を解決する他の方法について開示する。ＬＣ−ＭＴＣ  ＵＥは、ＲＲＣ＿Ｉｄｌｅ時、セル選択処理を行う。セル選択処理は、圏外に移行する前に行うようにするとよい。従来のセル再選択処理に代えて、セル選択処理を行うようにしてもよい。
【０１８４】
ＬＣ−ＭＴＣ  ＵＥは、セル再選択用システム情報を、セルから受信しなくてもよい。セルは、ＬＣ−ＭＴＣに対して、セル再選択用システム情報を通知しなくてもよい。ＬＣ−ＭＴＣ  ＵＥは、ＲＲＣ＿Ｉｄｌｅ時、セル再選択処理を行わなくてもよい。
【０１８５】
このようにすることによって、ＬＣ−ＭＴＣ  ＵＥは、セル再選択用の情報が無くても、間欠受信が可能となり、ページングメッセージの受信が可能となる。
【０１８６】
ＲＲＣ＿Ｉｄｌｅ時に、セル選択処理のクライテリアが無いので、本変形例では、セル選択処理のクライテリアを設ける。特に、ＲＲＣ＿Ｉｄｌｅ時に、セル選択処理を起動するクライテリアを設ける。具体的には、セル選択処理を起動するクライテリア用のパラメータを設ける。セルは、クライテリア用のパラメータをＬＣ−ＭＴＣ  ＵＥに通知する。クライテリア用のパラメータとしては、例えば、サービングセルの受信品質の測定期間、測定フィルタ係数、閾値などがある。
【０１８７】
クライテリア用のパラメータとして、受信品質の閾値のみを設けてもよい。受信品質の測定期間、測定フィルタ係数は、従来のセル選択処理に従うとしてもよい。受信品質の閾値のみを設けることによって、セルがＬＣ−ＭＴＣ  ＵＥに通知する情報量を低減することが可能となる。セル選択処理用の閾値が設定された場合、ＬＣ−ＭＴＣ  ＵＥは、サービングセルの受信品質が、セル選択処理用の閾値より低くなったとき、セル選択を起動するようにするとよい。
【０１８８】
このようにすることによって、ＬＣ−ＭＴＣ  ＵＥは、ＲＲＣ＿Ｉｄｌｅ時に、セル選択処理を起動することが可能となる。
【０１８９】
セル選択処理を起動する閾値は、従来の圏外に移行する受信品質よりも高い値とするとよい。あるいは、実施の形態１または実施の形態１の変形例１で開示した圏外に移行するための受信品質または圏外に移行するための閾値よりも高い値とするとよい。このようにすることによって、ＬＣ−ＭＴＣ  ＵＥが圏外に移行する前にセル選択処理を起動できるようになる。
【０１９０】
従来、セル再選択処理は、セル再選択処理用システム情報を用いて起動される。しかし、セル再選択処理用システム情報を取得できないＬＣ−ＭＴＣ  ＵＥは、セル再選択処理を実行することができない。そこで、ＬＣ−ＭＴＣ  ＵＥは、セル選択処理を行うようにするとよい。
【０１９１】
しかし、従来、セル選択処理はＮＡＳ（Non-Access Stratum）によって起動される。この場合、ＲＲＣ＿Ｉｄｌｅ時に、ＮＡＳの判断が必要となるので、処理が複雑になってしまう。そこで、ＬＣ−ＭＴＣ  ＵＥは、ＲＲＣ＿Ｉｄｌｅ時、ＮＡＳの指示を必要とせずセル選択処理を行うようにするとよい。ＬＣ−ＭＴＣ  ＵＥは、ＲＲＣ＿Ｉｄｌｅ時、ＡＳ（Access Stratum）の判断によって、セル選択処理を行うようにしてもよい。
【０１９２】
ＲＲＣ＿Ｉｄｌｅ時にセル選択処理を起動するクライテリア用のパラメータは、システムで共通であってもよいし、ＭＴＣまたはＬＣ−ＭＴＣ  ＵＥで共通であってもよいし、セル毎としてもよい。あるいは、前記クライテリア用のパラメータは、予め定めるグループで共通としてもよい。あるいは、クライテリア用のパラメータは、ＬＣ−ＭＴＣ  ＵＥ毎としてもよい。また、前記クライテリア用のパラメータは、前述の組合せでもよい。
【０１９３】
ＬＣ−ＭＴＣ  ＵＥが、クライテリア用のパラメータを認識する方法の具体例として、以下の（１）〜（５）の５つを開示する。
【０１９４】
（１）予め規格などで静的に決める。システムで共通、あるいはＬＣ−ＭＴＣ  ＵＥで共通のパラメータとした場合に適用すると効果的である。セルがＬＣ−ＭＴＣ  ＵＥに通知する情報量を削減することができる。
【０１９５】
（２）ＭＩＢで通知。セル毎のパラメータとした場合に適用すると効果的である。ＭＩＢは、システム帯域中央の６つのリソースブロックで通知されるので、たとえ帯域が削減されたＬＣ−ＭＴＣ  ＵＥであっても受信可能となる。
【０１９６】
（３）ＬＣ−ＭＴＣ  ＵＥ用のＳＩで通知。セル毎、あるいは、ＬＣ−ＭＴＣ  ＵＥ毎のパラメータとした場合に適用すると効果的である。ＬＣ−ＭＴＣ  ＵＥのＲＲＣ状態（ＲＲＣ＿Ｉｄｌｅ、ＲＲＣ＿Ｃｏｎｎｅｃｔｅｄ）によらず受信可能となる。
【０１９７】
（４）ＲＲＣシグナリングで通知。この場合、初期アクセス（Initial access）時に通知するとしてもよい。セル毎、あるいは、ＬＣ−ＭＴＣ  ＵＥ毎のパラメータとした場合に適用するとよい。ＭＩＢ、ＳＩで通知する場合に比べて、多量のパラメータを通知することができる。逆に、ＭＩＢ、ＳＩで通知する情報量を削減することができる。
【０１９８】
（５）複数のパラメータのグループを、予め規格などで静的に決めておき、各パラメータグループに対応したインジケーション（indication）を設けておく。ＭＩＢまたはＬＣ−ＭＴＣ  ＵＥ用のＳＩに前記インジケーションを含めて、ＬＣ−ＭＴＣ  ＵＥに通知するとよい。セル毎、あるいは、ＬＣ−ＭＴＣ  ＵＥ毎のパラメータとした場合に適用すると効果的である。ＭＩＢまたはＳＩの情報量を削減することができる。
【０１９９】
図１１は、実施の形態１の変形例２におけるＬＣ−ＭＴＣ  ＵＥのＲＲＣ＿Ｉｄｌｅ時の処理を示すフローチャートの一例である。図１１に示すフローチャートは、前述の図１０に示すフローチャートと類似しているので、同一のステップについては同一のステップ番号を付して、共通する説明を省略する。
【０２００】
ステップＳＴ１１０１において、ＬＣ−ＭＴＣ  ＵＥは、セルＡからセル選択処理を起動するための閾値（以下「セル選択起動用閾値」という場合がある）を受信する。
【０２０１】
ステップＳＴ９００１において、ＲＲＣ＿Ｉｄｌｅ状態のＬＣ−ＭＴＣ  ＵＥは、セルＡにキャンプオンする。図１１に示す例では、セルＡは、ＬＣ−ＭＴＣ  ＵＥ用のシステム情報として、ＬＣ−ＭＴＣ  ＵＥに通知する。
【０２０２】
ステップＳＴ９００２において、セルＡにキャンプオンしているＬＣ−ＭＴＣ  ＵＥは、間欠受信を行う。
【０２０３】
ステップＳＴ１１０２において、ＬＣ−ＭＴＣ  ＵＥは、セルＡから受信したセル選択起動用閾値を用いて、サービングセルの受信品質が、セル選択起動用閾値よりも低下したか否かを判断する。サービングセルの受信品質が、セル選択起動用閾値よりも低下したと判断された場合は、ステップＳＴ１００１に移行し、サービングセルの受信品質が、セル選択起動用閾値よりも低下していないと判断された場合は、ＳＴ９００２に戻り、間欠受信動作を行う。
【０２０４】
ステップＳＴ１００１において、セル選択処理を起動する。ステップＳＴ１００２において、ＬＣ−ＭＴＣ  ＵＥは、セル選択処理によってセルＸを選択する。
【０２０５】
ステップＳＴ１１０３において、ＵＥは、選択したセルＸから通知されるシステム情報を受信する。このシステム情報には、セルＸのセル選択処理を起動するためのセル選択起動用閾値が含まれる。すなわち、ＵＥは、選択したセルＸからシステム情報を受信することによって、セル選択起動用閾値を受信する。
【０２０６】
ステップＳＴ１１０３でセルＸのセル選択起動用閾値を受信したＬＣ−ＭＴＣ  ＵＥは、ステップＳＴ１００４において、選択したセルＸのＳＩＢ１のＴＡＣが、直前にキャンプオンしていたセルＡ、すなわち圏外移行前にキャンプオンしていたセルＡから受信したＴＡＣと同じか否かを判断する。選択したセルＸのＳＩＢ１のＴＡＣが、セルＡから受信したＴＡＣと異なる場合は、ステップＳＴ１００５に移行し、選択したセルＸのＳＩＢ１のＴＡＣが、セルＡから受信したＴＡＣと同じ場合は、ＵＥは、ＲＲＣ＿Ｉｄｌｅ状態を維持したまま、ステップＳＴ１００６に移行する。
【０２０７】
ステップＳＴ１００５において、ＵＥは、選択したセルＸを介して、ＴＡＵを行う。ＴＡＵの処理を行った後は、ＲＲＣ＿Ｉｄｌｅ状態に戻り、ステップＳＴ１００６に移行する。
【０２０８】
ステップＳＴ１００６において、ＵＥは、選択したセルＸにキャンプオンする。ＵＥがセルＸにキャンプオンすると、選択したセルＸの間欠受信周期に従って、ステップＳＴ９００２に戻り、再度、前述のステップＳＴ９００２〜ステップＳＴ１００６の処理を行う。
【０２０９】
このようにすることによって、ＲＲＣ＿Ｉｄｌｅ時に、ＬＣ−ＭＴＣ  ＵＥがセル選択処理を行うことが可能となる。セル選択処理を行うことによって、受信品質の良好なセルを選択することが可能となる。ＲＲＣ＿Ｉｄｌｅ状態のＬＣ−ＭＴＣ  ＵＥが、セル選択処理を実行することによって、可能な限り、圏外に移行する状況を解消することができる。
【０２１０】
したがって、電波伝搬環境の変化によってサービングセルの受信品質の悪い状態が継続した場合でも、他のセルを選択することが可能となり、他のセルで通信を行うことが可能となる。これによって、安定した通信システムを構築することが可能となる。
【０２１１】
ＬＣ−ＭＴＣ  ＵＥは、セル選択時、ＲＲＣ＿Ｉｄｌｅ状態を維持する。ＲＲＣ＿Ｉｄｌｅ時の設定を維持する。ＬＣ−ＭＴＣ  ＵＥは、セル選択処理においてセルを選択した場合、必ずしもＲＲＣ接続確立処理を行わないようにするとよい。
【０２１２】
セルを選択した後、選択したセルが選択前のセルと同じＴＡに属する場合は、ＲＲＣ接続確立処理を行わず、該セルの報知情報に従ってＲＲＣ＿Ｉｄｌｅ状態を維持する。
【０２１３】
セルを選択した後、選択したセルが選択前のセルと同じＴＡに属さない場合は、ＲＲＣ接続確立処理を行い、ＴＡＵを行う。
【０２１４】
このようにすることによって、必要に応じて、セルを選択した後のＲＲＣ接続確立処理を省くことができるので、ＬＣ−ＭＴＣ  ＵＥの低消費電力化を図ることができる。
【０２１５】
ＬＣ−ＭＴＣ  ＵＥは、セル選択処理によってセルを選択できなかった場合、従来の圏外に移行する。実施の形態１で開示した従来の圏外への移行処理を適用してもよい。間欠受信の代わりにセル選択処理として、ＬＣ−ＭＴＣ  ＵＥにおいて、セル選択処理を予め定める回数失敗した場合に、従来の圏外に移行する、としてもよい。これによって、暫時的な電波伝搬環境の悪化が存在する場合には、セル選択を行うことが可能となる。
【０２１６】
セル選択処理を起動するトリガの他の方法としては、予め定めるタイミングあるいは周期的としてもよい。ＬＣ−ＭＴＣ  ＵＥは、予め定める周期、あるいは予め定めるタイミングで、セル選択処理を行う。予め定める周期は、間欠受信周期と非同期としてもよいし、間欠受信周期の整数倍あるいは整数分の一としてもよい。このようにすることによって、セル選択処理の起動を間欠受信周期と個別に設定することが可能となる。したがって、ＬＣ−ＭＴＣ  ＵＥの設置環境、運用環境に応じて、柔軟にセル選択処理を起動させることが可能となる。
【０２１７】
予め定めるタイミングあるいは予め定める周期の設定方法については、実施の形態１の変形例１で開示した、新たな間欠受信タイマについての方法を適用すればよい。セル選択処理を起動するトリガとしては、予め定めるタイミングあるいは予め定める周期と、閾値とを組み合わせて用いてもよい。これによって、ＬＣ−ＭＴＣ  ＵＥの設置環境、運用環境、および電波伝搬環境に応じて、より柔軟にセル選択処理を起動させることが可能となる。
【０２１８】
実施の形態１  変形例３．
本変形例では、実施の形態１で示した課題を解決する他の方法について開示する。ＬＣ−ＭＴＣ  ＵＥは、ＲＲＣ＿Ｉｄｌｅ時、セル再選択処理を行う。ここで、ＬＣ−ＭＴＣ  ＵＥが、セル再選択処理に必要となるパラメータ（以下「セル再選択処理用パラメータ」という場合がある）をどのように認識するかが問題となる。ＬＣ−ＭＴＣ  ＵＥのセル再選択処理用パラメータの設定方法、およびＬＣ−ＭＴＣ  ＵＥがセル再選択処理用パラメータを認識する方法について開示する。
【０２１９】
ＬＣ−ＭＴＣ  ＵＥのセル再選択処理用パラメータは、システムで共通であってもよいし、ＭＴＣあるいはＬＣ−ＭＴＣ  ＵＥで共通であってもよいし、セル毎としてもよい。予め定めるグループで共通としてもよい。あるいは、ＬＣ−ＭＴＣ  ＵＥ毎としてもよい。また、前述の組合せでもよい。
【０２２０】
ＬＣ−ＭＴＣ  ＵＥがセル再選択処理用パラメータを認識する方法の具体例として、以下の（１）〜（５）の５つを開示する。
【０２２１】
（１）予め規格などで静的に決める。システムで共通とした場合、ＬＣ−ＭＴＣ  ＵＥで共通とした場合に適用すると効果的である。これによって、セルがＬＣ−ＭＴＣ  ＵＥに通知する情報量を削減することができる。
【０２２２】
（２）ＭＩＢで通知。セル毎とした場合に適用すると効果的である。ＭＩＢはシステム帯域中央の６つのリソースブロックで通知されるので、たとえ帯域が削減されたＬＣ−ＭＴＣ  ＵＥであっても受信可能となる。
【０２２３】
（３）ＬＣ−ＭＴＣ  ＵＥ用のＳＩで通知。セル毎とした場合、あるいは、ＬＣ−ＭＴＣ  ＵＥ毎とした場合に適用すると効果的である。ＬＣ−ＭＴＣ  ＵＥのＲＲＣ状態（ＲＲＣ＿Ｉｄｌｅ、ＲＲＣ＿Ｃｏｎｎｅｃｔｅｄ）に関わらず、受信可能となる。
【０２２４】
（４）ＲＲＣシグナリングで通知。この場合、初期アクセス（Initial access）時に通知するとしてもよい。セル毎とした場合、あるいは、ＬＣ−ＭＴＣ  ＵＥ毎とした場合に適用するとよい。ＭＩＢ、ＳＩで通知する場合に比べて、多量のパラメータを通知することができる。また、ＭＩＢ、ＳＩで通知する情報量を削減することができる。
【０２２５】
（５）複数のセル再選択処理用パラメータグループを、予め規格などで静的に決めておき、該グループに対応したインジケーション（indication）を設けておく。ＭＩＢあるいはＬＣ−ＭＴＣ  ＵＥ用のＳＩに該インジケーションを含めて、ＬＣ−ＭＴＣ  ＵＥに通知するとよい。セル毎とした場合、あるいは、ＬＣ−ＭＴＣ  ＵＥ毎とした場合に適用すると効果的である。これによって、ＭＩＢあるいはＳＩの情報量を削減することができる。
【０２２６】
パラメータ毎あるいはパラメータグループ毎に、前述の方法を適用してもよい。ＬＣ−ＭＴＣ  ＵＥのセル再選択処理用パラメータは、ＴＡ内セルで共通としてもよい。あるいは、ＬＣ−ＭＴＣ  ＵＥのセル再選択処理用パラメータは、ＭＴＣあるいは、ＬＣ−ＭＴＣ  ＵＥの予め定めるグループで共通としてもよい。
【０２２７】
このようにすることによって、前記具体例（４）のＲＲＣシグナリングで通知する場合に、ＬＣ−ＭＴＣ  ＵＥがＲＲＣ＿Ｉｄｌｅ時にセル再選択を行い、同じＴＡ内のセルを選択した場合でも、該セル再選択処理用パラメータを継続して使用することが可能となる。同じＴＡ内のセルを選択した場合、該セルに対してＲＲＣ接続を行わなくてよくなる。
【０２２８】
したがって、ＬＣ−ＭＴＣ  ＵＥは、セル再選択処理を引き続き実行することが可能となる。また、前記具体例（４）のＲＲＣシグナリングで通知することによって、ＭＩＢ、ＳＩで通知する情報量を削減することが可能となる。
【０２２９】
他の方法として、ＬＣ−ＭＴＣ  ＵＥがセルの変更を行った場合、必ずＲＲＣ接続を行うようにしてもよい。前記具体例（４）のＲＲＣシグナリングで通知する方法を適用するとよい。このようにすることによって、ＬＣ−ＭＴＣ  ＵＥが、ＲＲＣ＿Ｉｄｌｅ時にセル再選択を行い、同じＴＡ内のセルを選択した場合でも、ＲＲＣ接続を行い、該セルのセル再選択用パラメータを、ＲＲＣシグナリングを用いて取得することが可能となる。
【０２３０】
セル再選択パラメータだけでなく、ＬＣ−ＭＴＣ  ＵＥにＲＲＣシグナリングによるシステム情報の通知が必要な場合、ＬＣ−ＭＴＣ  ＵＥは、セルの変更を行った場合、ＲＲＣ接続を行うようにするとよい。ＬＣ−ＭＴＣ  ＵＥは、ＲＲＣ接続の間に、システム情報を通知されるとよい。
【０２３１】
実施の形態１  変形例４．
実施の形態１で、ＬＣ−ＭＴＣ  ＵＥに対して通知するＳＩの削減が要求されていること、削減するＳＩとして、初期アクセスに用いられるＳＩＢであるＳＩＢ１、ＳＩＢ２、ＳＩＢ１４以外のパラメータが挙げられていることを開示した。
【０２３２】
本変形例では、ＳＩを削減する他の方法を開示する。従来のＳＩのうち、セル再選択処理用ＳＩの一部を削減する。従来のセル再選択処理用ＳＩの一部を削減してＬＣ−ＭＴＣ  ＵＥのセル再選択処理用ＳＩとする。セルは、ＬＣ−ＭＴＣ  ＵＥのセル再選択処理用ＳＩをＬＣ−ＭＴＣ  ＵＥに対して通知する。
【０２３３】
従来のセル再選択用パラメータのうち、削減するパラメータの例として、以下の（１）〜（７）を開示する。
【０２３４】
（１）スピードに関するパラメータ。例えば、「speedStateReselectionPars」、およびその中のパラメータなど。予め定めるセル内で移動するＬＣ−ＭＴＣ  ＵＥ、および移動しないＬＣ−ＭＴＣ  ＵＥに対しては、スピードに関するパラメータは不要となる。したがって、スピードに関するパラメータを削減しても、該ＬＣ−ＭＴＣ  ＵＥにおいて、セル再選択処理を行うことが可能となる。
【０２３５】
（２）異周波数（inter-frequency）に関するパラメータ。例えば、「cellReselectionServingFreqInfo」、およびその中のパラメータ、ＳＩＢ５、およびその中のパラメータなど。予め定めるキャリア周波数で動作するＬＣ−ＭＴＣ  ＵＥに対しては、異周波数（inter-frequency）に関するパラメータは不要となる。したがって、異周波数（inter-frequency）に関するパラメータを削減しても、該ＬＣ−ＭＴＣ  ＵＥにおいて、セル再選択処理を行うことが可能となる。
【０２３６】
（３）異無線アクセス技術（inter-RAT（Radio Access Technology））に関するパラメータ。例えば、「cellReselectionServingFreqInfo」、およびその中のパラメータ、ＳＩＢ６、およびその中のパラメータなど。予め定めるＲＡＴで動作するＬＣ−ＭＴＣ  ＵＥに対しては、異無線アクセス技術（inter-RAT）に関するパラメータは不要となる。したがって、異無線アクセス技術（inter-RAT）に関するパラメータを削減しても、該ＬＣ−ＭＴＣ  ＵＥにおいて、セル再選択処理を行うことが可能となる。
【０２３７】
（４）プライオリティに関するパラメータ。例えば、「cellReselectionPriority」など。予め定めるキャリア周波数で動作するＬＣ−ＭＴＣ  ＵＥに対しては、プライオリティに関するパラメータは不要となる。したがって、プライオリティに関するパラメータを削減しても、該ＬＣ−ＭＴＣ  ＵＥにおいて、セル再選択処理を行うことが可能となる。
【０２３８】
（５）測定帯域に関するパラメータ。例えば、「q-QualMinWB」など。削減された帯域で動作するＬＣ−ＭＴＣ  ＵＥに対しては、測定帯域を、削減された帯域とすると予め決めておいてもよい。この場合、測定帯域に関するパラメータは不要となる。したがって、測定帯域に関するパラメータを削減しても、該ＬＣ−ＭＴＣ  ＵＥにおいて、セル再選択処理を行うことが可能となる。
【０２３９】
（６）ＲＳＲＱに関するパラメータ。例えば、「s-IntraSearchQ」、「q-QualMinWB」など。ＬＣ−ＭＴＣ  ＵＥは、予め受信品質をＲＳＲＰとすると決めておくとよい。この場合、ＲＳＲＱに関するパラメータは不要となる。したがって、ＲＳＲＱに関するパラメータを削減しても、該ＬＣ−ＭＴＣ  ＵＥにおいて、セル再選択処理を行うことが可能となる。
（７）前記（１）〜（６）のうちの一部でもよいし全部でもよい。
【０２４０】
従来のセル再選択用パラメータのうち、削減しないパラメータの例として、以下の（１）〜（６）の６つを開示する。
【０２４１】
（１）セル再選択処理の起動に関するパラメータ。例えば、「s-IntraSearchP」、「s-IntraSearchQ」などである。セル再選択処理の起動に関するパラメータは、セル再選択処理を起動させるために必要なパラメータである。セル再選択処理の起動に関するパラメータを残すことで、ＬＣ−ＭＴＣ  ＵＥは、セル再選択処理を起動することが可能となる。
【０２４２】
（２）セル再選択処理のセルの測定に関するパラメータ。例えば、「t-ReselectionEUTRA」などである。セル再選択処理のセルの測定に関するパラメータは、セル再選択処理においてセルの受信品質を測定するために必要なパラメータである。セル再選択処理のセルの測定に関するパラメータを残すことで、ＬＣ−ＭＴＣ  ＵＥは、どのようにセルの測定を行ったらよいかを認識することが可能となる。
【０２４３】
（３）セル再選択処理のセルの選択に関するパラメータ。例えば、「q-Hyst」などである。セル再選択処理のセルの選択に関するパラメータは、セル再選択のクライテリアを実行するために必要なパラメータである。セル再選択処理のセルの選択に関するパラメータを残すことで、ＬＣ−ＭＴＣ  ＵＥは、どのようにセルの選択を行ったらよいかを認識することが可能となる。
【０２４４】
（４）周波数内（intra-frequency）に関するパラメータ。例えば、ＳＩＢ３、およびその中のパラメータなどである。周波数内（intra-frequency）に関するパラメータは、予め定めるキャリア周波数で動作するＬＣ−ＭＴＣ  ＵＥに対して必要なパラメータである。周波数内（intra-frequency）に関するパラメータを残すことで、ＬＣ−ＭＴＣ  ＵＥは、周波数内（intra-frequency）のセルの再選択処理を行うことが可能となる。
【０２４５】
（５）特定のセルリストに関するパラメータ。例えば、「intraFreqNeighCellList」、「intraFreqBlackCellList」、「csg-PhysCellIdRange」などである。特定のセルリストに関するパラメータは、予め定めるセルに対してセル再選択を行うことが可能か否かを示すパラメータである。また、特定のセルリストに関するパラメータは、予め定めるセルで動作するＬＣ−ＭＴＣ  ＵＥに対して必要なパラメータである。特定のセルリストに関するパラメータを残すことで、ＬＣ−ＭＴＣ  ＵＥは、予め定めるセルに対して再選択処理を行うことが可能となる。
（６）前記（１）〜（５）のうちの一部でもよいし、全部でもよい。
【０２４６】
従来のセル再選択処理用ＳＩの一部を削減してＬＣ−ＭＴＣ  ＵＥのセル再選択処理用ＳＩとした場合、セル再選択処理のクライテリアに必要な全てのパラメータを取得できなくなる。この場合、新たに、削減したパラメータを用いないセル再選択処理のクライテリアを設けるとよい。最も簡単には、削減したパラメータを省略したクライテリアとするとよい。
【０２４７】
例えば、ＬＣ−ＭＴＣ  ＵＥのセル再選択処理用ＳＩとして、セル再選択処理の起動に関するパラメータのみとする場合について開示する。セルは、ＳＩとしてパラメータ「s-IntraSearchP」をＬＣ−ＭＴＣ  ＵＥに通知する。ＬＣ−ＭＴＣ  ＵＥは、サービングセルの受信品質、ここではＲＳＲＰを測定し、該測定値がパラメータ「s-IntraSearchP」以下となった場合、セル再選択処理を起動する。セル再選択処理のクライテリアとしては、以下とする。
【０２４８】
Ｒｓ＝Ｑｍｅａｓ，ｓ、Ｒｎ＝Ｑｍｅａｓ，ｎ
ＲｓとＲｎの中から最も受信品質が高いセルを選択する。ここで、Ｑｍｅａｓ，ｓは、サービングセルの受信品質測定値であり、Ｑｍｅａｓ，ｎは、隣接セルの受信品質測定値である。
【０２４９】
従来のセル再選択処理用ＳＩの一部を削減したＬＣ−ＭＴＣ  ＵＥのセル再選択処理用ＳＩを、ＬＣ−ＭＴＣ  ＵＥが認識する方法は、実施の形態１の変形例３で開示した方法を適用すればよい。
【０２５０】
このようにすることによって、従来のセル再選択処理用ＳＩの一部を削減して、ＬＣ−ＭＴＣ  ＵＥのセル再選択処理用ＳＩとしても、セル再選択処理を実行することが可能となる。ＬＣ−ＭＴＣ  ＵＥの設置環境、運用環境、電波伝搬環境に応じて、より柔軟にセル再選択を起動させることが可能となる。ＲＲＣ＿Ｉｄｌｅ状態のＬＣ−ＭＴＣ  ＵＥが、セル再選択処理を実行することによって、可能な限り、圏外に移行する状況を解消することができる。また、ＳＩの一部を削減可能とすることで、ＳＩが繰返し通知された場合でも、必要となるリソースを削減することが可能となる。
【０２５１】
実施の形態２．
ＬＣ−ＭＴＣ  ＵＥがセル選択処理において、電波環境によって、遠方のセルを選択してしまう可能性がある。実施の形態１で述べたように、ＬＣ−ＭＴＣ  ＵＥのＳＩの削減要求のためにセル再選択用のＳＩが削減された場合、何もしなければ、ＬＣ−ＭＴＣ  ＵＥのセル再選択処理が行われなくなってしまう。
【０２５２】
この場合、次回のセル選択処理が行われるまで、一旦選択した遠方のセルにキャンプオンし続ける必要がある。この場合、ＬＣ−ＭＴＣ  ＵＥの受信品質が劣化し、圏外に移行する可能性が高まってしまう。ＬＣ−ＭＴＣ  ＵＥは、圏外に移行した場合、ＮＡＳの指示によって、新たにセル選択処理を行い、ＲＲＣ接続の確立、アタッチ処理あるいはＴＡＵ処理を行うことになる。これによって、ＬＣ−ＭＴＣ  ＵＥの消費電力が増大するという問題が生じる。
【０２５３】
セル選択処理においては、格納情報セル選択（Stored Information Cell Selection）機能がある（非特許文献２参照）。しかし、たとえこの機能があったとしても、最初に遠方のセルを選択してしまい、セル再選択処理が行われない場合、最初の遠方のセルの情報が記憶されるだけで、次回以降のセル選択処理においても遠方のセルを選択してしまうことになる。したがって、たとえ格納情報セル選択機能があったとしても、ＵＥの消費電力が増大するという問題が生じる。
【０２５４】
本実施の形態では、この問題を解決する方法を開示する。セル選択処理において、優先順位を設定する。
【０２５５】
優先順位を設定する情報例として、以下の（１）〜（３）の３つを開示する。
（１）キャリア周波数情報。ＡＲＦＣＮ（Absolute Radio Frequency Channel Number）で示してもよい。
（２）セル情報。セル識別子とするとよい。ＰＣＩとしてもよい。
（３）前記（１），（２）の組合せ。
【０２５６】
優先順位とともに前記情報を設定するとよい。優先してセル選択するキャリア情報、あるいは、優先してセル選択するセル情報を認識することが可能となる。優先順位は、システムで共通であってもよいし、ＭＴＣあるいはＬＣ−ＭＴＣ  ＵＥで共通であってもよいし、セル毎としてもよい。予め定めるグループで共通としてもよい。あるいは、ＬＣ−ＭＴＣ  ＵＥ毎としてもよい。また、前述の組合せでもよい。
【０２５７】
ＬＣ−ＭＴＣ  ＵＥが優先順位を認識する方法は、実施の形態１の変形例１で開示した、ＬＣ−ＭＴＣ  ＵＥが新たな間欠受信タイマを認識する方法を適用すればよい。他の方法として、ＳＩＭに記憶させておくようにしてもよい。登録するオペレータ毎に別個に記憶させておいてもよい。ＵＥケーパビリティ（UE capability）と対応付けて記憶させておいてもよい。このようにすることによって、ＬＣ−ＭＴＣ  ＵＥは、セル選択処理における優先順位を認識することが可能となる。優先順位の設定数に最大値を設けるとよい。これによって、ＬＣ−ＭＴＣ  ＵＥに通知する情報量を減らすことが可能となる。
【０２５８】
優先順位を設定する主体例として、以下の（１）〜（３）の３つを開示する。
（１）ｅＮＢ（セル）。
（２）ＭＭＥ。この場合、ＭＭＥは、ｅＮＢに対して優先順位を通知する。Ｓ１インタフェースを用いて通知するとよい。
（３）オペレータ。この場合、オペレータは、ｅＮＢに対して優先順位を通知する。ＭＭＥを介して通知してもよい。また、オペレータは、ＬＣ−ＭＴＣ  ＵＥのＳＩＭに書き込むようにしてもよい。
【０２５９】
優先順位の導出方法の一例を以下に開示する。ＬＣ−ＭＴＣ  ＵＥの設置場所に応じて決定する。ｅＮＢは、ＬＣ−ＭＴＣ  ＵＥの設置場所を、ロケーションシステム（Location System）を用いて取得するとよい。あるいは、ｅＮＢは、ＬＣ−ＭＴＣ  ＵＥの設置場所を、ＭＤＴ（minimization of drive tests）用の機能を用いて取得してもよい。あるいは、オペレータが、ＬＣ−ＭＴＣ  ＵＥの設置場所の情報を取得するようにしてもよい。
【０２６０】
他の方法として、ＬＣ−ＭＴＣ  ＵＥの測定報告結果に応じて決定する。例えば、ＬＣ−ＭＴＣ  ＵＥのサービングセルあるいは周辺セルの測定報告を受信したｅＮＢは、予め定める期間、測定結果を平均あるいはフィルタリングする。該平均あるいはフィルタリングした結果から、最も良好な受信品質を有するキャリア周波数あるいはセルを導出し、最も高い優先順位として設定するとよい。受信品質の良好な順に、優先順位を高い順に設定してもよい。
【０２６１】
本実施の形態で開示した方法を用いることによって、従来のセル選択処理時の最良の受信品質を有するセルの選択ではなく、優先順位の順にセルの選択を行うことが可能となる。このようにすることによって、ＬＣ−ＭＴＣ  ＵＥにおいて、たとえセル再選択処理が行われない場合でも、ＬＣ−ＭＴＣ  ＵＥの消費電力の削減を図ることができる。セル選択処理を行う場合、優先順位の高いセルを選択可能となるので、ＬＣ−ＭＴＣ  ＵＥの消費電力の削減を図ることができる。
【０２６２】
実施の形態２  変形例１．
本変形例では、実施の形態２で示した課題を解決する他の方法について開示する。セル選択用の候補を設ける。一つまたは複数のセル選択用候補を設ける。セル選択用候補を設ける情報例、ＬＣ−ＭＴＣ  ＵＥがセル選択用候補を認識する方法、セル選択用候補を決定する主体については、実施の形態２で開示した方法を適用すればよい。セル選択用候補は、優先順位の高い順に予め定める数としてもよい。
【０２６３】
セル選択用候補からセル選択するセルの導出方法について開示する。ＬＣ−ＭＴＣ  ＵＥは、セル選択において候補内のセルを検出する。検出したセルについて、キャリア周波数情報あるいはセル情報のみを記憶するだけでなく、受信品質、具体的には、ＲＳＲＰおよびＲＳＲＱの少なくともいずれか一方のＲＳ受信品質を記憶する。ＬＣ−ＭＴＣ  ＵＥは、該受信品質の高い順に優先順位をつけて、高いものからセル選択を行う。
【０２６４】
このようにすることによって、セル選択用候補の中から毎回優先順位は更新される。したがって、電波伝搬環境の変化に柔軟に対応することが可能となり、ＬＣ−ＭＴＣ  ＵＥの消費電力の削減を図ることができる。
【０２６５】
実施の形態３．
カバレッジの拡張が要求されるＬＣ−ＭＴＣでは、ページング（Paging）のレピティション（repetition）が検討されている。繰り返し送信を行うことによって、拡張したカバレッジ範囲におけるＬＣ−ＭＴＣ  ＵＥの受信品質を向上させる。
【０２６６】
従来、ページングのレピティションは行われないので、３ＧＰＰでは、新たにページングのレピティション方法が議論されている。非特許文献１１には、ページングのレピティション方法として、複数のサブフレームにわたってページング送信が繰返される方法が開示されている。
【０２６７】
しかし、ページングが送信される複数のサブフレーム構成の詳細については、何ら開示されていない。したがって、ＬＣ−ＭＴＣ  ＵＥは、どのサブフレームを受信したらよいかが不明となり、レピティションを含むページングを受信することができない。
【０２６８】
本実施の形態では、ページングのレピティションの詳細な方法について開示する。レピティションを含むページング送信を複数の無線フレームにわたって行う。連続する無線フレームで送信するとよい。ページングの初送は、従来のＰＦ（Paging Frame）およびＰＯ（Paging Occasion）の導出方法に従って導出した無線フレームおよびサブフレームにするとよい（非特許文献２参照）。
【０２６９】
ＰＦおよびＰＯは、上位レイヤシグナリングで通知される間欠受信（ＤＲＸ）周期などの間欠受信用パラメータ、およびＵＥ識別子（ＵＥ−ＩＤ）を用いて導出される。ＰＯは、周波数分割複信（Frequency Division Duplex：ＦＤＤ）ではサブフレームナンバが０、４、５、９のサブフレームに限定され、時分割複信（Time Division Duplex：ＴＤＤ）ではサブフレームナンバが０、１、５、９のサブフレームに限定される。
【０２７０】
ページングをレピティション送信する際の無線フレームは、初送の無線フレームから連続して送信する。ページングをレピティション送信する際のサブフレームは、初送で導出したサブフレームナンバと同じにする。ＬＣ−ＭＴＣ  ＵＥは、このようにして導出した無線フレームおよびサブフレームで、初送およびレピティション送信のページングを受信すればよい。
【０２７１】
このようにすることによって、ＬＣ−ＭＴＣ  ＵＥは、レピティションを含むページングを受信することが可能となる。したがって、拡張したカバレッジ範囲に存在するようなＬＣ−ＭＴＣ  ＵＥも、ページングを受信することが可能となる。
【０２７２】
ＬＣ−ＭＴＣ  ＵＥは、初送およびレピティション送信の全てを受信せず、所望の受信品質を確保した時点で、レピティション送信の受信を終了してもよい。このようにすることによって、ＬＣ−ＭＴＣ  ＵＥの受信動作を削減できるので、消費電力の削減が可能となる。また、ページング受信を早期に終了させ、ページング受信後の動作を早期に開始できるので、遅延時間の短縮が可能となる。
【０２７３】
図１２は、実施の形態３におけるページングのレピティション送信方法の一例を示す概念図である。図１２では、ページングの初送が行われる無線フレームＲＦであるページングフレーム（ＰＦ）を参照符号「１２１」で示している。また、無線フレームＲＦ内のサブフレームＳＦの構成を参照符号「１２２」で示している。
【０２７４】
無線フレームＲＦは、サブフレームナンバが０から９の１０個のサブフレームＳＦからなる。斜線でハッチングされているサブフレームＳＦは、ページングの初送が行われるサブフレームＳＦであるページングオケージョン（ＰＯ）である。ここでは、ページングの初送が行われるサブフレームＳＦであるＰＯのサブフレームナンバを「９」としている。
【０２７５】
図１２では、ページングのレピティション送信が行われる無線フレームＲＦを参照符号「１２３」で示している。レピティション送信のページングは、ページングの初送が行われる無線フレームＲＦであるＰＦから連続してレピティション数だけ送信される。ここでは、レピティション数は「２」としている。ページングのレピティション送信が行われる無線フレームＲＦ内のサブフレームＳＦの構成は、ページングの初送が行われる無線フレームＲＦであるＰＦ内のサブフレームＳＦの構成と同一とする。
【０２７６】
したがって、ページングのレピティション送信が行われるサブフレームのサブフレームナンバは９である。ページングの初送が行われるＰＦ／ＰＯ、ならびにレピティション送信が行われる無線フレームＲＦおよびサブフレームＳＦは、間欠受信周期Ｔで繰返し送信される。
【０２７７】
ページングのレピティション数は、セル毎としてもよいし、ＬＣ−ＭＴＣ  ＵＥ毎としてもよい。レピティション数は、セルが決定するとよい。セルがＬＣ−ＭＴＣ  ＵＥにおける受信品質、ＣＱＩまたはＣＳＩなどを用いて決定してもよい。また、セルがＬＣ−ＭＴＣ  ＵＥのケーパビリティを取得し、そのケーパビリティを用いて決定してもよい。ＬＣ−ＭＴＣ  ＵＥが、ページングのレピティション数を認識する方法の具体例として、以下の（１），（２）の２つを開示する。
【０２７８】
（１）ＬＣ−ＭＴＣ  ＵＥ用のＳＩで通知。セル毎とした場合、あるいは、ＬＣ−ＭＴＣ  ＵＥ毎とした場合に適用すると効果的である。これによって、ＬＣ−ＭＴＣ  ＵＥのＲＲＣ状態（ＲＲＣ＿Ｉｄｌｅ、ＲＲＣ＿Ｃｏｎｎｅｃｔｅｄ）に関わらず、ページングのレピティション数を受信することが可能となる。
【０２７９】
（２）ＲＲＣシグナリングで通知。この場合、初期アクセス（Initial access）時に通知するとしてもよい。セル毎とした場合、あるいは、ＬＣ−ＴＣ  ＵＥ毎とした場合に適用するとよい。これによって、ＭＩＢ、ＳＩで通知する場合に比べて、多量のパラメータを通知することができる。また、ＭＩＢ、ＳＩで通知する情報量を削減することができる。
【０２８０】
このようにすることによって、ＬＣ−ＭＴＣ  ＵＥは、ページングの初送およびレピティション送信を受信することが可能となる。
【０２８１】
ページングのレピティション送信の方法としては、初送から連続する無線フレームで送信する方法について述べたが、他の方法を開示する。ページングのレピティション送信は、初送から予め定める無線フレーム間隔で送信するとしてもよい。
【０２８２】
例えば、ページングのレピティション数が２、予め定める無線フレーム間隔が３、ページングの初送が行われる無線フレームの無線フレームナンバが２５の場合、第一のレピティションは、無線フレームナンバが２８の無線フレームで送信され、第二のレピティションは、無線フレームナンバが３１の無線フレームで送信される。予め定める無線フレーム間隔が１の場合、連続した無線フレームとするとよい。
【０２８３】
このようにすることによって、ページングにレピティションが行われる場合でも、柔軟なリソースのスケジューリングが可能となる。
【０２８４】
予め定める無線フレーム間隔は、予め規格などで静的に決めておいてもよい。また、セル毎としてもよいし、ＬＣ−ＭＴＣ  ＵＥ毎としてもよい。ＬＣ−ＭＴＣ  ＵＥが予め定める無線フレーム間隔を認識する方法としては、ページングのレピティション数を認識する方法を適用すればよい。このようにすることによって、ＬＣ−ＭＴＣ  ＵＥは、予め定める無線フレーム間隔を認識することが可能となり、ページングの初送およびレピティション送信を受信することが可能となる。
【０２８５】
レピティション数とページングが送信される無線フレーム間隔とから導出される期間を間欠受信周期Ｔよりも小さくなるように設定してもよい。このようにすることによって、同一の間欠受信周期内では、同一のページングのみが送信されることになり、ＬＣ−ＭＴＣ  ＵＥが同一の間欠受信周期内で複数のページングを受信することが無くなる。したがって、ＬＣ−ＭＴＣ  ＵＥにおけるページング処理を単純にすることが可能となる。
【０２８６】
本実施の形態で開示した方法を用いることによって、ＬＣ−ＭＴＣ  ＵＥは、ページングのレピティション送信を受信することが可能となるので、カバレッジ拡張の要求を満たしつつ、ページングを受信することが可能となる。これによって、安定した通信システムを構築することが可能となる。
【０２８７】
また、ページングのレピティション送信が連続の無線フレームあるいは予め定める無線フレーム間隔で行われるようにすることによって、ページングのレピティション送信が行われるサブフレームを、従来のページングが送信されるサブフレームにすることができる。したがって、ＭＢＳＦＮサブフレームの設定に影響を与えずに、ページングのレピティション送信を行うことが可能となる。
【０２８８】
図１２では、ページングのレピティション送信が行われるサブフレームは、ページングの初送が行われるサブフレームと同じとしたが、他のサブフレームとした場合を開示する。ページングのレピティションが行われるサブフレームは、レピティション数を用いて導出するようにしてもよい。例えば、ＦＤＤでは、レピティション数が２の場合、第一のレピティション送信は、サブフレームナンバが０のサブフレームで行い、第二のレピティション送信は、サブフレームナンバが４のサブフレームで行うとする。
【０２８９】
他の例として、第ｎ（ｎは自然数）のレピティション送信が行われるサブフレームは、「ｎ  ｍｏｄ  ４」で求められる値に対応付けたサブフレームナンバのサブフレームとしてもよい。
【０２９０】
例えばＦＤＤの場合、「ｎ  ｍｏｄ  ４」で求められる値が０のときは、サブフレームナンバが０のサブフレームとし、「ｎ  ｍｏｄ  ４」で求められる値が１のときは、サブフレームナンバが４のサブフレームとし、「ｎ  ｍｏｄ  ４」で求められる値が２のときは、サブフレームナンバが５のサブフレームとし、「ｎ  ｍｏｄ  ４」で求められる値が３のときは、サブフレームナンバが９のサブフレームとしてもよい。
【０２９１】
ここで、「ｎ  ｍｏｄ  ４」とは、「ｎ」を、ページングのレピティションが行われるサブフレーム数である「４」で割った余りの数である。ページングのレピティションが行われるサブフレーム数は４でなくてもよいが、最小で１、最大で１０とする。
【０２９２】
このように、ページングのレピティション送信が行われるサブフレームを、「ｎ  ｍｏｄ  ４」で求められる値に対応付けたサブフレームナンバのサブフレームとすることによって、レピティション送信が行われるサブフレームを、複数のサブフレームに分散させることが可能となり、さらに柔軟なスケジューリングが可能となる。これらの導出方法は、予め規格などで静的に決めておいてもよい。
【０２９３】
「ｎ  ｍｏｄ  ４」で求められる値に対応付けるサブフレームナンバは、従来のページング送信が可能なサブフレームナンバとしてもよい。このようにすることによって、ページングのレピティション送信が行われるサブフレームを、従来のページングが送信されるサブフレームにすることができるので、ＭＢＳＦＮサブフレームの設定に影響を与えずに、ページングのレピティション送信を行うことが可能となる。
【０２９４】
実施の形態３  変形例１．
実施の形態３で開示した方法の場合、ページングのレピティション数に従い、複数の無線フレームにわたってページングがレピティション送信される。したがって、ＬＣ−ＭＴＣ  ＵＥがページングを受信するまでの遅延量が大きくなってしまう。これによって、ページングに含まれる、着信情報、ＳＩ変更（SI modification）、ＥＴＷＳ（Earthquake and Tsunami Warning System）インジケーション（ETWS indication）、ＣＭＡＳ（Commercial Mobile Alert System）インジケーション（CMAS indication）などの受信に遅延が生じてしまい、制御遅延が生じる。
【０２９５】
本変形例では、この制御遅延を低減する方法を開示する。ページングのレピティション送信は、ページングの初送が送信されるサブフレームから連続したサブフレームで行う。ページングの初送は、実施の形態３で開示した方法と同様に、従来のＰＦおよびＰＯの導出方法に従って導出した無線フレームおよびサブフレームにするとよい。
【０２９６】
このようにすることによって、ＬＣ−ＭＴＣ  ＵＥは、レピティションを含むページングを小さい遅延量で受信することが可能となる。
【０２９７】
図１３は、実施の形態３の変形例１におけるページングのレピティション送信方法の一例を示す概念図である。図１３では、ページングの初送が行われる無線フレームＲＦであるＰＦを参照符号「１３１」で示している。また、ページングの初送が行われる無線フレームＲＦであるＰＦ内のサブフレームＳＦの構成を参照符号「１３２」で示している。斜線でハッチングされている最初のサブフレームＳＦは、ページングの初送が行われるサブフレームＳＦであるＰＯである。ここでは、ページングの初送が行われるサブフレームＳＦであるＰＯのサブフレームナンバを「９」としている。
【０２９８】
図１３では、ページングのレピティション送信が行われる無線フレームＲＦを参照符号「１３３」で示している。また、ページングのレピティション送信が行われるサブフレームＳＦを参照符号「１３４」で示している。レピティション送信のページングは、ページングの初送が行われるサブフレームＳＦであるＰＯから連続してレピティション数（repetition number；略称：ＲＰＮ）だけ送信される。ここでは、レピティション数（ＲＰＮ）は「２」としている。
【０２９９】
ページングのレピティション送信が行われるサブフレームＳＦは、複数の無線フレームＲＦにわたってもよい。ここでは、ページングの初送が行われる無線フレームＲＦ１３１の次の無線フレームＲＦのサブフレームＳＦのうち、サブフレームナンバが０と１のサブフレームＳＦで、ページングのレピティション送信が行われる。ページングの初送が行われるＰＦ／ＰＯ、ならびにレピティション送信が行われる無線フレームＲＦおよびサブフレームＳＦは、間欠受信周期Ｔで繰返し送信される。
【０３００】
前述の方法では、ページングのレピティション送信は、初送から連続するサブフレームで送信するとしたが、他の方法として、ページングのレピティション送信は、初送から予め定めるサブフレーム間隔で送信するとしてもよい。
【０３０１】
例えば、ページングのレピティション数が２で、予め定めるサブフレーム間隔が３で、ページングの初送が行われる無線フレームの無線フレームナンバが２５で、サブフレームのサブフレームナンバが９の場合、第一のレピティションは、無線フレームナンバが２６の無線フレームにおけるサブフレームナンバが２のサブフレームで送信される。第二のレピティションは、無線フレームナンバが２６の無線フレームにおけるサブフレームナンバが５のサブフレームで送信される。予め定めるサブフレーム間隔が１の場合、連続したサブフレームとするとよい。
【０３０２】
このようにすることによって、ページングにレピティションが行われる場合でも、柔軟なリソースのスケジューリングが可能となる。
【０３０３】
予め定める無線フレーム間隔は、予め規格などで静的に決めておいてもよい。また、セル毎としてもよいし、ＬＣ−ＭＴＣ  ＵＥ毎としてもよい。ＬＣ−ＭＴＣ  ＵＥが予め定める無線フレーム間隔を認識する方法は、実施の形態３で開示したページングのレピティション数を認識する方法を適用すればよい。このようにすることによって、ＬＣ−ＭＴＣ  ＵＥは、予め定める無線フレーム間隔を認識することが可能となり、ページングの初送およびレピティション送信を受信することが可能となる。
【０３０４】
さらに、他の方法として、ページングのレピティションが送信されるサブフレームを、従来のページングが送信されるサブフレームに限定してもよい。例えばＦＤＤでは、サブフレームナンバが０、４、５、９のサブフレームである。
【０３０５】
例えば、ページングのレピティション数が２で、予め定めるサブフレーム間隔が１で、ページングの初送が行われる無線フレームの無線フレームナンバが２５で、サブフレームのサブフレームナンバが９の場合、第一のレピティションは、無線フレームナンバが２６の無線フレームにおけるサブフレームナンバが０のサブフレームで送信される。第二のレピティションは、無線フレームナンバが２６の無線フレームにおけるサブフレームナンバが４のサブフレームで送信される。
【０３０６】
このようにすることによって、ページングにレピティションが行われる場合に、従来のページングが送信されるサブフレームにすることができるので、ＭＢＳＦＮサブフレームの設定に影響を与えずに、ページングのレピティション送信を行うことが可能となる。
【０３０７】
本変形例で開示した方法を用いることによって、ＬＣ−ＭＴＣ  ＵＥは、ページングのレピティション送信を受信することが可能となるので、カバレッジ拡張の要求を満たしつつ、ページングの受信が可能となる。これによって、安定した通信システムを構築することが可能となる。
【０３０８】
また、ＬＣ−ＭＴＣ  ＵＥは、レピティションを含むページングを、実施の形態３で開示した方法に比べて小さい遅延量で受信することが可能となる。したがって、ページング通知のための制御遅延を小さくすることが可能となる。特に、緊急性を有するＥＴＷＳインジケーション（ETWS indication）の通知には有効である。
【０３０９】
実施の形態３  変形例２．
セルにおいてＭＢＳＦＮサブフレームが構成される場合、新たな問題が生じる。ＭＢＳＦＮサブフレームでは、ページングの送受信が不可能であるので、従来、ページングが送信されるサブフレームであるＰＯは、ＭＢＳＦＮサブフレームの構成が不可能なサブフレームに限定されている。
【０３１０】
このようにＰＯを構成可能なサブフレームが限定された状況では、実施の形態３の変形例１で開示したようなページングのレピティションを行った場合、レピティション送信が行われるサブフレームとＭＢＳＦＮサブフレームとが衝突する場合が生じる。レピティション送信が行われるサブフレームとＭＢＳＦＮサブフレームとが衝突した場合、ＭＢＳＦＮサブフレームではページングを送信することができないので、ＬＣ−ＭＴＣ  ＵＥは、ページングを受信できないという問題が生じる。
【０３１１】
本変形例では、この問題を解決する方法を開示する。ＭＢＳＦＮサブフレームでページングの送信を可能にする。ページング送信を可能にするために、ＭＢＳＦＮサブフレームで、ページング用の制御情報（Downlink Control Information：ＤＣＩ）の送信を行う。
【０３１２】
ページング用の制御情報は、ＥＰＤＣＣＨ（Enhanced Physical Downlink Control Channel）あるいはＰＤＣＣＨにマッピングされる。ページング用の制御情報がマッピングされたＥＰＤＣＣＨあるいはＰＤＣＣＨが、ＭＢＳＦＮサブフレームで送信される。ページング用の制御情報が送信されるサブフレームと同一のサブフレームで、ページングがマッピングされるＰＤＳＣＨが送信される。
【０３１３】
他の方法として、ページング用の制御情報内にページングがマッピングされるＰＤＳＣＨがマッピングされるサブフレーム情報を含めておいてもよい。このようにすることによって、ページングがマッピングされるＰＤＳＣＨとページング用の制御情報とが、異なるサブフレームで送信されることを可能とする。
【０３１４】
ページング用の制御情報は、ＰＩ−ＲＮＴＩ（Paging Indication-Radio Network Temporary Identifier）でマスクされ、ＬＣ−ＭＴＣ  ＵＥがＰＩ−ＲＮＴＩを検出することによって、ページングの存在を認識することができ、ページング用の制御情報を受信することが可能となる。ＬＣ−ＭＴＣ  ＵＥは、ページング用の制御情報を受信することによって、ページングがマッピングされるＰＤＳＣＨのスケジューリング情報を受信することが可能となる。ＬＣ−ＭＴＣ  ＵＥは、ページングがマッピングされるＰＤＳＣＨのスケジューリング情報に従って該ＰＤＳＣＨを受信し、ページングを受信する。
【０３１５】
ＭＢＳＦＮサブフレームに、ページングのレピティション送信だけでなく、ページングの初送を送信可能としてもよい。この場合、ページングが送信されるサブフレーム（ＰＯ）の設定を、従来のサブフレームナンバの他に設けてもよい。このようにすることによって、ＰＯを設定可能なサブフレームが増大するので、膨大な数のＭＴＣに対応するべく、ＭＴＣ  ＵＥの個数Ｎｓを増大させた場合にも対応することが可能となる。
【０３１６】
他の方法として、ＭＢＳＦＮサブフレームでは、ページング用の制御情報の送信は行われず、ページングがマッピングされるＰＤＳＣＨが送信されるようにしてもよい。ＭＢＳＦＮサブフレームでは、レピティション送信のみが行われるとして、ページングのレピティション用の制御情報は、初送の制御情報と同一としてもよい。初送とレピティション送信がマッピングされるＰＤＳＣＨのスケジューリング情報は、同じとするとよい。ＬＣ−ＭＴＣ  ＵＥは、初送がマッピングされるＰＤＳＣＨのスケジューリング情報を取得することによって、レピティション送信がマッピングされるＰＤＳＣＨを受信することが可能となる。
【０３１７】
あるいは、ページングの初送用の制御情報に、ページングのレピティション用の制御情報を含めておいてもよい。初送がマッピングされるＰＤＳＣＨのスケジューリング情報に加え、レピティション送信がマッピングされるＰＤＳＣＨのスケジューリング情報を含めておく。このようにすることによって、ＬＣ−ＭＴＣ  ＵＥは、ページングの初送用の制御情報を受信することによって、レピティション送信がマッピングされるＰＤＳＣＨのスケジューリング情報を取得することができ、該ＰＤＳＣＨを受信することが可能となる。
【０３１８】
あるいは、ページングの初送用の制御情報に、ページングのレピティション送信が行われるサブフレーム情報を含めておいてもよい。サブフレーム情報としては、サブフレームナンバを示す情報、無線フレームナンバを示す情報などがある。ページングの初送とレピティション送信がマッピングされるＰＤＳＣＨのスケジューリング情報は、同じとするとよい。
【０３１９】
このようにすることによって、ＬＣ−ＭＴＣ  ＵＥは、初送がマッピングされるＰＤＳＣＨのスケジューリング情報を取得することによって、レピティション送信が行われるサブフレームを認識することができ、該サブフレームでレピティション送信がマッピングされるＰＤＳＣＨを受信することが可能となる。
【０３２０】
ページングを送信するＭＢＳＦＮサブフレームを、ＰＭＣＨが送信されないサブフレームに限定するとよい。このようにすることによって、ＭＢＳＦＮサブフレームにおいて、ＭＢＭＳ用の物理チャネルであるＰＭＣＨがマッピングされるサブフレームが存在する場合でも、ページングを送信することが可能となる。この場合は、例えば、ｅＮＢが、前述のレピティション送信が行われるサブフレームを指定する方法を用いるとよい。レピティション送信用に、ＭＢＳＦＮサブフレーム内でＰＭＣＨがマッピングされないサブフレームを指定すればよい。
【０３２１】
本変形例で開示した方法を用いることによって、ＭＢＳＦＮサブフレームでページングの送信が可能となるので、ページングのレピティション送信が行われるサブフレームとＭＢＳＦＮサブフレームとが衝突して、ＬＣ−ＭＴＣ  ＵＥがページングを受信できないという問題を解消することが可能となる。これによって、ＬＣ−ＭＴＣ  ＵＥは、ページングのレピティション送信を受信することが可能となるので、カバレッジ拡張の要求を満たしつつ、ページングの受信が可能となる。したがって、安定した通信システムを構築することが可能となる。
【０３２２】
また、ＬＣ−ＭＴＣ  ＵＥは、レピティションを含むページングを、実施の形態３で開示した方法に比べて小さい遅延量で受信することが可能となる。したがって、ページング通知のための制御遅延を小さくすることが可能となる。特に、緊急性を有するＥＴＷＳインジケーション（ETWS indication）の通知には有効である。
【０３２３】
本変形例で開示した方法は、後述の実施の形態５で開示するシステム情報（ＳＩ）の送信用サブフレームにも適用してもよい。ページングの代わりにシステム情報とすればよい。ＳＩ用のＤＣＩには、ＳＩ−ＲＮＴＩ（System Information-Radio Network Temporary Identifier）でマスクするとよい。このようにすることによって、ＭＢＳＦＮサブフレームでＳＩの送信が可能となる。ＬＣ−ＭＴＣ  ＵＥは、ＳＩの受信が可能となる。前述と同様の効果を得ることができる。
【０３２４】
また、本変形例で開示した方法は、ランダムアクセスレスポンス（Random Access Response：ＲＡＲ）送信用サブフレームにも適用してもよい。ページングの代わりにＲＡＲとすればよい。ＲＡＲ用のＤＣＩにはＲＡ−ＲＮＴＩ（Random Access-Radio Network Temporary Identifier）でマスクするとよい。このようにすることによって、ＭＢＳＦＮサブフレームでＲＡＲの送信が可能となる。ＬＣ−ＭＴＣ  ＵＥは、ＲＡＲの受信が可能となる。前述と同様の効果を得ることができる。
【０３２５】
ＬＣ−ＭＴＣ  ＵＥの数は、膨大になると予想される。したがって、ページングを送信するサブフレームの数を増大させてもよい。前述のように、従来は４つであったが、５つ以上に増大させるとよい。また、この場合、ＰＯの発生するサブフレームを、複数の無線フレームにわたって設けるようにしてもよい。後述に開示する方法を適用するとよい。
【０３２６】
本変形例で開示した前述の問題を解決する他の方法を開示する。ページングのレピティション送信が行われるサブフレームを、ＭＢＳＦＮサブフレームを除いたサブフレームから決定する。
【０３２７】
図１４は、実施の形態３の変形例２におけるページングのレピティション送信が行われるサブフレームを、ＭＢＳＦＮサブフレームを除いたサブフレームから決定する場合のシーケンスの一例を示す図である。
【０３２８】
ステップＳＴ１４０１において、ＭＣＥは、ｅＮＢに対してＭＢＳＦＮサブフレーム構成情報を通知する。
【０３２９】
ステップＳＴ１４０２において、ｅＮＢは、ＭＢＳＦＮサブフレーム構成を決定する。この際、ｅＮＢは、セル毎のＭＢＭＳ以外の用途として必要なＭＢＳＦＮサブフレームも併せて考慮して、ＭＢＳＦＮサブフレーム構成を決定してもよい。このようにして、セルのＭＢＳＦＮサブフレーム構成が決定される。
【０３３０】
ステップＳＴ１４０３において、ＬＣ−ＭＴＣ  ＵＥは、ｅＮＢに対してＵＥケーパビリティ（UE capability）情報を通知する。ＵＥケーパビリティ情報は、個別ＲＲＣシグナリングを用いて通知する。ＵＥケーパビリティ情報を受信したｅＮＢは、該ＵＥがＬＣ−ＭＴＣ  ＵＥであることを認識する。
【０３３１】
ステップＳＴ１４０４において、ｅＮＢは、ＬＣ−ＭＴＣ  ＵＥからの下り受信品質報告、およびＬＣ−ＭＴＣ  ＵＥの上り受信品質から、レピティションが必要か否かを判断する。予め定める閾値を設けておき、該閾値を用いてレピティションが必要か否かを判断するとよい。レピティションが必要であると判断された場合は、ステップＳＴ１４０５に移行し、レピティションが必要でないと判断された場合は、ステップＳＴ１４０７に移行する。
【０３３２】
ステップＳＴ１４０５において、ｅＮＢは、レピティション数を決定する。この場合も、レピティション数に応じた閾値を設けておき、該閾値を用いてレピティション数を決定するとよい。ステップＳＴ１４０４の処理と、ステップＳＴ１４０５の処理とは、合わせて行われてもよい。
【０３３３】
ステップＳＴ１４０６において、ｅＮＢは、レピティション用サブフレーム構成を決定する。ＭＢＳＦＮサブフレームとして構成したサブフレームを除いたサブフレームから、レピティション数だけのサブフレームを選択するとよい。
【０３３４】
ステップＳＴ１４０７において、ｅＮＢは、ＬＣ−ＭＴＣ  ＵＥに対して、レピティション数と、レピティション用サブフレーム構成の情報とを通知する。
【０３３５】
レピティション数と、レピティション用サブフレーム構成の情報とを受信したＬＣ−ＭＴＣ  ＵＥは、ステップＳＴ１４０８において、間欠受信を行う。この場合、レピティション数だけページングの受信を行う。ＬＣ−ＭＴＣ  ＵＥは、ページングの初送はＰＦ／ＰＯで行われると判断し、レピティションは、ステップＳＴ１４０７で通知されたレピティション数だけレピティション用サブフレームで行われると判断する。
【０３３６】
レピティション用サブフレームのどこでページングのレピティションが行われるかは、予め規格などで決めておいてもよい。例えば、ページングの初送のサブフレーム（ＰＯ）からレピティション用サブフレーム内のサブフレームナンバの昇順にレピティション送信を行うと決めておくとよい。あるいは、ｅＮＢが、レピティションナンバと該ナンバのレピティション用サブフレームとを関連付けて、ステップＳＴ１４０７でＵＥに通知してもよい。レピティション用サブフレーム数が少なく、レピティション数に足りない場合、次の無線フレームのレピティション用サブフレームを用いるとよい。
【０３３７】
このようにすることによって、ＵＥは、ページングのレピティションを受信することが可能となる。また、ページングのレピティション送信とＭＢＳＦＮサブフレームとの衝突を防ぐことが可能となる。また、ＭＢＳＦＮサブフレームとして実際に用いられていないサブフレームをレピティション送信用に用いることが可能となる。したがって、早期のページング送信が可能となり、ＵＥは早期のページング受信が可能となり、ページング処理遅延の低減を図ることが可能となる。
【０３３８】
レピティションサブフレーム構成を決定した後に、ＭＢＳＦＮサブフレーム構成が変更になった場合、再度レピティションサブフレーム構成を決定し直すとよい。決定し直した後のレピティションサブフレーム構成を、ＬＣ−ＭＴＣ  ＵＥに対して通知するとよい。これによって、ＭＢＭＳおよび他のＭＢＳＦＮサブフレームを用いる用途の柔軟な運用が可能となる。
【０３３９】
また、ｅＮＢが、ＭＢＭＳではない他の用途でセル毎にＭＢＳＦＮサブフレームの設定を行う場合、ＬＣ−ＭＴＣ  ＵＥに対して必要なレピティション数を考慮して、該用途のセル毎のＭＢＳＦＮサブフレームの設定を行ってもよい。ＬＣ−ＭＴＣ  ＵＥに対して必要なレピティション数分を確保して、それ以外のサブフレームをＭＢＳＦＮサブフレームとするとよい。このようにすることによって、ＬＣ−ＭＴＣ  ＵＥへのレピティション送信を優先することが可能となるので、さらにページング処理遅延の低減を図ることが可能となる。
【０３４０】
実施の形態３  変形例３．
従来、ページングの受信は、以下のように行われる。ＵＥの識別子を用いて導出した無線フレーム（ＰＦ）内のサブフレーム（ＰＯ）のＰＤＣＣＨを受信し、ページングのための制御情報（以下「ページング用制御情報」という場合がある）にマスクされたＰＩ−ＲＮＴＩを検出することによって、ページング用制御情報を受信する。ＬＣ−ＭＴＣ  ＵＥは、受信したページング用制御情報に従って、ページングがマッピングされたＰＤＳＣＨを受信する。
【０３４１】
カバレッジ拡張をサポートするＬＣ−ＭＴＣ  ＵＥに対して、ページングのレピティションだけでなく、ページング用制御情報がマッピングされるＰＤＣＣＨのレピティション送信も必要となる。繰り返し送信を行うことによって、拡張したカバレッジ範囲におけるＬＣ−ＭＴＣ  ＵＥのＰＤＣＣＨの受信品質を向上させて、ＬＣ−ＭＴＣ  ＵＥがページング用制御情報を受信することを可能とする。
【０３４２】
ページング用制御情報がマッピングされるＰＤＣＣＨのレピティション送信方法、およびＬＣ−ＭＴＣ  ＵＥのＰＤＣＣＨ受信方法としては、実施の形態３から実施の形態３の変形例２で開示した方法を適用するとよい。
【０３４３】
ページング用制御情報がマッピングされるＰＤＣＣＨのレピティション送信方法とページングのレピティション送信方法との関係の例として、以下の（１），（２）の２つを開示する。
【０３４４】
（１）ＰＤＣＣＨの初送およびレピティション送信終了後、ページングの初送およびレピティション送信を行う。ＰＤＣＣＨの最後のレピティション送信と同一のサブフレームあるいはｋ（ｋは１以上の整数）サブフレーム後のサブフレームで、ページングの初送を行う。
【０３４５】
（２）ＰＤＣＣＨの初送とページングの初送とを同一のサブフレームで行い、ＰＤＣＣＨの各レピティション送信とページングの各レピティション送信とを各々同一のサブフレームで行う。
【０３４６】
前述の（１）の方法では、ＬＣ−ＭＴＣ  ＵＥが、レピティションを含めて、ページング用制御情報がマッピングされるＰＤＣＣＨを受信できた後に、ページングの受信を開始することが可能となる。したがって、ＬＣ−ＭＴＣ  ＵＥは、レピティションを含めたＰＤＣＣＨの受信によって、ページング用の制御情報、例えばページングがマッピングされるリソースのスケジューリング情報などを取得することが可能となる。ＬＣ−ＭＴＣ  ＵＥは、取得した情報を用いて、ページングがマッピングされるＰＤＳＣＨを受信することが可能となる。
【０３４７】
前述の（１）の方法の場合、前述の（２）の方法に比べて、ＰＤＣＣＨの初送およびレピティションが行われるサブフレームの情報を記憶する必要が無い。したがって、記憶するためのメモリやバッファなどを設ける必要が無くなるので、ＬＣ−ＭＴＣ  ＵＥの構成を簡略化できる。
【０３４８】
前述の（２）の方法では、ページング用制御情報がマッピングされるＰＤＣＣＨとページングとが同一のサブフレームで送信される。この場合、ＬＣ−ＭＴＣ  ＵＥは、初送と最大レピティション数を合わせた数のサブフレームの受信情報を記憶するとよい。ＬＣ−ＭＴＣ  ＵＥが、ページング用制御情報がマッピングされるＰＤＣＣＨを受信することができた場合、そのページング用の制御情報を用いて、同じサブフレームで送信されたページングも受信可能となる。ＬＣ−ＭＴＣ  ＵＥに、記憶するためのメモリおよびバッファなどを設けるとよい。この場合、前述の（１）の方法に比べて、ＬＣ−ＭＴＣ  ＵＥが早期にページングを受信できるので、制御遅延時間の短縮が可能となる。
【０３４９】
帯域削減をサポートするＬＣ−ＭＴＣ  ＵＥは、システム帯域にわたって送信される従来のＰＤＣＣＨを受信できない。したがって、従来のページングの送受信方法では、ＬＣ−ＭＴＣ  ＵＥは、ページングを受信することが不可能となる。
【０３５０】
本変形例では、この問題を解決するための方法を開示する。ＬＣ−ＭＴＣ  ＵＥのページングをＰＤＳＣＨにマッピングする。ＬＣ−ＭＴＣ  ＵＥのページング用制御情報、例えば、ページングがマッピングされるＰＤＳＣＨのスケジューリング情報などを、ＥＰＤＣＣＨにマッピングする。ＥＰＤＣＣＨは、１サブフレーム内のＰＤＳＣＨ領域の予め定める数のリソースブロック（ＲＢ）にマッピングされる。したがって、ページング用制御情報がマッピングされるリソースを狭帯域にすることが可能であるので、帯域削減をサポートするＬＣ−ＭＴＣ  ＵＥが、ページングを受信することが可能となる。
【０３５１】
ＥＰＤＣＣＨ上のページング用制御情報にマスクするＲＮＴＩは、ＰＩ−ＲＮＴＩを用いてもよい。あるいは、ＬＣ−ＭＴＣ  ＵＥ用に新たに設けてもよい。例えば、ＭＴＣ−ＰＩ−ＲＮＴＩとしてもよい。ＬＣ−ＭＴＣ  ＵＥ用のＲＮＴＩを新たに設けることによって、従来のＵＥと区別することが可能となる。制御情報を検出するときにＭＴＣ−ＰＩ−ＲＮＴＩを用いることによって、該制御情報がＬＣ−ＭＴＣ  ＵＥ用であることを確認することができ、誤動作を低減することができる。
【０３５２】
従来のＵＥ（レガシーＵＥ（legacy UE））に対するページング用制御情報は、ＰＤＣＣＨを用いて送信し、ＬＣ−ＭＴＣ  ＵＥに対するページング用制御情報は、ＥＰＤＣＣＨを用いて送信するようにしてもよい。この場合、ＥＰＤＣＣＨにマッピングされるページング用制御情報をＭＴＣ−ＰＩ−ＲＮＴＩでマスクするようにしてもよい。ＬＣ−ＭＴＣ  ＵＥは、ページング用に導出したＰＦ／ＰＯのサブフレーム上のＥＰＤＣＣＨを受信し、ＭＴＣ−ＰＩ−ＲＮＴＩでマスクされたページング用制御情報を検出した場合に、該制御情報に従ってＰＤＳＣＨを受信してページングを受信する。
【０３５３】
前述のようにページング用制御情報の送信にＥＰＤＣＣＨを用いた場合、さらに問題が生じる。ＥＰＤＣＣＨは、予め定めるリソースブロック（ＲＢ）で送信されるので、ＬＣ−ＭＴＣ  ＵＥは、ページング用に導出したＰＦ／ＰＯのサブフレームにおいて、どのリソースで該ＥＰＤＣＣＨが送信されるかが不明となる。したがって、ＬＣ−ＭＴＣ  ＵＥは、該ＥＰＤＣＣＨを受信することができなくなる。
【０３５４】
この問題に対する解決方法は、非特許文献１２に開示されている。具体的には、非特許文献１２には、ページング用のＥＰＤＣＣＨのスケジューリング方法について開示されている。ＳＩＢ、ページング、ＲＡＲを含む共通メッセージ用のＥＰＤＣＣＨをキャリアの中心の６つのリソースブロックにマッピングする方法、あるいは、該ＥＰＤＣＣＨのリソースブロックが予め定める位置にあるか周波数ホッピングが実行されるかの情報をＭＩＢに含ませる方法である。
【０３５５】
しかし、ページング用のＥＰＤＣＣＨがマッピングされるリソースを、キャリアの中心の６つのリソースブロックに固定してしまうと、周波数フェージングの影響を受けやすく、受信品質が劣化するという問題が生じる。また、周波数ホッピングが実行される場合、その周波数ホッピングパターンの通知方法が問題になる。ＭＩＢに含めて通知する場合、ＭＩＢの情報量が増大する。また、ＭＩＢは繰り返し通知されるので、それに要するリソース量が多大になってしまう。したがって、リソースの使用効率が低下するという問題がある。
【０３５６】
本変形例では、このような問題を解決するための方法を開示する。予め規格などでページング用の制御情報がマッピングされるＥＰＤＣＣＨの送信されるリソースを決めておく。
【０３５７】
該ＥＰＤＣＣＨが送信されるリソースに関する情報の例として、以下の（１）〜（７）の７つを開示する。
（１）リソースブロック（ＲＢ）数。
（２）ＲＢのアロケーション。最初のＲＢナンバでもよい。
（３）ＲＳ（Reference Signal）の構成。ＲＳのシーケンス、あるいはシーケンス番号でもよい。
（４）レピティション数。
（５）周波数ホッピングモード。
（６）周波数ホッピングパターン。
（７）前記（１）〜（６）の組合せ。
【０３５８】
該ＥＰＤＣＣＨが送信されるリソースに関する情報は、ＬＣ−ＭＴＣ  ＵＥが、ＥＰＤＣＣＨがマッピングされるリソースを特定できるものであればよい。ＥＰＤＣＣＨのスケジューリング情報であってもよい。このように、予め規格などで決めておくことで、ＭＩＢの情報量を増大させることがなくなり、リソースの使用効率の低下を防ぐことが可能となる。
【０３５９】
ページング用の制御情報がマッピングされるＥＰＤＣＣＨのリソースに関する情報は、複数あってもよい。前述のＥＰＤＣＣＨが送信されるリソースに関する情報のグループが複数あってもよい。ページング用の制御情報がマッピングされるＥＰＤＣＣＨのリソースに関する情報、または前述のＥＰＤＣＣＨが送信されるリソースに関する情報のグループを複数とすることによって、セルは、電波伝搬状況に応じて、ページング用の制御情報がマッピングされるＥＰＤＣＣＨが送信されるリソースを変更することが可能となる。
【０３６０】
したがって、電波伝搬状況の変化に強い通信システムを構築することが可能となる。また、ページング用制御信号がマッピングされるＥＰＤＣＣＨに対してレピティション受信が行われる場合、その回数を削減できるので、ＬＣ−ＭＴＣ  ＵＥの低消費電力化を図ることができる。
【０３６１】
しかし、単に複数のグループを設けただけでは、ＬＣ−ＭＴＣ  ＵＥは、どのグループが用いられるか認識することができない。この場合、全てのグループの情報に従って、全てのグループのＥＰＤＣＣＨが送信されるリソースを受信してＭＴＣ−ＰＩ−ＲＮＴＩで検出してもよい。しかし、全てのグループのＥＰＤＣＣＨを受信することは、ＬＣ−ＭＴＣ  ＵＥの動作を複雑にし、消費電力の増大をもたらす。
【０３６２】
そのような問題を解決するために、各ＥＰＤＣＣＨのリソースに関する情報と関連付けたインジケータを設けておくとよい。ＥＰＤＣＣＨが送信されるリソースに関する情報の各グループと関連付けたインジケータを設けておくとよい。インジケータと各グループのＥＰＤＣＣＨのリソースに関する情報とを、テーブルとして予め規格などで決めておく。ＬＣ−ＭＴＣ  ＵＥは、該テーブルを記憶しておく。
【０３６３】
セルは、どのＥＰＤＣＣＨのリソースに関する情報が有効かをＬＣ−ＭＴＣ  ＵＥに通知するために、前述のインジケータを用いるとよい。セルは前述のインジケータを、ＬＣ−ＭＴＣ  ＵＥに通知する。
【０３６４】
インジケータを通知する方法の具体例として、以下の（１）〜（３）の３つを開示する。
（１）ＭＩＢに該インジケータを含めて報知する。
（２）ＬＣ−ＭＴＣ  ＵＥ用ＳＩ情報が含まれるＳＩＢに該インジケータを含めて通知する。
【０３６５】
ＬＣ−ＭＴＣ  ＵＥは、ＭＩＢあるいはＬＣ−ＭＴＣ  ＵＥ用ＳＩＢを受信して該インジケータを取得することによって、有効なページング用制御情報がマッピングされるＥＰＤＣＣＨがどのリソースに割り当てられるかを認識することが可能となる。ＭＩＢあるいはＬＣ−ＭＴＣ  ＵＥ用ＳＩＢに含める情報は、インジケータのみでよく、少ない情報量で通知することが可能となる。したがって、リソースの使用効率の低下を極力抑え、電波伝搬状況の変化に強い通信システムを構築することができる。
【０３６６】
（３）ＲＲＣシグナリングで通知。この場合、初期アクセス時に通知するとしてもよい。セル毎とした場合、あるいは、ＬＣ−ＭＴＣ  ＵＥ毎とした場合に適用するとよい。ＭＩＢ、ＳＩで通知する場合に比べて、多量のパラメータを通知することができる。また、ＭＩＢ、ＳＩで通知する情報量を削減することができる。この場合、該インジケータは、同一ＴＡＣ内では同じとすることを予め規格などで決めておくとよい。
【０３６７】
前述の問題を解決するための他の方法を開示する。予めページング用制御情報がマッピングされるＥＰＤＣＣＨが送信されるリソースに関する情報の導出方法を決めておく。該導出方法を予め規格などで決めておくとよい。導出用関数を設けるとよい。導出用関数は、ＰＦ、ＰＯおよびＵＥ識別子（ＵＥ−ＩＤ）の少なくともいずれか１つを入力パラメータとして用いた関数とするとよい。出力パラメータとして、前述のＥＰＤＣＣＨが送信されるリソースに関する情報とするとよい。あるいは、前述のインジケータとしてもよい。インジケータとＥＰＤＣＣＨが送信されるリソースに関する情報とは、テーブルとして予め規格などで決めておくとよい。ＬＣ−ＭＴＣ  ＵＥは、該テーブルを記憶しておく。
【０３６８】
このようにすることによって、ＭＩＢあるいはＬＣ−ＭＴＣ  ＵＥ用ＳＩＢに、前述のインジケータを含める必要がないので、リソースの使用効率の低下を防ぐことが可能となる。また、導出用関数の入力パラメータを、ＰＦおよびＰＯの少なくともいずれか一方とすることによって、異なるＰＦおよびＰＯの少なくともいずれか一方で異なるリソースになる。したがって、特定のリソースへの集中を防ぐことが可能となる。また、導出用関数の入力パラメータをＵＥ−ＩＤとすることによって、ＵＥ毎に異なるリソースになるので、特定のリソースへの集中を防ぐことが可能となる。
【０３６９】
仮に、特定のリソースに集中した場合、いずれかのページング用制御情報をＥＰＤＣＣＨにマッピングしないようにしてもよい。次のＰＦ／ＰＯのＥＰＤＣＣＨにマッピングすればよい。しかし、こうした場合、ページングの通知に遅延が生じてしまうという問題が生じる。前述の方法として特定のリソースへの集中を防ぐことによって、このような問題を解決することが可能となる。
【０３７０】
本変形例の方法を用いることによって、ＬＣ−ＭＴＣ  ＵＥが、ページング用の制御情報がマッピングされるＥＰＤＣＣＨを受信することが可能となり、ページングの有無を検出することが可能となる。ページングが有る場合、ページングを受信することが可能となる。
【０３７１】
ＬＣ−ＭＴＣ  ＵＥのページング用制御情報をＥＰＤＣＣＨにマッピングすることを開示したが、ＥＰＤＣＣＨに限らず、狭帯域なリソースを用いる物理下り制御チャネルであればよい。帯域削減をサポートするＬＣ−ＭＴＣ  ＵＥが受信可能な帯域内で構成される物理下り制御チャネルであればよい。
【０３７２】
ページング用制御情報がマッピングされるＥＰＤＣＣＨのレピティション送信方法とページングのレピティション送信方法との関係としては、前述のページング用制御情報がマッピングされるＰＤＣＣＨのレピティション送信方法とページングのレピティション送信方法との関係を適用するとよい。カバレッジの拡張もサポートするＬＣ−ＭＴＣ  ＵＥがページング用制御情報を受信することが可能となり、それを用いてページングを受信することが可能となる。
【０３７３】
実施の形態４．
ページングの初送が行われるサブフレームと、レピティション送信が行われるサブフレームとが同一になる場合がある。
【０３７４】
図１５は、ページングの初送が行われるサブフレームと、レピティション送信が行われるサブフレームとが同一になる場合の概念図である。例えば、レピティション送信が、実施の形態３の変形例１で開示したような、連続する無線フレームの同じサブフレームで行われる方法を用いた場合について示す。
【０３７５】
ＬＣ−ＭＴＣ  ＵＥ  Ａのページングの初送の行われる無線フレームのＳＦＮが２５（ＳＦＮ＝２５）であり、サブフレームのサブフレームナンバが９であったとする。レピティション数は２とする。この場合、例えば、ＳＦＮが２５の無線フレーム（ＲＦ）１５１で初送（ＩＮ（Ａ））が行われる。レピティション送信は、初送が行われる無線フレーム１５１から連続する２つの無線フレーム１５２，１５３の、初送と同一のサブフレームナンバ、具体的にはサブフレームナンバが９のサブフレーム（ＳＦ９）で送信される（ＲＰ＃１（Ａ），ＲＰ＃２（Ａ））。
【０３７６】
ページングが送信されるＰＦ／ＰＯは、ＬＣ−ＭＴＣ  ＵＥの識別子によって決定される。したがって、異なるＵＥでは、異なるＰＦ／ＰＯとなる場合がある。ＬＣ−ＭＴＣ  ＵＥ  Ｂのページングの初送の行われる無線フレームのＳＦＮが２６（ＳＦＮ＝２６）であり、サブフレームのサブフレームナンバが９であったとする。レピティション数は２とする。
【０３７７】
この場合、例えば、ＳＦＮが２６の無線フレーム（ＲＦ）１５２で初送（ＩＮ（Ｂ））が行われる。レピティション送信は、初送が行われる無線フレーム１５２から連続する２つの無線フレーム１５３，１５４の、初送と同一のサブフレームナンバ、具体的にはサブフレームナンバが９のサブフレーム（ＳＦ９）で送信される（ＲＰ＃１（Ｂ），ＲＰ＃２（Ｂ））。
【０３７８】
このような場合、無線フレーム１５２のＳＦＮが２６であり、サブフレームナンバが９で、ＬＣ−ＭＴＣ  ＵＥ  Ａの初送とＬＣ−ＭＴＣ  ＵＥ  Ｂのレピティション送信とが行われることになる。このような場合、ＬＣ−ＭＴＣ  ＵＥ  Ａのレピティション送信のページングと、ＬＣ−ＭＴＣ  ＵＥ  Ｂの初送のページングとを、どのように多重したらよいかが不明である。
【０３７９】
本実施の形態では、このような問題を解決する方法を開示する。同じページングメッセージ（Paging message）内に初送用のページングとレピティション送信用のページングとを多重したページングメッセージ（Paging message）を作成し、該ページングメッセージをＰＤＳＣＨにマッピングするようにするとよい。レピティションナンバ毎にマッピングするとよい。
【０３８０】
ＬＣ−ＭＴＣ  ＵＥは、ページング用ＤＣＩがマッピングされるＥＰＤＣＣＨをＰＩ−ＲＮＴＩあるいはＭＴＣ−ＰＩ−ＲＮＴＩで検出してページング用ＤＣＩを受信する。受信したページング用ＤＣＩに従い、ＰＤＳＣＨを受信して、初送用のページングとレピティション送信用のページングとが多重されたページングメッセージを取得する。
【０３８１】
該サブフレームで初送用のページングが送信されるＬＣ−ＭＴＣ  ＵＥは、ページングメッセージの中の初送用のページングを受信する。該サブフレームでレピティション送信用のページングが送信されるＬＣ−ＭＴＣ  ＵＥは、ページングメッセージの中のレピティションナンバに応じたレピティション用のページングを受信する。
【０３８２】
図１６は、従来技術におけるページングメッセージの一例を示す図である。ページングメッセージ内に、着信呼出し用ページングレコードリスト情報（pagingRecordList）、ＳＩ修正情報（systemInfoModification）、ＥＴＷＳ情報（etws-Indication）、ＣＭＡＳ情報（cmas-Indication）、およびＥＡＢパラメータ修正情報（eab-ParamModification）が含まれる。
【０３８３】
着信呼出し用ページングレコードリスト情報（pagingRecordList）内には、一つまたは複数のページングレコード情報（PagingRecord）が含まれる。ページングレコード情報内に、着信で呼出すＵＥのＵＥ識別子が含まれる。コアネットワークドメイン（Core Network domain：ＣＮドメイン）情報が含まれてもよい。ＵＥ識別子として、ｓ−ＴＭＳＩ（Serving-Temporary Mobile Subscriber Identity）、ＩＭＳＩ（International Mobile Subscriber Identity）などがある。
【０３８４】
図１７は、実施の形態４におけるページングメッセージの一例を示す図である。ページングメッセージ内に初送用のページングとレピティション送信用のページングとが含まれる。図１７において、破線の四角で囲まれる部分が、レピティション送信用のページングである。レピティションナンバが１番目のページングである。レピティション送信用のページングとして、着信呼出し用ページングレコードリスト情報（pagingRecordList_repetition#1）のみとしてもよい。
【０３８５】
レピティション送信用の着信呼出し用ページングレコードリスト情報内には、レピティション送信が行われる一つまたは複数のページングレコード情報が含まれる。ページングレコード情報内に、着信で呼出すＵＥのＵＥ識別子が含まれる。ＣＮドメイン情報が含まれてもよい。ＵＥ識別子としては、ｓ−ＴＭＳＩ、ＩＭＳＩなどがある。
【０３８６】
レピティション送信用のページングに、ＬＣ−ＭＴＣ  ＵＥ個別では無く送信される情報は含めなくてもよい。例えば、ＳＩ修正情報、ＥＴＷＳ情報、ＣＭＡＳ情報である。ＥＡＢパラメータ修正情報は、ＵＥ毎ではなく全てのＬＣ−ＭＴＣ  ＵＥに適用してもよく、その場合は、含めなくてもよい。ＵＥ毎の場合は、含めるとよい。
【０３８７】
このようにすることによって、初送用ページングが送信されるサブフレームと、レピティション送信用ページングが送信されるサブフレームとが同一になる場合でも、セルは、初送とレピティション送信の両方を送信することが可能となり、ＬＣ−ＭＴＣ  ＵＥは、適宜、初送あるいはレピティション送信のいずれかを受信することが可能となる。
【０３８８】
また、このようにすることによって、初送用のページング送信用ＤＣＩとレピティション送信用のページング送信用ＤＣＩとを同じにすることができる。したがって、初送用ＤＣＩがマッピングされるＥＰＤＣＣＨのリソースと、レピティション送信用ＤＣＩがマッピングされるＥＰＤＣＣＨのリソースとを同じにしてもよい。
【０３８９】
ＬＣ−ＭＴＣ  ＵＥは、ＥＰＤＣＣＨにマッピングされるページング送信用ＤＣＩに従ってページング用ＰＤＳＣＨを受信することによって、ページングを受信することができるので、適宜、初送あるいはレピティション送信のいずれかを取得することが可能となる。
【０３９０】
前述では、ページングメッセージ内に初送用のページングとレピティション送信用のページングとを多重した。レピティション送信用のページングは一つでもよいし、複数であってもよい。ページングメッセージ内にレピティション送信用のページングを多重してもよい。レピティションナンバ毎にページングを設けるとよい。このようにすることによって、複数のレピティション数にも対応可能となる。
【０３９１】
他の方法として、トランスポートチャネルでの多重を行ってもよい。セルは、初送用のＰＣＨとレピティション送信用のＰＣＨとを多重して、同一のＰＤＳＣＨにマッピングして通知してもよい。初送用のＰＣＨとレピティション用のＰＣＨとを一緒にコーディングして、ＰＤＳＣＨにマッピングしてもよい。ＬＣ−ＭＴＣ  ＵＥは、該ＰＤＳＣＨの多重されたＰＣＨを受信することによって、初送あるいはレピティション送信のいずれかを取得することが可能となる。
【０３９２】
実施の形態４  変形例１．
本変形例では、実施の形態４で開示したような問題を解決する他の方法を開示する。実施の形態４で開示した方法を用いた場合、問題が生じる。例えば、前述の例に従って、ＳＦＮが２６、サブフレームナンバが９で、初送とレピティション送信が行われる場合について述べる。
【０３９３】
この場合、ＳＦＮが２６、サブフレームナンバが９で、実際は初送が行われず、レピティション送信のみが行われたとする。初送が行われる可能性のあるＬＣ−ＭＴＣ  ＵＥ  Ｂも、ＭＴＣ−ＰＩ−ＲＮＴＩによって検出してＥＰＤＣＣＨを受信する。そして、ＥＰＤＣＣＨのページング用ＤＣＩに従い、ページングのマッピングされたＰＤＳＣＨを受信してしまうことになる。しかし、実際は初送が行われないので、このＰＤＳＣＨにマッピングされているページングは、ＬＣ−ＭＴＣ  ＵＥ  Ａのレピティション送信用である。
【０３９４】
したがって、初送が行われる可能性のあるＬＣ−ＭＴＣ  ＵＥ  Ｂは、実際に初送が行われていないにも関わらず、ＰＤＳＣＨを受信してページングを取得しなければならない。実際に初送が行われないにも関わらず、この受信動作を行うことは無駄である。すなわち、ＬＣ−ＭＴＣ  ＵＥの消費電力を増大させてしまうという問題が生じる。
【０３９５】
本変形例では、この問題を解決する方法を開示する。レピティション送信用のＥＰＤＣＣＨに用いるＲＮＴＩと、初送用のＥＰＤＣＣＨに用いるＲＮＴＩとを異ならせる。レピティション送信用のＤＣＩと初送用のＤＣＩとを、異なるＲＮＴＩでマスクする。
【０３９６】
例えば、ページングの場合、初送用をＭＴＣ−ＰＩ−Ｆ−ＲＮＴＩ、レピティション送信用をＭＴＣ−ＰＩ−Ｒ−ＲＮＴＩとするとよい。ＬＣ−ＭＴＣ  ＵＥは、初送用のサブフレームの場合はＭＴＣ−ＰＩ−Ｆ−ＲＮＴＩでＥＰＤＣＣＨを検索し、レピティション送信用のサブフレームの場合はＭＴＣ−ＰＩ−Ｒ−ＲＮＴＩでＥＰＤＣＣＨを検索して、ページング用ＤＣＩを受信すればよい。
【０３９７】
このようにすることによって、ＬＣ−ＭＴＣ  ＵＥは、実際に送信が行われないにも関わらず、他のＵＥ向けのページングがマッピングされたＰＤＳＣＨを受信してページングを取得する必要がなくなる。これによって、ＬＣ−ＭＴＣ  ＵＥの消費電力の増大を防ぐことができる。ここで、他のＵＥとは、自ＵＥと同一のＰＦ／ＰＯでページングが送信されるＵＥ（以下「ページンググループ内ＵＥ」という場合がある）を除いたＵＥである。
【０３９８】
レピティション数に応じた数だけＲＮＴＩを設けるとよい。例えばレピティション数が４の場合、初送をＭＴＣ−ＰＩ−Ｆ−ＲＮＴＩ、第１回レピティション送信用をＭＴＣ−ＰＩ−Ｒ１−ＲＮＴＩ、第２回レピティション送信用をＭＴＣ−ＰＩ−Ｒ２−ＲＮＴＩ、第３回レピティション送信用をＭＴＣ−ＰＩ−Ｒ３−ＲＮＴＩ、第４回レピティション送信用をＭＴＣ−ＰＩ−Ｒ４−ＲＮＴＩとするとよい。レピティション数に上限値を設け、上限値の数に応じてＲＮＴＩを決めておくとよい。これらのＲＮＴＩの値は、予め規格などで静的に決めておいてもよい。
【０３９９】
ＥＰＤＣＣＨのリソースは、初送用とレピティション用とで異なる場合もあるし、同一となる場合もある。ＥＰＤＣＣＨのリソースがたとえ同一となる場合でも、レピティション送信用のＥＰＤＣＣＨに用いるＲＮＴＩと、初送用のＥＰＤＣＣＨに用いるＲＮＴＩとを異ならせ、レピティション送信用のＤＣＩと初送用のＤＣＩとを異なるＲＮＴＩでマスクする。
【０４００】
これによって、ＬＣ−ＭＴＣ  ＵＥは、自ＵＥ向けのページング用ＤＣＩが存在する場合に、該ＤＣＩを受信することが可能となる。したがって、自ＵＥ向けのページングがマッピングされたＰＤＳＣＨを受信することができ、他のＵＥ向けのページングがマッピングされたＰＤＳＣＨを受信する必要がなくなるので、ＬＣ−ＭＴＣ  ＵＥの消費電力の増大を防ぐことができる。
【０４０１】
図１８および図１９は、実施の形態４の変形例１におけるＥＰＤＣＣＨの初送とレピティション送信とが含まれるサブフレームの概念図である。図１５に示す例に従い、ＳＦＮが２６、サブフレームナンバが９のサブフレームである。図１８および図１９では、縦が周波数、横が時間を表す。ＥＰＤＣＣＨのリソースを斜線で示す。図１８は、初送用のＥＰＤＣＣＨのリソースとレピティション用のＥＰＤＣＣＨのリソースとが同一となる場合を示す。図１９は、初送用のＥＰＤＣＣＨのリソースとレピティション用のＥＰＤＣＣＨのリソースとが異なる場合を示す。
【０４０２】
図１８の場合、一つのＥＰＤＣＣＨのリソース（以下「ページング用ＥＰＤＣＣＨ」という場合がある）１８１に、ページング初送用ＤＣＩ（ＩＮ（Ｂ））と、ページングレピティション用ＤＣＩ（ＲＰ＃１（Ａ））との両方がマッピングされる。初送用ＤＣＩとレピティションＤＣＩとは、各々異なるＲＮＴＩでマスクされる。初送用ＤＣＩは、ＭＴＣ−ＰＩ−Ｆ−ＲＮＴＩでマスクされる。レピティションナンバは１であるので、レピティション用ＤＣＩは、ＭＴＣ−ＰＩ−Ｒ１−ＲＮＴＩでマスクされる。
【０４０３】
ＬＣ−ＭＴＣ  ＵＥ  Ａは、ＳＦＮが２６、サブフレームナンバが９の送信が、レピティションナンバが１であることを認識する。したがって、ＬＣ−ＭＴＣ  ＵＥ  Ａは、該サブフレームのＥＰＤＣＣＨのリソースを、ＭＴＣ−ＰＩ−Ｒ１−ＲＮＴＩで検出し、レピティション用ＤＣＩが存在する場合に、該ＤＣＩを受信することが可能となる。
【０４０４】
受信したＤＣＩに従って、自ＵＥ向けのページングがマッピングされたＰＤＳＣＨを受信する。このようにすることによって、ＬＣ−ＭＴＣ  ＵＥ  Ａは、他のＵＥ、例えば、ＬＣ−ＭＴＣ  ＵＥ  ＢのページングがマッピングされたＰＤＳＣＨを受信する必要がなくなる。したがって、ＬＣ−ＭＴＣ  ＵＥの消費電力の増大を防ぐことができる。
【０４０５】
ＬＣ−ＭＴＣ  ＵＥ  Ｂは、ＳＦＮが２６、サブフレームナンバが９の送信が、初送であることを認識する。したがって、ＬＣ−ＭＴＣ  ＵＥ  Ｂは、該サブフレームのＥＰＤＣＣＨのリソースを、ＭＴＣ−ＰＩ−Ｆ−ＲＮＴＩで検出し、レピティション用ＤＣＩが存在する場合に、該ＤＣＩを受信することが可能となる。
【０４０６】
受信したＤＣＩに従って、自ＵＥ向けのページングがマッピングされたＰＤＳＣＨを受信する。このようにすることによって、ＬＣ−ＭＴＣ  ＵＥ  Ｂは、他のＵＥ、例えば、ＬＣ−ＭＴＣ  ＵＥ  ＡのページングがマッピングされたＰＤＳＣＨを受信する必要がなくなる。したがって、ＬＣ−ＭＴＣ  ＵＥの消費電力の増大を防ぐことができる。
【０４０７】
図１９の場合、初送用のＥＰＤＣＣＨのリソース（以下「ページング初送用ＥＰＤＣＣＨ」という場合がある）１８２と、レピティション用のＥＰＤＣＣＨのリソース（以下「ページングレピティション送信用ＥＰＤＣＣＨ」という場合がある）１８３とが異なる。この場合にも、初送用ＤＣＩ（ＩＮ（Ｂ））と、レピティション用ＤＣＩ（ＲＰ＃１（Ａ））とは、各々異なるＲＮＴＩでマスクされるとよい。初送用ＤＣＩは、ＭＴＣ−ＰＩ−Ｆ−ＲＮＴＩでマスクされる。レピティションナンバは１であるので、レピティション用ＤＣＩは、ＭＴＣ−ＰＩ−Ｒ１−ＲＮＴＩでマスクされる。
【０４０８】
ＬＣ−ＭＴＣ  ＵＥ  Ａは、該サブフレームの自ＵＥのレピティションナンバ１送信用のＥＰＤＣＣＨのリソースを、ＭＴＣ−ＰＩ−Ｒ１−ＲＮＴＩで検出し、レピティション用ＤＣＩが存在する場合に、該ＤＣＩを受信することが可能となる。受信したＤＣＩに従って、自ＵＥ向けのページングがマッピングされたＰＤＳＣＨを受信する。このようにすることによって、ＬＣ−ＭＴＣ  ＵＥ  Ａは、他のＵＥ、例えば、ＬＣ−ＭＴＣ  ＵＥ  ＢのページングがマッピングされたＰＤＳＣＨを受信する必要がなくなる。したがって、ＬＣ−ＭＴＣ  ＵＥの消費電力の増大を防ぐことができる。
【０４０９】
ＬＣ−ＭＴＣ  ＵＥ  Ｂは、該サブフレームの自ＵＥの初送用のＥＰＤＣＣＨのリソースを、ＭＴＣ−ＰＩ−Ｆ−ＲＮＴＩで検出し、レピティション用ＤＣＩが存在する場合に、該ＤＣＩを受信することが可能となる。受信したＤＣＩに従って、自ＵＥ向けのページングがマッピングされたＰＤＳＣＨを受信する。このようにすることによって、ＬＣ−ＭＴＣ  ＵＥ  Ｂは、他のＵＥ、例えば、ＬＣ−ＭＴＣ  ＵＥ  ＡのページングがマッピングされたＰＤＳＣＨを受信する必要がなくなる。したがって、ＬＣ−ＭＴＣ  ＵＥの消費電力の増大を防ぐことができる。
【０４１０】
本変形例で開示した方法を用いることによって、ページングの初送が行われるサブフレームと、レピティション送信が行われるサブフレームとが同一になった場合、自ＵＥ向けの送信が行われている場合のみ、自ＵＥのページングがマッピングされたＰＤＳＣＨを受信することになる。したがって、ＬＣ−ＭＴＣ  ＵＥの消費電力の増大を防ぐことが可能となる。
【０４１１】
初送およびレピティションナンバ毎のＥＰＤＣＣＨのマッピングされるリソースがサブフレーム内で明確に異なる場合は、ＲＮＴＩは一つでよい。具体的には、ＭＴＣ−ＰＩ−ＲＮＴＩとすればよい。ＬＣ−ＭＴＣ  ＵＥは、初送の場合、初送の予め定めるリソースのＥＰＤＣＣＨをＭＴＣ−ＰＩ−ＲＮＴＩで検出し、レピティションナンバ毎に予め定めるリソースのＥＰＤＣＣＨをＭＴＣ−ＰＩ−ＲＮＴＩで検出すればよい。
【０４１２】
ＥＰＤＣＣＨのマッピングされるリソースが初送およびレピティションナンバ毎に異なるので、ＬＣ−ＭＴＣ  ＵＥは、初送を受信するのか、またはレピティション送信を受信するのかに応じて、ＥＰＤＣＣＨを受信することができる。したがって、自ＵＥ向けの送信が行われている場合のみ、自ＵＥのページングがマッピングされたＰＤＳＣＨを受信することができる。これによって、ＬＣ−ＭＴＣ  ＵＥの消費電力の増大を防ぐことが可能となる。
【０４１３】
実施の形態４および実施の形態４の変形例１で開示した方法は、レピティションが行われ、ＬＣ−ＭＴＣ  ＵＥで共通のＲＮＴＩを用いる場合に適用するとよい。例えば、ＳＩ、ＲＡＲなどの通知に適用するとよい。この場合でも、実施の形態４および実施の形態４の変形例１と同様の効果を得ることが可能となる。
【０４１４】
前述の問題を解決する他の方法を開示する。前述の方法では、初送およびレピティション数に応じた数だけＲＮＴＩを設けることを開示したが、他の方法として、ＬＣ−ＭＴＣ  ＵＥ個別のＲＮＴＩを設けるとよい。初送用ＤＣＩとレピティション送信用ＤＣＩとのどちらも、該ＬＣ−ＭＴＣ  ＵＥ個別のＲＮＴＩでマスクされるとよい。ＬＣ−ＭＴＣ  ＵＥは、初送用ＤＣＩがマッピングされたＥＰＤＣＣＨおよびレピティション送信用のＤＣＩがマッピングされたＥＰＤＣＣＨのどちらも、自ＵＥのＲＮＴＩで検索し、ＤＣＩを受信すればよい。これによって、受信した該ＤＣＩに従って、ＰＤＳＣＨを受信して自ＵＥ向けのページングを取得することが可能となる。
【０４１５】
ページングの場合、自ＵＥと同一のＰＦ／ＰＯとなるＵＥが複数存在する場合がある。前述したページンググループ内ＵＥである。したがって、ＬＣ−ＭＴＣ  ＵＥ毎ではなく、ページンググループ毎のＲＮＴＩを設けてもよい。同一のＰＦ／ＰＯを有するページンググループへのページング用ＤＣＩを、該ＲＮＴＩでマスクすればよい。
【０４１６】
ＵＥ個別あるいはページンググループ毎のＲＮＴＩを、ＬＣ−ＭＴＣ  ＵＥが認識する方法として、以下の（１），（２）の２つを開示する。
【０４１７】
（１）ＲＲＣシグナリングで通知。この場合、初期アクセス時あるいはＴＡＵ時に通知するとしてもよい。ＬＣ−ＭＴＣ  ＵＥ個別のＲＮＴＩあるいはページンググループ毎のＲＮＴＩは、ＴＡ内セルで共通とするとよい。
【０４１８】
このようにすることによって、ＬＣ−ＭＴＣ  ＵＥが、ＲＲＣ＿Ｉｄｌｅ時にキャンプオンするセルを変更して、同じＴＡ内のセルを選択した場合でも、該ＲＮＴＩを継続して使用することが可能となる。異なるＴＡ内のセルを選択した場合は、該セルで初期アクセスあるいはＴＡＵ処理を行うことになるので、新たに該ＴＡ内で有効なＲＮＴＩを取得することが可能となる。
【０４１９】
（２）予めＵＥ個別あるいはページンググループ毎のＲＮＴＩを導出する方法を決めておく。該導出方法を予め規格などで決めておくとよい。具体的には、導出用関数を設けるとよい。導出用関数は、ＰＦおよびＰＯの少なくともいずれか一方を入力パラメータとして用いた関数とするとよい。例えば、ＵＥ−ＩＤ、ＩＭＳＩ、ｓ−ＴＭＳＩなどのＵＥ識別子を入力パラメータとして用いた関数としてもよい。
【０４２０】
このようにすることによって、ＬＣ−ＭＴＣ  ＵＥは、ＵＥ個別あるいはページンググループ毎のＲＮＴＩを認識することが可能となる。したがって、ＬＣ−ＭＴＣ  ＵＥは、初送用ＤＣＩがマッピングされたＥＰＤＣＣＨおよびレピティション送信用のＤＣＩがマッピングされたＥＰＤＣＣＨのどちらも、自ＵＥのＲＮＴＩで検索し、ＤＣＩを受信すればよい。これによって、受信した該ＤＣＩに従って、ＰＤＳＣＨを受信して自ＵＥ向けのページングを取得することが可能となる。
【０４２１】
実施の形態５．
実施の形態１で、帯域削減をサポートするＬＣ−ＭＴＣ  ＵＥに対する新たなＳＩの通知方法が検討されていることを述べた。ＬＣ−ＭＴＣ  ＵＥ用のＳＩ送信方法として、ＬＣ−ＭＴＣ  ＵＥ用のＳＩＢであるＭＴＣ−ＳＩＢを設けることが提案されている（非特許文献１３参照）。ＭＴＣ−ＳＩＢの送信方法として、ＭＴＣ−ＳＩＢの送信に用いるリソースを、システム帯域中心の６つのリソースブロックに決めておくことが提案されている（非特許文献１０，１３参照）。
【０４２２】
しかし、ＬＣ−ＭＴＣ  ＵＥ用のＳＩを特定のリソースで送信すると、周波数フェージングの影響を受けやすく、受信品質が劣化するという問題が生じる。
【０４２３】
本実施の形態では、ＬＣ−ＭＴＣ  ＵＥ用のＳＩの送信方法についての他の方法を開示する。
【０４２４】
ＬＣ−ＭＴＣ  ＵＥ用のＳＩを含めたＳＩＢを設ける。ここでは、ＳＩＢ−ＭＴＣとする。ＳＩＢ−ＭＴＣをＰＤＳＣＨにマッピングする。ＳＩＢ−ＭＴＣがマッピングされるＰＤＳＣＨ用の制御情報（以下「ＳＩＢ−ＭＴＣ用ＤＣＩ」という場合がある）を、ＥＰＤＣＣＨにマッピングする。ＳＩＢ−ＭＴＣ用ＤＣＩは、例えば、ＳＩＢ−ＭＴＣがマッピングされるＰＤＳＣＨのスケジューリング情報などである。
【０４２５】
ＥＰＤＣＣＨ上のＳＩＢ−ＭＴＣがマッピングされるＰＤＳＣＨ用の制御情報にマスクするＲＮＴＩは、ＳＩ−ＲＮＴＩを用いてもよい。あるいは、ＬＣ−ＭＴＣ  ＵＥ用に新たに設けてもよい。例えば、ＭＴＣ−ＳＩ−ＲＮＴＩとしてもよい。ＬＣ−ＭＴＣ  ＵＥ用のＲＮＴＩ、例えばＭＴＣ−ＳＩ−ＲＮＴＩを新たに設けることによって、従来のＵＥと区別することが可能となる。制御情報を検出するときにＭＴＣ−ＳＩ−ＲＮＴＩを用いることによって、該制御情報がＬＣ−ＭＴＣ  ＵＥ用であることを確認することができ、誤動作を低減することができる。
【０４２６】
従来のＵＥ（レガシーＵＥ（legacy UE））に対するＳＩＢ用ＤＣＩは、ＰＤＣＣＨを用いて送信し、ＬＣ−ＭＴＣ  ＵＥに対するＳＩＢ−ＭＴＣ用ＤＣＩは、ＥＰＤＣＣＨを用いて送信するようにしてもよい。この場合、ＥＰＤＣＣＨにマッピングされるＳＩＢ−ＭＴＣ用ＤＣＩを、ＭＴＣ−ＰＩ−ＲＮＴＩでマスクするようにしてもよい。
【０４２７】
ＳＩＢ−ＭＴＣ用ＤＣＩの送信にＥＰＤＣＣＨを用いた場合、どの無線フレームで送信されるか、どのサブフレームで送信されるか、また、該サブフレームのどのリソースで該ＥＰＤＣＣＨが送信されるかが不明となる。したがって、ＬＣ−ＭＴＣ  ＵＥは、該ＥＰＤＣＣＨを受信できなくなる。
【０４２８】
非特許文献１２には、この問題に対する解決方法が開示されている。具体的には、ＳＩＢ−ＭＴＣ用ＤＣＩがマッピングされるＥＰＤＣＣＨのスケジューリング方法について開示されている。ＳＩＢ、ページング、ＲＡＲを含む共通メッセージ用のＥＰＤＣＣＨを、キャリアの中心の６つのリソースブロックにマッピングする方法、あるいは、該ＥＰＤＣＣＨのリソースブロックが予め定める位置にあるか周波数ホッピングが実行されるかの情報をＭＩＢに含ませる方法である。
【０４２９】
しかし、ＳＩＢ−ＭＴＣ用のＥＰＤＣＣＨがマッピングされるリソースを、キャリアの中心の６つのリソースブロックに固定してしまうと、周波数フェージングの影響を受けやすく、受信品質が劣化するという問題が生じる。また、周波数ホッピングが実行される場合、その周波数ホッピングパターンの通知方法が問題になる。
【０４３０】
ＭＩＢに含めて通知する場合、ＭＩＢの情報量が増大する。また、ＭＩＢは繰り返し通知されるので、それに要するリソース量が多大になってしまう。したがって、リソース使用効率が低下するという問題がある。
【０４３１】
本実施の形態では、このような問題を解決するための方法を開示する。予め規格などでＳＩＢ−ＭＴＣ用ＤＣＩがマッピングされるＥＰＤＣＣＨの送信されるリソースを決めておく。
【０４３２】
該ＥＰＤＣＣＨが送信されるリソースに関する情報の例として、以下の（１）〜（９）の９つを開示する。
（１）周期。無線フレーム単位、あるいは、サブフレーム単位とするとよい。
（２）オフセット。オフセットは、無線フレームナンバ０のサブフレームナンバ０からのオフセットとするとよい。無線フレーム単位、サブフレーム単位およびシンボル単位の少なくともいずれか１つとするとよい。
（３）リソースブロック（ＲＢ）数。
（４）ＲＢのアロケーション。最初のＲＢナンバでもよい。
（５）ＲＳ（Reference Signal）の構成。ＲＳのシーケンス、あるいはシーケンス番号でもよい。
（６）レピティション数。
（７）周波数ホッピングモード。
（８）周波数ホッピングパターン。
（９）前記（１）〜（８）の組合せ。
【０４３３】
該ＥＰＤＣＣＨが送信されるリソースに関する情報は、ＬＣ−ＭＴＣ  ＵＥが、ＥＰＤＣＣＨがマッピングされるリソースを特定できるものであればよい。ＥＰＤＣＣＨのスケジューリング情報であってもよい。このように、予め規格などで決めておくことによって、ＭＩＢの情報量を増大させることがなくなり、リソースの使用効率の低下を防ぐことが可能となる。
【０４３４】
ＳＩＢ−ＭＴＣ用ＤＣＩがマッピングされるＥＰＤＣＣＨのリソースに関する情報は、複数あってもよい。前述のＥＰＤＣＣＨが送信されるリソースに関する情報のグループが複数あってもよい。ＳＩＢ−ＭＴＣ用ＤＣＩがマッピングされるＥＰＤＣＣＨのリソースに関する情報、または前述のＥＰＤＣＣＨが送信されるリソースに関する情報のグループを複数とすることによって、セルは、電波伝搬状況に応じて、ＳＩＢ−ＭＴＣ用ＤＣＩがマッピングされるＥＰＤＣＣＨが送信されるリソースを変更することが可能となる。
【０４３５】
したがって、電波伝搬状況の変化に強い通信システムを構築することが可能となる。また、ＳＩＢ−ＭＴＣ用ＤＣＩがマッピングされるＥＰＤＣＣＨに対してレピティション受信が行われる場合、その回数を削減できるので、ＬＣ−ＭＴＣ  ＵＥの低消費電力化を図ることができる。
【０４３６】
しかし、単に複数のグループを設けただけでは、ＬＣ−ＭＴＣ  ＵＥは、どのグループが用いられるか認識することができない。この場合、全てのグループの情報に従って、全てのグループのＥＰＤＣＣＨが送信されるリソースを受信してＭＴＣ−ＰＩ−ＲＮＴＩで検出してもよい。しかし、全てのグループのＥＰＤＣＣＨを受信することは、ＬＣ−ＭＴＣ  ＵＥの動作を複雑にし、消費電力の増大をもたらす。
【０４３７】
そのような問題を解決するため、各ＥＰＤＣＣＨのリソースに関する情報と関連付けたインジケータを設けておくとよい。ＥＰＤＣＣＨが送信されるリソースに関する情報の各グループと関連付けたインジケータを設けておくとよい。インジケータと各グループのＥＰＤＣＣＨのリソースに関する情報とを、テーブルとして予め規格などで決めておく。ＬＣ−ＭＴＣ  ＵＥは、該テーブルを記憶しておく。
【０４３８】
セルが、どのＥＰＤＣＣＨのリソースに関する情報が有効かをＬＣ−ＭＴＣ  ＵＥに通知する方法は、実施の形態３の変形例３で開示した方法を適用すればよい。これによって、実施の形態３の変形例３と同様の効果を得ることができる。
【０４３９】
また、他の方法として、予めＳＩＢ−ＭＴＣ用ＤＣＩがマッピングされるＥＰＤＣＣＨが送信されるリソースに関する情報の導出方法を決めておいてもよい。この方法は、実施の形態３の変形例３で開示した方法を適用すればよい。これによって、実施の形態３の変形例３と同様の効果を得ることができる。
【０４４０】
ＬＣ−ＭＴＣ  ＵＥが、ＳＩＢ−ＭＴＣ用ＤＣＩがマッピングされるＥＰＤＣＣＨのスケジューリングに関する情報を取得する他の方法を開示する。該ＥＰＤＣＣＨのスケジューリングに関する情報のうち、時間方向のスケジューリングに関する情報と、その他のスケジューリングに関する情報とを別々に扱う。
【０４４１】
時間方向のスケジューリングに関する情報は、予め規格などで静的に決めておく。一通りでもよいし、複数であってもよい。あるいは、セルは、時間方向のスケジューリングに関する情報をＭＩＢで通知してもよい。複数の場合、実施の形態３の変形例３で開示したインジケータを用いる方法を適用するとよい。
【０４４２】
その他のスケジューリングに関する情報は、複数として、ＭＩＢで通知するとよい。実施の形態３の変形例３で開示したインジケータを用いる方法を適用するとよい。あるいは、予め導出方法を決めておく方法を適用してもよい。導出用関数の入力パラメータとして、ＬＣ−ＭＴＣ  ＵＥのＵＥ識別子（ＵＥ−ＩＤ）を用いて導出するようにしてもよい。時間方向のスケジューリングに関する情報として、前述の、周期、オフセットなどがある。
【０４４３】
このようにすることによって、実施の形態３の変形例３と同様の効果を得ることができる。
【０４４４】
本変形例を用いることによって、ＬＣ−ＭＴＣ  ＵＥが、ＳＩＢ−ＭＴＣ用ＤＣＩがマッピングされるＥＰＤＣＣＨを受信することが可能となる。また、ＳＩＢ−ＭＴＣ用ＤＣＩの有無を検出することが可能となる。ＳＩＢ−ＭＴＣ用ＤＣＩが有る場合は、ＳＩＢ−ＭＴＣ用ＤＣＩを受信することが可能となる。
【０４４５】
ＬＣ−ＭＴＣ  ＵＥのＳＩＢ−ＭＴＣ用ＤＣＩをＥＰＤＣＣＨにマッピングすることを開示したが、ＥＰＤＣＣＨに限らず、狭帯域なリソースを用いる物理下り制御チャネルであればよい。帯域削減をサポートするＬＣ−ＭＴＣ  ＵＥが受信可能な帯域内で構成される物理下り制御チャネルであればよい。
【０４４６】
カバレッジの拡張をサポートするＬＣ−ＭＴＣの場合、ＳＩＢ−ＭＴＣ用ＤＣＩがマッピングされるＥＰＤＣＣＨのレピティション送信方法、ＳＩＢ−ＭＴＣのレピティション送信方法、およびそれらの関係としては、前述のページング用制御情報がマッピングされるＰＤＣＣＨのレピティション送信方法、ページングのレピティション送信方法、およびそれらの関係を適用するとよい。
【０４４７】
これによって、カバレッジの拡張もサポートするＬＣ−ＭＴＣ  ＵＥがＳＩＢ−ＭＴＣ用制御情報を受信することが可能となり、それを用いてＳＩＢ−ＭＴＣを受信することが可能となる。
【０４４８】
実施の形態５  変形例１．
ページング用ＤＣＩがマッピングされるＥＰＤＣＣＨの時間リソースを、ＳＩＢ−ＭＴＣ用ＤＣＩがマッピングされるＥＰＤＣＣＨの時間リソースと同じにしてもよい。例えば、時間リソースを示す方法としては、無線フレームナンバとサブフレームナンバとがある。ページング用ＤＣＩがマッピングされるＥＰＤＣＣＨの無線フレームナンバおよびサブフレームナンバを、ＳＩＢ−ＭＴＣ用ＤＣＩがマッピングされるＥＰＤＣＣＨの無線フレームナンバおよびサブフレームナンバと同じにする。
【０４４９】
また、ページング用ＤＣＩがマッピングされるＥＰＤＣＣＨのレピティション数と、ＳＩＢ−ＭＴＣ用ＤＣＩがマッピングされるＥＰＤＣＣＨのレピティション数とを同じとしてもよい。カバレッジ拡張をサポートするＬＣ−ＭＴＣ  ＵＥの場合、そのロケーションおよび電波伝搬環境によって、レピティション数は決定される。
【０４５０】
したがって、セルが同一のサブフレームでＥＰＤＣＣＨを送信することによって、レピティション数を同じとしても、ＬＣ−ＭＴＣ  ＵＥは、両方のＤＣＩがマッピングされたＥＰＤＣＣＨを、受信品質の劣化を生じることなく、受信することができる。
【０４５１】
ＬＣ−ＭＴＣ  ＵＥは、ＲＲＣ＿Ｉｄｌｅ状態の場合、ＳＩＢ−ＭＴＣ用ＤＣＩがマッピングされたＥＰＤＣＣＨを受信するので、それに合わせてページング用ＤＣＩがマッピングされるＥＰＤＣＣＨを受信することが可能となる。したがって、ＬＣ−ＭＴＣ  ＵＥが、受信動作を行う期間を短縮することが可能となり、低消費電力化を図ることができる。
【０４５２】
ページング用ＤＣＩがマッピングされるＥＰＤＣＣＨの周期を、ＳＩＢ−ＭＴＣ用ＤＣＩがマッピングされるＥＰＤＣＣＨの周期の整数分の一、あるいは整数倍にしてもよい。このようにすることによって、ＬＣ−ＭＴＣ  ＵＥが、両方のＥＰＤＣＣＨ送信タイミングを無相関にした場合よりも受信動作を行う回数を減らすことができ、従って受信期間を短縮でき、低消費電力化を図ることができる。
【０４５３】
特に、ページング用ＤＣＩがマッピングされるＥＰＤＣＣＨの周期を、ＳＩＢ−ＭＴＣ用ＤＣＩがマッピングされるＥＰＤＣＣＨの周期の整数倍にした場合、さらにＬＣ−ＭＴＣ  ＵＥの低消費電力化を図ることができる。一旦ＳＩＢ−ＭＴＣを受信したＬＣ−ＭＴＣ  ＵＥは、ページングでＳＩ変更（SI modification）が通知されるまで、ＳＩＢ−ＭＴＣを受信しなくてもよい。
【０４５４】
したがって、ページングの周期をＳＩＢ−ＭＴＣの周期の整数倍にすることによって、ページングの周期間のＳＩＢ−ＭＴＣを受信する必要がなくなる。さらに、ページングの受信とともに、ＳＩＢ−ＭＴＣの受信を行うことができるようになる。したがって、ＬＣ−ＭＴＣ  ＵＥの低消費電力化を図ることができる。
【０４５５】
周期は、予め規格などで静的に決めておく。あるいは、ＭＩＢに含めて通知してもよい。周期の値とそれを示すインジケータとを設けてテーブルとし、予め規格などで該テーブルを静的に決めておき、ＭＩＢに該インジケータを含めて通知してもよい。実施の形態３の変形例３あるいは実施の形態５の方法を適用してもよい。
【０４５６】
ページング用ＤＣＩとＳＩＢ−ＭＴＣ用ＤＣＩとを、同一のＥＰＤＣＣＨ内にマッピング可能としてもよい。ＥＰＤＣＣＨは、複数のＤＣＩを含むようにする。ＳＩＢ−ＭＴＣ用ＤＣＩは、ＭＴＣ−ＳＩ−ＲＮＴＩでマスクされて該ＥＰＤＣＣＨにマッピングされる。ページング用ＤＣＩは、ＭＴＣ−ＰＩ−ＲＮＴＩでマスクされ、該ＥＰＤＣＣＨにマッピングされる。
【０４５７】
ＬＣ−ＭＴＣ  ＵＥは、該ＥＰＤＣＣＨをＭＴＣ−ＳＩ−ＲＮＴＩで検出することによって、ＳＩＢ−ＭＴＣ用ＤＣＩを取得することが可能となる。また、ＬＣ−ＭＴＣ  ＵＥは、該ＥＰＤＣＣＨをＭＴＣ−ＰＩ−ＲＮＴＩで検出することによって、ページング用ＤＣＩを取得することが可能となる。
【０４５８】
このようにすることによって、ＥＰＤＣＣＨが送信されるタイミングで、一つのＥＰＤＣＣＨのリソースのみを各ＲＮＴＩで検出すればよくなる。したがって、ＬＣ−ＭＴＣ  ＵＥの受信期間をさらに削減することが可能となり、低消費電力化を図ることができる。
【０４５９】
この場合、ページング用ＤＣＩがマッピングされるＥＰＤＣＣＨのタイミングは、従来のＰＦ／ＰＯに従わなくなる。ページング用ＤＣＩがマッピングされるＥＰＤＣＣＨのタイミングについては、予め規格などで決めておくとよい。ページング用ＤＣＩがマッピングされるＥＰＤＣＣＨの時間リソースを、ＳＩＢ−ＭＴＣ用ＤＣＩがマッピングされるＥＰＤＣＣＨの時間リソースと同じにすることを予め決めておくとよい。
【０４６０】
このようにすることによって、ＬＣ−ＭＴＣ  ＵＥは、ページング用ＤＣＩがマッピングされるＥＰＤＣＣＨのタイミングを認識することが可能となる。
【０４６１】
あるいは、ＳＩＢ−ＭＴＣ用ＤＣＩがマッピングされるＥＰＤＣＣＨの時間リソースの中から、ページング用ＤＣＩがマッピングされるＥＰＤＣＣＨの無線フレーム（ＰＦ）とサブフレーム（ＰＯ）とを導出する関数を新たに設けてもよい。ＬＣ−ＭＴＣ  ＵＥのＵＥ識別子（ＵＥ−ＩＤ）を導出用関数の入力パラメータとするとよい。このようにすることによって、多数のＬＣ−ＭＴＣ  ＵＥへページングを送信するサブフレームを分散できる。
【０４６２】
ページング用ＤＣＩがマッピングされるＥＰＤＣＣＨと、ＳＩＢ−ＭＴＣ用ＤＣＩがマッピングされるＥＰＤＣＣとについて開示したが、いずれもＥＰＤＣＣＨに限らず、狭帯域なリソースを用いる物理下り制御チャネルであればよい。帯域削減をサポートするＬＣ−ＭＴＣ  ＵＥが受信可能な帯域内で構成される物理下り制御チャネルであればよい。
【０４６３】
実施の形態６．
従来の上りチャネル（ＰＵＳＣＨ、ＰＵＣＣＨ）の送信電力は、パスロス（Path Loss：ＰＬ）を用いて、以下のように導出される（非特許文献１４参照）。
上りチャネル送信電力＝ｆ（ｘ），ｘ＝ＰＬ
【０４６４】
パスロス（ＰＬ）は、セルがＵＥに対して通知する送信電力に関する情報と、ＵＥが測定した受信電力とを用いて導出される。カバレッジの拡張が要求されるＬＣ−ＭＴＣ  ＵＥにおいて上りチャネルのレピティション送信が行われることが検討されている。本実施の形態では、ＬＣ−ＭＴＣ  ＵＥがレピティション送信を行う場合の上りチャネル送信電力導出方法について開示する。
【０４６５】
ＬＣ−ＭＴＣ  ＵＥが導出したＰＬを、上りチャネルの全送信回数で割った値を新たに設ける。ここではＰＬ−Ｒとする。全送信回数は、初送とレピティション送信数とを合計した数とする。該ＰＬ−Ｒを、従来のＰＬに代えて、上りチャネルの送信電力の導出に用いる。したがって、以下のように導出される。
上りチャネル送信電力＝ｆ（ｘ），ｘ＝ＰＬ−Ｒ＝ＰＬ／全送信回数
【０４６６】
従来の方法でＰＬを導出した場合、例えば拡張されたカバレッジ端に存在するＬＣ−ＭＴＣＵＥが導出したＰＬの値は、通常のカバレッジ端に存在するＵＥが導出したＰＬの値よりも大きくなる。したがって、従来の方法で導出したＰＬを用いて上りチャネルの送信電力を導出した場合、拡張されたカバレッジ端に存在するＬＣ−ＭＴＣ  ＵＥの上りチャネルの送信電力は、通常のカバレッジ端に存在するＵＥの上りチャネルの送信電力よりも大きくなる。大きい上りチャネルの送信電力でレピティション送信を行うことは、セルにおける受信電力を過剰に大きくすることになる。
【０４６７】
したがって、本実施の形態で開示した方法を用いることによって、ＬＣ−ＭＴＣ  ＵＥにおいて上りチャネルのレピティション送信が行われる場合に、セルの受信電力を適正にすることが可能となる。また、ＬＣ−ＭＴＣ  ＵＥにおいても上りチャネルの送信電力を低減できるので、消費電力の削減が可能となる。
【０４６８】
ＬＣ−ＭＴＣ  ＵＥが上りチャネルのレピティション送信を行う場合、直前までの送信に対する上りチャネル受信確認応答、例えばａｃｋ／ｎａｃｋの受信を行わずに、次のレピティション送信を行ってもよい。このようにすることによって、１回毎の送信に対して、該受信確認応答の受信を行わずに上りチャネルのレピティション送信を行うことが可能となるので、制御遅延を短縮することが可能となる。この場合、セルは、該受信確認応答をＬＣ−ＭＴＣ  ＵＥに対して送信しなくてもよい。
【０４６９】
この場合、本実施の形態で開示した上りチャネル送信電力導出方法を用いるとよい。ＬＣ−ＭＴＣ  ＵＥは、初送およびレピティション送信を含めて全送信を行うことになる。したがって、ＬＣ−ＭＴＣ  ＵＥは、多大な電力で全送信を行う場合よりも送信電力を低減することができ、消費電力の削減が可能となる。また、セルも、ＬＣ−ＭＴＣ  ＵＥからの初送およびレピティション送信をあわせて適正な受信電力を得ることが可能となる。
【０４７０】
ＬＣ−ＭＴＣ  ＵＥが上りチャネルのレピティション送信を行う場合、直前までの送信に対する上るチャネル受信確認応答の受信を行ってもよい。セルは、ＬＣ−ＭＴＣ  ＵＥからの上りチャネルの送信に対する該受信確認応答を送信する。この場合、ＬＣ−ＭＴＣ  ＵＥは、従来の上りチャネル送信電力の導出方法で行うとよい。ＬＣ−ＭＴＣ  ＵＥは、ＰＬに見合った送信電力で送信できるので、セルは、少ない回数で上りチャネルを受信することが可能となる場合がある。このような場合に、セルは、ＬＣ−ＭＴＣ  ＵＥに、該受信確認応答を送信する。該受信確認応答を受信したＬＣ−ＭＴＣ  ＵＥは、レピティション送信を停止する。
【０４７１】
したがって、ＬＣ−ＭＴＣ  ＵＥは、少ないレピティション回数で上りチャネル送信を行うことが可能となる。これによって、リソースの使用効率を向上させることが可能となる。
【０４７２】
ＬＣ−ＭＴＣ  ＵＥのパスロスの導出用に新たにオフセット値を設けてもよい。ＬＣ−ＭＴＣ  ＵＥがパスロスを導出する場合に、該オフセット値を用いるとよい。該オフセット値は、セル毎に設定してもよいし、ＵＥ毎に設定してもよい。セル毎に設定する場合、セルは、ＬＣ−ＭＴＣ  ＵＥ用のＳＩとして報知する。あるいは、ＲＲＣシグナリングを用いて個別にＬＣ−ＭＴＣ  ＵＥに通知してもよい。ＵＥ毎に設定する場合、セルはＲＲＣシグナリングを用いて、個別にＬＣ−ＭＴＣ  ＵＥに通知するとよい。
【０４７３】
他の方法として、ＬＣ−ＭＴＣ  ＵＥの上りチャネル送信電力導出用に新たにオフセット値を設けてもよい。ＬＣ−ＭＴＣ  ＵＥが上りチャネル送信電力を導出する場合に、該オフセット値を用いるとよい。該オフセット値は、セル毎に設定してもよいし、UE毎に設定してもよい。セルからＬＣ−ＭＴＣ  ＵＥへの通知方法を適用するとよい。また、前記２つの方法を組み合わせて用いてもよい。
【０４７４】
このようにすることによって、従来のＵＥとは別に、ＬＣ−ＭＴＣ  ＵＥに対する設定を変えることができる。また、電波伝搬環境および干渉の状況に応じて、ＬＣ−ＭＴＣ  ＵＥの送信電力を柔軟に設定することができる。これによって、従来のＵＥとＬＣ−ＭＴＣ  ＵＥとが混在するような場合でも、安定した通信システムを構築することが可能となる。
【０４７５】
実施の形態７．
認可されたスペクトルであるライセンススペクトル（licensed spectrum）の補完的ツールとして、認可されていないスペクトルであるアンライセンススペクトル（unlicensed spectrum）を用いるシステムへの要求が高まっている。アンライセンススペクトル（unlicensed spectrum）の例として、無線ＬＡＮなどに用いられているＩＳＭバンドがある。３ＧＰＰでは、ＬＴＥを用いて、ライセンススペクトル（licensed spectrum）の補完的ツールとしてアンライセンススペクトル（unlicensed spectrum）を用いる、LAA(Licensed-Assisted Access)が検討されている。アンライセンススペクトル（unlicensed spectrum）として、ＤＬのみ、あるいは、ＵＬとＤＬがある。
【０４７６】
アンライセンススペクトル（unlicensed spectrum）を使用する場合、他のアンライセンススペクトル（unlicensed spectrum）使用システムとの公平な共存方法が必要である。
【０４７７】
したがって、ＬＡＡでは、少なくとも以下の（１）〜（５）の５つの機能を備えることが要求されている。
【０４７８】
（１）Listen-before-talk（clear channel assessment）
（２）最大送信継続時間で制限されるキャリアにおける間欠送信（Discontinuous transmission on a carrier with limited maximum transmission duration）
（３）ある帯域または領域での探知回避のための動的周波数選択（Dynamic frequency selection for radar avoidance in certain bands/regions）
（４）キャリア選択（Carrier selection）
（５）送信電力制御（Transmission Power Control：ＴＰＣ）
【０４７９】
３ＧＰＰでは、これらの要求事項を満たすための解決策が検討されている。非特許文献１５では、例えば、データの送信について以下の（１），（２）の２通りの方法が開示されている。
【０４８０】
（１）ＦＢＥ（Frame Based Equipments）
フレーム境界タイミングに合わせてクリアチャネル評価（Clear Channel Assessment：ＣＣＡ）を行い、クリアである場合は、データ送信を行う。ビジーである場合は、次のフレーム境界タイミングで再度ＣＣＡを行う。
【０４８１】
（２）ＬＢＥ（Load Based Equipments）
連続してＣＣＡを行い、予め定める回数クリアである場合は、即座にデータ送信を行う。
【０４８２】
アンライセンススペクトル（unlicensed spectrum）では、他のシステムと公平性を保ち、共存を可能とするために、データ送信を長期間連続して行うことができない。セルは、データ送信が必要な場合に間欠送信し、データ送信が不要な場合は何も送信を行わないようにすることが提案されている。しかし、セルから何も送信が行われない場合、ＵＥは、アンライセンススペクトル（unlicensed spectrum）の同期あるいは測定（measurement）が不可能となってしまうという問題が生じる。
【０４８３】
このため、アンライセンススペクトル（unlicensed spectrum）の同期用あるいは測定（measurement）用の信号が必要となる。アンライセンススペクトル（unlicensed spectrum）の同期用あるいは測定（measurement）用の信号として、周期的に少ないサブフレーム数で送信される信号が検討されている。例えば、スモールセルに用いられるＤＳ（Discovery Signal）の適用が提案されている（非特許文献１６参照）。DＳ送信は周期的であり、該送信タイミングは、サブフレーム単位で決定される。また、予めｅＮＢからＵＥにＤＳ測定周期およびオフセットなどのＤＳ測定用の設定が通知される。ＵＥは、ｅＮＢから通知されたＤＳ測定用の設定に従って、ＤＳを受信する。
【０４８４】
しかし、アンライセンススペクトル（unlicensed spectrum）の同期用あるいは測定（measurement）用の信号を送信する場合も、他のシステムとの衝突を避け、他のシステムと公平性を保ち、共存を可能としなければならない。前述のように、データの送信については公平な共存方法が提案されているが、このようなアンライセンススペクトル（unlicensed spectrum）の同期用あるいは測定（measurement）用の信号についての公平な共存方法はまだ無い。
【０４８５】
ＵＥは、セルから何も送信が行われない場合、データの受信時のように、毎サブフレームＰＤＣＣＨを受信して、ＰＤＳＣＨのスケジューリング情報の有無を検出するわけではない。したがって、データ送信時の公平な共存方法をそのまま適用することはできない。
【０４８６】
したがって、何ら工夫がなければ、ＵＥは、アンライセンススペクトル（unlicensed spectrum）の同期あるいは測定（measurement）が不可能となってしまうという問題が生じる。
【０４８７】
この課題を解決する方法を以下に開示する。セルは、アンライセンススペクトル（unlicensed spectrum）の同期用あるいは測定（measurement）用の信号を送信する前に、ＣＣＡを行う。アンライセンススペクトル（unlicensed spectrum）の同期用あるいは測定（measurement）用の信号として、ＤＳとしてもよい。
【０４８８】
図２０は、実施の形態７におけるアンライセンススペクトル（unlicensed spectrum）上でのセルのＤＳの送信とＵＥの測定の一例を示す概念図である。横軸は時間である。ＤＳ１９１は、一つまたは複数のサブフレームの組みから構成される区間（以下「ＤＳ送信区間」という場合がある）である。ＤＳが複数のサブフレームの組みから構成される場合、一つのサブフレームのＤＳを繰り返してもよい。
【０４８９】
図２０に示す例では、ＤＳ送信区間が２つのサブフレームで構成される場合について示す。斜線でハッチングされているサブフレームは、実際にＤＳが送信されるサブフレームである。セルは、アンライセンススペクトル（unlicensed spectrum）上で、ＤＳをＤＳの送信周期（Ｔｄｓ）間隔で周期的に送信する。
【０４９０】
ＣＣＡ１９２は、ＤＳを送信する前に必ず行うようにする。ＣＣＡによってクリアである場合は、ＤＳ送信を行う。図２０において、ＣＣＡを空白で記す場合は、クリア（clear）であることを表す。ＣＣＡは、ＤＳの送信が開始されるサブフレーム境界で行われるとよい。ＣＣＡが行われる間、ＤＳの送信を行わないようにするとよい。あるいは、ＣＣＡの終了タイミングが、ＤＳの送信が開始されるサブフレーム境界となるようにしてもよい。このようにすることによって、セルは、ＤＳを送信することが可能となる。
【０４９１】
セルは、アンライセンススペクトル（unlicensed spectrum）を構成するＵＥに対して、アンライセンススペクトル（unlicensed spectrum）上のＤＳの測定に関する設定を通知する。ＤＳの測定に関する設定として、ＤＳの測定周期（Ｔｍｅａｓ＿ｐ）、オフセット（測定開始タイミング）、ＤＳの測定区間（Ｔｍｅａｓ＿ｄ）がある。
【０４９２】
ＵＥは、オフセットからＤＳの測定区間（Ｔｍｅａｓ＿ｄ）にＤＳを測定する。オフセットからＤＳの測定周期（Ｔｍｅａｓ＿ｐ）間隔で、ＤＳの測定区間（Ｔｍｅａｓ＿ｄ）にＤＳの測定を繰り返す。セルは、アンライセンススペクトル（unlicensed spectrum）上のＤＳの測定に関する設定を行う。該ＤＳの測定に関する設定は、アンライセンススペクトル（unlicensed spectrum）上のセルが行ってもよいし、ライセンススペクトル（licensed spectrum）上でＵＥと接続しているセルが行ってもよい。
【０４９３】
該設定をアンライセンススペクトル（unlicensed spectrum）上のセルが行う場合、セルは、ＵＥに対して、該設定を通知するとよい。あるいは、ライセンススペクトル（licensed spectrum）上でＵＥと接続しているセルが該設定をアンライセンススペクトル（unlicensed spectrum）上のセルから取得し、ＵＥに対して通知してもよい。
【０４９４】
該設定をライセンススペクトル（licensed spectrum）上でＵＥと接続しているセルが行う場合、セルは、ＵＥに対して、該設定を通知するとよい。セルは、該設定を、ＵＥに対してアンライセンススペクトル（unlicensed spectrum）の構成に関する情報とともに通知するとよい。
【０４９５】
セルは、該設定を、個別シグナリングでＵＥに対して通知してもよい。ＲＲＣシグナリングを用いるとよい。ＵＥ個別に設定が可能となる。あるいは、セルのシステム情報として報知してもよい。セル毎に設定することが可能となり、多数のＵＥに通知する場合、個別シグナリングの情報量を削減することができる。
【０４９６】
このようにすることによって、アンライセンススペクトル（unlicensed spectrum）を構成されたＵＥは、ＤＳの測定が可能となり、アンライセンススペクトル（unlicensed spectrum）の同期、および測定（measurement）を行うことが可能となる。
【０４９７】
しかし、この場合、ＣＣＡによって、クリア（clear）でないとなった場合、該ＤＳ送信区間でＤＳを送信することができなくなる。ＤＳを送信できなくなると、ＵＥは、セルから通知されたＤＳ測定区間（Ｔｍｅａｓ＿ｄ）中にＤＳを受信することができなくなり、アンライセンススペクトル（unlicensed spectrum）と同期がとれなくなる、あるいは、アンライセンススペクトル（unlicensed spectrum）の測定（measurement）が行えなくなるなどの問題が生じる。
【０４９８】
これらの問題を解決する方法を以下に開示する。第２のＤＳ送信周期（ＤＳ送信周期２（Ｔｄｓ２））を設ける。セルは、ＣＣＡによって、クリア（clear）でないとき、第２のＤＳ送信周期後のＤＳ送信タイミングで再度ＣＣＡを行う。
【０４９９】
ＤＳ送信周期２の具体例として、以下の（１）〜（５）の５つを開示する。
（１）ＤＳ送信区間と同じとする。
ＤＳ送信区間終了後、再度ＣＣＡを行う。
（２）ＵＥに設定されるＤＳ測定区間と同じとする。
ＵＥは、ＤＳ測定区間終了後、ＤＳを受信できない場合、引き続き再度ＤＳ測定区間、ＤＳの測定を行う。
（３）ＤＳ送信周期内とする。
また、ＣＣＡによるＤＳ送信回数に上限値を設けてもよい。送信回数上限値の場合のＣＣＡによるＤＳ送信を行う期間が、ＤＳ送信周期内となるようにしてもよい。ＤＳ送信周期の整数分の一としてもよい。
（４）ＤＳ送信周期と同じにする。
（５）前記（１）〜（４）の組合せ。
【０５００】
第２のＤＳ送信周期の設定は、アンライセンススペクトル（unlicensed spectrum）上のセルが行ってもよいし、ライセンススペクトル（licensed spectrum）上でＵＥと接続しているセルが行ってもよい。これによって、電波伝搬環境および他のシステムとの共存を考慮して柔軟に設定することが可能となる。
【０５０１】
ＵＥのＤＳの測定方法について以下に開示する。ＵＥは、ＣＣＡによってＤＳがいつ送信されるかが判らないので、ＣＣＡ用ＤＳ測定ウィンドウ（window）を設ける。ＵＥは、ＣＣＡ用ＤＳ測定ウィンドウの期間にＤＳが送信されると仮定して、ＤＳの測定を行う。ＣＣＡ用ＤＳ測定ウィンドウとして、例えば、ＤＳの第２の測定区間（測定区間２（Ｔｍｅａｓ＿ｄ２））を設けるとよい。
【０５０２】
ＤＳ測定区間２は、ＤＳ送信周期２およびＣＣＡによるＤＳ送信回数の設定に応じて設定するとよい。送信回数が上限値の場合のＣＣＡによるＤＳ送信を行う期間よりも、長く設定するとよい。ＵＥは、ＤＳ測定区間およびＤＳ測定区間２の間、ＤＳを受信する。仮に、ＤＳを受信できなかった場合、ＵＥは、ＤＳ測定区間２の間、ＤＳ測定区間のＤＳの受信を繰り返す。
【０５０３】
ＵＥは、ＤＳを受信した場合、受信の途中であってもＤＳの受信を終了してもよい。ＵＥは、ＤＳを受信し、同期および測定（measurement）の少なくともいずれか一方を実行できた場合、途中であってもＤＳの受信を終了してもよい。たとえ、ＤＳ送信区間（ＤＳ送信の１セット）での途中であってもＤＳの受信を終了してもよい。また、ＣＣＡ用ＤＳ測定ウィンドウとして、オフセット（測定開始タイミング）を設けてもよい。ＤＳ測定区間の先頭からのオフセットとするとよい。サブフレーム単位としてもよい。
【０５０４】
セルは、アンライセンススペクトル（unlicensed spectrum）を構成するＵＥに対して、ＤＳ測定ウィンドウの設定を行う。ＤＳ測定ウィンドウの設定は、アンライセンススペクトル（unlicensed spectrum）上のセルが行ってもよいし、ライセンススペクトル（licensed spectrum）上でＵＥと接続しているセルが行ってもよい。
【０５０５】
該設定をアンライセンススペクトル（unlicensed spectrum）上のセルが行う場合、セルは、ＵＥに対して、該設定を通知するとよい。あるいは、ライセンススペクトル（licensed spectrum）上でＵＥと接続しているセルが、該設定をアンライセンススペクトル（unlicensed spectrum）上のセルから取得し、ＵＥに対して通知してもよい。該設定をライセンススペクトル（licensed spectrum）上でＵＥと接続しているセルが行う場合、セルはＵＥに対して、該設定を通知するとよい。
【０５０６】
セルは、該設定をアンライセンススペクトル（unlicensed spectrum）上のＤＳの測定に関する設定に含めて通知してもよい。また、セルは、アンライセンススペクトル（unlicensed spectrum）上のＤＳに対して、ＣＣＡを行うか否かの情報をＵＥに通知してもよい。どのようなＣＣＡの方法で行うかの情報もＵＥに通知してもよい。アンライセンススペクトル（unlicensed spectrum）上のＤＳの測定に関する設定に含めて通知してもよい。
【０５０７】
セルは、該設定を、個別シグナリングでＵＥに対して通知してもよい。ＲＲＣシグナリングを用いるとよい。ＵＥ個別に設定が可能となる。あるいは、セルのシステム情報として報知してもよい。セル毎に設定することが可能となり、多数のＵＥに通知する場合、個別シグナリングの情報量を削減することができる。
【０５０８】
本実施の形態では、ＤＳについて記載したが、これに限らず、アンライセンススペクトル（unlicensed spectrum）の同期用あるいは測定（measurement）用の信号であればよい。
【０５０９】
図２１は、実施の形態７におけるアンライセンススペクトル（unlicensed spectrum）上でのセルのＤＳの送信とＵＥの測定の一例を示す概念図である。ＣＣＡ２０１，２０３，２０５のうち、斜線でハッチングされている場合はクリア（clear）でない場合を表し、ハッチングされていない場合はクリア（clear）である場合を表している。
【０５１０】
ＤＳ２０２，２０４，２０６のうち、斜線でハッチングされている場合はＤＳが送信されている場合を表し、ハッチングされていない場合はＤＳが送信されていない場合を表している。
【０５１１】
セルは、ＣＣＡ２０１を行い、クリア（clear）でない場合、ＤＳ２０２の送信は行わない。ＣＣＡによってクリア（clear）でない場合、ＤＳ送信周期２の後に、再度ＣＣＡ２０３を行う。セルは、ＣＣＡ２０３を行い、再度クリア（clear）でない場合、ＤＳ２０４の送信を行わず、ＤＳ送信周期２の後に、再度ＣＣＡ２０５を行う。セルは、ＣＣＡ２０５を行い、クリア（clear）である場合、ＤＳ２０６の送信を行う。
【０５１２】
セルは、アンライセンススペクトル（unlicensed spectrum）上でＤＳをＤＳ送信周期（Ｔｄｓ）間隔で周期的に送信する。セルは、ＤＳを送信する前に、必ずＣＣＡを行い、前述の開示した方法に従う。
【０５１３】
ＵＥは、ＣＣＡ用ＤＳ測定ウィンドウであるＤＳ測定区間２の間、ＤＳの測定を行う。ＵＥは、ＤＳ測定区間とＤＳ送信周期２とが通知されている場合、ＤＳ測定区間２の間、ＤＳ送信周期２でＤＳ測定区間およびＤＳの測定を繰り返してもよい。ＵＥは、ＤＳを受信した場合、受信の途中であってもＤＳの受信を終了する。
【０５１４】
図２１では、ＤＳ２０６を受信し、同期および測定（measurement）の少なくともいずれか一方を実行し、ＤＳの受信を終了する。ＵＥは、ＤＳを受信した場合、ＤＳ測定周期（Ｔｍｅａｓ＿ｐ）後に再度ＤＳの測定を行う。ＵＥは、ＤＳ測定周期（Ｔｍｅａｓ＿ｐ）間隔で周期的にＤＳの測定を行う。ＤＳの測定にあたっては、前述の開示した方法に従う。
【０５１５】
本実施の形態で開示した方法を用いることによって、セルがアンライセンススペクトル（unlicensed spectrum）上で同期用および測定（measurement）用の少なくともいずれか一方の信号を送信する場合、たとえクリア（clear）でないとなった場合でも、再度該シグナルを送信することができる。また、ＵＥにおいても、セルがＤＳを送信する前に、ＣＣＡでたとえクリア（clear）でないとなった場合でも、同期用および測定（measurement）用の少なくともいずれか一方の信号を受信することが可能となる。
【０５１６】
したがって、ＵＥは、そのような場合でも、アンライセンススペクトル（unlicensed spectrum）の同期および測定（measurement）の少なくともいずれか一方が可能となる。これによって、アンライセンススペクトル（unlicensed spectrum）の同期用および測定（measurement）用の少なくともいずれか一方の信号にＣＣＡを導入することが可能となる。これによって、アンライセンススペクトル（unlicensed spectrum）上の他のシステムとの衝突を避けることが可能となり、他のシステムとの公平性を確保することができ、共存が可能となる。
【０５１７】
実施の形態７  変形例１．
実施の形態７で開示した方法では、ＣＣＡによってクリア（clear）とならなかった場合、ＤＳ送信周期２で送信が行われる。したがって、ＤＳ送信周期２の間は、ＤＳの送信が行えないことになる。ＣＣＡの結果、クリア（clear）でない場合、ＤＳを送信するまでに遅延が生じることになる。したがって、ＵＥは、アンライセンススペクトル（unlicensed spectrum）上のセルとの同期および測定（measurement）が遅延してしまうことになる。
【０５１８】
このような問題を解決する方法を以下に開示する。セルは、ＣＣＡによってクリア（clear）でない場合、引き続き連続してＣＣＡを行う。セルは、ＣＣＡでクリア（clear）になった場合、即座にＤＳを送信する。あるいは、セルは、ＣＣＡが予め定める回数クリア（clear）になった場合に、即座にＤＳを送信するとしてもよい。ＣＣＡによるＤＳの送信回数に上限値を設けるとよい。送信回数の上限値の場合のＣＣＡによるＤＳ送信を行う期間が、ＤＳ送信周期内となるようにしてもよい。
【０５１９】
ＵＥのＤＳの測定方法については、実施の形態７で開示した方法を適用するとい。また、セルがアンライセンススペクトル（unlicensed spectrum）を構成するＵＥに対してＤＳ測定ウィンドウの設定を行う方法、該設定をＵＥに通知する方法は、実施の形態７で開示した方法を適用するとよい。
【０５２０】
図２２は、実施の形態７の変形例１における、アンライセンススペクトル（unlicensed spectrum）上でのセルのＤＳの送信とＵＥの測定の一例を示す概念図である。図２２に示す概念図は、前述の図２１に示す概念図と類似しているので、同一の構成については同一の参照符号を付して、共通する説明を省略する。
【０５２１】
ＣＣＡ２１１のうち、斜線でハッチングされている場合はクリア（clear）でない場合を表し、ハッチングされていない場合はクリア（clear）である場合を表している。ＤＳ２１２のうち、斜線でハッチングされている場合はＤＳが送信されている場合を表し、ハッチングされていない場合はＤＳが送信されていない場合を表している。
【０５２２】
セルは、ＣＣＡ２１３を行い、クリア（clear）でない場合、引き続き連続してＣＣＡを行う。セルは、ＣＣＡが予め定める回数クリア（clear）となった場合に、即座にＤＳを送信する。予め定める回数は、予め規格などで静的に決められてもよい。あるいは、コアネットワーク側あるいはオペレータが決定し、予めセルに通知されてもよい。ここでは、予め定める回数を３回とする。セルは、ＣＣＡ２１４によって３回目のクリア（clear）となった場合、ＤＳ２１５の送信を行う。
【０５２３】
セルは、アンライセンススペクトル（unlicensed spectrum）上でＤＳを、ＤＳ送信周期（Ｔｄｓ）間隔で周期的に送信する。セルは、ＤＳを送信する前に、必ずＣＣＡを行い、前述の開示した方法に従う。
【０５２４】
ＵＥは、ＣＣＡ用ＤＳ測定ウィンドウであるＤＳ測定区間２の間、ＤＳの測定を行う。ＵＥは、ＤＳ測定区間が通知されていたとしても、ＤＳ測定区間２の間、ＤＳの測定を行うようにするとよい。このようにすることによって、たとえＣＣＡによってＤＳの送信がＵＥの測定区間を超えたとしても、ＵＥは、第２のＤＳ測定区間の間、ＤＳの測定を行うことで、ＤＳを測定することが可能となる。ＵＥは、ＤＳを受信した場合、受信の途中であってもＤＳの受信を終了する。
【０５２５】
図２２では、ＤＳ２１２を受信し、同期および測定（measurement）を実行し、ＤＳの受信を終了する。ＵＥは、ＤＳを受信した場合、ＤＳ測定周期（Ｔｍｅａｓ＿ｐ）後に、再度ＤＳの測定を行う。ＵＥは、ＤＳ測定周期（Ｔｍｅａｓ＿ｐ）間隔で周期的にＤＳの測定を行う。ＤＳの測定にあたっては、前述の開示した方法に従う。
【０５２６】
本変形例で開示した方法を用いることによって、実施の形態７と同様の効果を得ることができる。また、セルは、ＤＳ送信周期２に従い、次のＤＳ送信タイミングまで待つことなく、ＣＣＡを行うことが可能となる。したがって、セルは、ＣＣＡによってクリア（clear）であった場合、即座にＤＳの送信を行うことができる。ＤＳを送信するまでの遅延を削減することが可能となる。
【０５２７】
また、ＵＥは、アンライセンススペクトル（unlicensed spectrum）上のセルとの同期および測定（measurement）にかかる時間を短縮することが可能となる。したがって、制御遅延を削減することが可能となる。また、ＵＥの消費電力の削減も可能となる。
【０５２８】
セルは、ＣＣＡによってクリア（clear）であった場合、即座にＤＳの送信を行うとしたが、次のサブフレームからＤＳの送信を行うとしてもよい。ＤＳの送信は、次のサブフレームの先頭からでもよいし、予め定めるシンボル後からでもよい。予め定めるシンボルは、ＵＥに通知してもよい。予め定めるシンボルの通知方法は、実施の形態７で開示した方法を適用するとよい。ＣＣＡの終了と次のＤＳの送信開始までの時間が存在する場合、該時間に占有状態を示す信号を送信してもよい。
【０５２９】
このようにすることによって、該時間に、他のシステムが該アンライセンススペクトル（unlicensed spectrum）を使用することを防ぐことが可能となり、セルは、次のＤＳの送信開始時に、他のシステムとの衝突無く、ＤＳを送信することができる。また、ＤＳを送信するまでの遅延を削減することが可能となる。
【０５３０】
図２３および図２４は、実施の形態７の変形例１におけるＤＳの送信とＵＥの測定を用いた場合のデータ通信までの処理の一例を示す図である。図２３と図２４とは、境界線ＢＬ１の位置で、つながっている。図２３および図２４に示す概念図は、前述の図２２に示す概念図と類似しているので、同一の構成については同一の参照符号を付して、共通する説明を省略する。
【０５３１】
ＣＣＡ２１１のうち、斜線でハッチングされている場合はクリア（clear）でない場合を表し、ハッチングされていない場合はクリア（clear）である場合を表している。ＤＳ２１２のうち、斜線でハッチングされている場合はＤＳが送信されている場合を表し、ハッチングされていない場合はＤＳが送信されていない場合を表している。
【０５３２】
セル＃１（Cell#1）は、ライセンススペクトル（licensed spectrum）上のセルで、ＵＥがＲＲＣ接続しているセルである。セル＃２（Cell#2）は、アンライセンススペクトル（unlicensed spectrum）上のセルである。図２３および図２４に示す例では、セル＃２がＤＳ送信設定を行う場合について示している。ＤＳの送信設定として、ＤＳの送信周期、オフセット（測定開始タイミング）、ＤＳのシーケンス、ＣＣＡを行うか否か、どのＣＣＡの方法で行うか、がある。
【０５３３】
ステップＳＴ２２０１において、セル＃２は、該ＤＳ送信設定（DS configuration）をセル＃１に通知する。セル＃１は、通知された該ＤＳ送信設定を用いて、アンライセンススペクトル（unlicensed spectrum）上のＤＳの測定に関する設定を行う。
【０５３４】
ステップＳＴ２２０２において、セル＃１は、ＤＳの測定に関する設定（Measurement configuration）を、ＵＥに対して通知する。アンライセンススペクトル（unlicensed spectrum）上のＤＳの測定に関する設定として、アンライセンススペクトル（unlicensed spectrum）の周波数（キャリア周波数）、ＤＳ測定周期（Ｔｍｅａｓ＿ｐ）、オフセット（測定開始タイミング）、ＣＣＡ用ＤＳ測定ウィンドウ（ＤＳ測定区間２（Ｔｍｅａｓ＿ｄ２））を含める。ＤＳのシーケンスを含めてもよい。ＣＣＡを行うか否かの情報、どのＣＣＡの方法で行うかの情報を含めてもよい。また、測定報告に関する情報を含めてもよい。
【０５３５】
セル＃２は、データ送信を行っていない場合、ＤＳ送信設定に従って、ＤＳの送信を行う。ステップＳＴ２２０２で、セル＃１からアンライセンススペクトル（unlicensed spectrum）上のＤＳの測定に関する設定を受信したＵＥは、ステップＳＴ２２０３において、通知されたアンライセンススペクトル（unlicensed spectrum）の周波数（キャリア周波数）上で、ＤＳの測定を行う。ＵＥは、アンライセンススペクトル（unlicensed spectrum）の周波数（キャリア周波数）上で、測定開始タイミングから、ＣＣＡ用ＤＳ測定ウィンドウの間、ＤＳの測定を行い、ＤＳ測定周期で繰り返す。
【０５３６】
一つあるいは複数のＤＳを受信したＵＥは、測定報告のクライテリアを満足した場合、ステップＳＴ２２０４において、測定報告（Measurement report）をセル＃１に通知する。測定報告として、ＰＣＩなどのセルの識別、ならびにＲＳＲＰおよびＲＳＲＱなどの受信品質を報告する。測定報告のクライテリアは、予め規格などで決めておくとよい。ここでは、セル＃２のＤＳを測定した結果が含まれる。
【０５３７】
ＵＥからの測定報告を受信したセル＃１は、該測定報告を用いて、ＵＥに対してセル＃２を構成することを決定する。セル＃１は、ステップＳＴ２２０５において、ＵＥに対して、セルの追加（Cell addition）を通知する。セルの追加には、追加するセル、ここではセル＃２のセル識別子、キャリア周波数が含まれる。また、追加するセルのＤＳの測定に関する設定を通知する。ステップＳＴ２２０２で通知したＤＳの測定に関する設定と同じ場合は省略してもよい。
【０５３８】
ステップＳＴ２２０５でセル＃２のＤＳの測定に関する設定を受信したＵＥは、ステップＳＴ２２０６において、該設定を用いてセル＃２のＤＳを測定し、セル＃２と同期をとる。ＵＥは、セル＃１からセル＃２の解放を通知されるまで、継続してセル＃２と同期を行う。さらに、測定を行ってもよい。
【０５３９】
ＵＥに対してセル＃２を用いた通信を決定したセル＃１は、ステップＳＴ２２０７において、ＵＥに対して、セル＃２がアクティブであること（Cell activation）を通知する。該通知を受信したＵＥは、ステップＳＴ２２１０において、セル＃２からのデータ受信を開始する。セル＃２からのデータ送信は、毎サブフレーム行われる可能性があるので、ＵＥは、セル＃２がデアクティブであることをセル＃１から通知されるまで、データの受信を継続する。
【０５４０】
また、ＵＥに対してセル＃２を用いた通信を決定したセル＃１は、ステップＳＴ２２０８において、セル＃２に対して、データ送信をアクティブにする指示（Cell activation）を通知する。該指示を受信したセル＃２は、ステップＳＴ２２０９において、ＵＥに対してデータを送信する。ＵＥは、セル＃２から送信されたデータを受信する。
【０５４１】
このようにすることによって、アンライセンススペクトル（unlicensed spectrum）上のセルがデータを送信していない状態で、アンライセンススペクトル（unlicensed spectrum）上で同期用および測定（measurement）用の少なくともいずれか一方の信号を送信する場合、該送信の事前にＣＣＡを導入することが可能となる。また、該ＣＣＡを導入しても、ＵＥは、アンライセンススペクトル（unlicensed spectrum）上の同期用および測定（measurement）用の少なくともいずれか一方の信号を受信することが可能となる。
【０５４２】
また、ＵＥによるアンライセンススペクトル（unlicensed spectrum）上のセルの同期およびメジャメントを実行することが可能となり、ライセンススペクトル（licensed spectrum）上のセルによるアンライセンススペクトル（unlicensed spectrum）上のセルの追加、アクティブ設定が可能となる。したがって、アンライセンススペクトル（unlicensed spectrum）上のセルを用いたデータ通信を行うことが可能となる。
【０５４３】
また、ライセンススペクトル（licensed spectrum）上のセルとアンライセンススペクトル（unlicensed spectrum）上のセルとを用いたＬＡＡが可能となる。また、アンライセンススペクトル（unlicensed spectrum）上の他のシステムとの衝突を避けることが可能となり、他のシステムとの公平性を確保することができ、共存が可能となる。
【０５４４】
前述の各実施の形態およびその変形例は、本発明の例示に過ぎず、本発明の範囲内において、各実施の形態およびその変形例を自由に組合せることができる。また各実施の形態およびその変形例の任意の構成要素を適宜変更または省略することができる。これによって、ＭＴＣのサポートおよびアンライセンススペクトル（unlicensed spectrum）の使用など、多様なサービスをサポートする場合にも、通信端末装置の通信性能を向上させることができる通信システムを提供することができる。
【０５４５】
本発明は詳細に説明されたが、上記した説明は、すべての局面において、例示であって、本発明がそれに限定されるものではない。例示されていない無数の変形例が、本発明の範囲から外れることなく想定され得るものと解される。
【符号の説明】
【０５４６】
１３０１  マクロｅＮＢ（マクロセル）のカバレッジ、１３０２  スモールｅＮＢ（スモールセル）のカバレッジ。
【図１】
2020036373.tif 000003
【図２】
2020036373.tif 000004
【図３】
2020036373.tif 000005
【図４】
2020036373.tif 000006
【図５】
2020036373.tif 000007
【図６】
2020036373.tif 000008
【図７】
2020036373.tif 000009
【図８】
2020036373.tif 000010
【図９】
2020036373.tif 000011
【図１０】
2020036373.tif 000012
【図１１】
2020036373.tif 000013
【図１２】
2020036373.tif 000014
【図１３】
2020036373.tif 000015
【図１４】
2020036373.tif 000016
【図１５】
2020036373.tif 000017
【図１６】
2020036373.tif 000018
【図１７】
2020036373.tif 000019
【図１８】
2020036373.tif 000020
【図１９】
2020036373.tif 000021
【図２０】
2020036373.tif 000022
【図２１】
2020036373.tif 000023
【図２２】
2020036373.tif 000024
【図２３】
2020036373.tif 000025
【図２４】
2020036373.tif 000026